(57)【要約】  本発明の実施例は、非接触ジェスチャを使用して端末機器を制御するための方法及び装置であって、１つ又は複数の光センサを含む端末機器に適用できる方法及び装置を開示する。方法は、一定期間の光強度変化に従って光センサによって出力され、かつ光強度変化を反映する複数の光強度信号を受信するステップであって、光強度変化が非接触ジェスチャによって生成されるステップと、出力された複数の光強度信号の変化規則が非接触ジェスチャに対応する事前設定された変化規則に適合するかどうかを判定し、適合する場合、複数の光強度信号に対応する非接触ジェスチャを認識するステップと、認識された非接触ジェスチャに対応する制御操作を端末アプリケーションに対して実行するステップとを含む。本発明の実施例は、端末機器上でソフトウェア方法を介して簡単かつ能率的に非接触ジェスチャを使用して端末機器を制御することができ、それはユーザ体験を向上させる。
2015530669.tif 000002
【特許請求の範囲】
【請求項１】
非接触ジェスチャを使用することにより端末機器を制御するための方法であって、当該方法が１つ又は複数の光センサを含む端末機器に適用でき、当該方法が、
一定期間における光強度変化に従って前記光センサによって出力されるとともに前記光強度変化を反映する複数の光強度信号を受信するステップであって、前記光強度変化が前記非接触ジェスチャによって生成される、ステップと、
前記複数の光強度信号の変化規則が前記非接触ジェスチャに対応する事前設定された変化規則に適合するかどうかを判定し、もし適合するならば、前記複数の光強度信号に対応する前記非接触ジェスチャを認識するステップと、
前記認識された非接触ジェスチャに対応する制御操作を端末アプリケーションに対して実行するステップとを含む、方法。
【請求項２】
前記１つ又は複数の光センサが第１の光センサを含み、前記非接触ジェスチャがスワイプジェスチャを含むとともに、前記スワイプジェスチャが、前記第１の光センサの感知範囲における操作オブジェクトの一方向のスワイプを含み、
複数の光強度信号によって反映される光強度が、第１の所定期間において、減少変化規則に適合し、次に増加変化規則に適合することを、前記非接触ジェスチャに対応する前記事前設定された変化規則が含む、請求項１に記載の方法。
【請求項３】
前記複数の光センサが第１の光センサ及び第２の光センサを含み、前記非接触ジェスチャが右スワイプジェスチャを含むとともに、前記右スワイプジェスチャが、前記第１の光センサ及び前記第２の光センサの感知範囲における操作オブジェクトの左から右へのスワイプを含み、
第２の所定期間内に、前記第１の光センサによって出力された複数の光強度信号によって反映される光強度が、第１の所定期間において、減少変化規則に適合し、次に増加変化規則に適合し、そのあとで、前記第２の光センサによって出力された複数の光強度信号によって反映される光強度が、前記第１の所定期間において、減少変化規則に適合し、次に増加変化規則に適合することを認識し、前記第１の光センサが前記第２の光センサの左側に置かれることを、前記非接触ジェスチャに対応する前記事前設定された変化規則が含む、請求項１に記載の方法。
【請求項４】
前記複数の光センサが第１の光センサ及び第２の光センサを含み、前記非接触ジェスチャが左スワイプジェスチャを含むとともに、前記左スワイプジェスチャが、前記第１の光センサ及び前記第２の光センサの感知範囲における操作オブジェクトの右から左へのスワイプを含み、
第２の所定期間内に、前記第２の光センサによって出力された複数の光強度信号によって反映される光強度が、第１の所定期間において、減少変化規則に適合し、次に増加変化規則に適合し、そのあとで、前記第１の光センサによって出力された複数の光強度信号によって反映される光強度が、前記第１の所定期間において、減少変化規則に適合し、次に増加変化規則に適合することを認識し、前記第１の光センサが前記第２の光センサの左側に置かれることを、前記非接触ジェスチャに対応する前記事前設定された変化規則が含む、請求項１に記載の方法。
【請求項５】
前記端末機器が複数の光センサを含む場合に、あらゆる２つの隣接する光センサの配置位置の間に同等の水平距離が存在し、前記水平距離が最大である、請求項３又は請求項４に記載の方法。
【請求項６】
前記複数の光センサが第１の光センサ及び第２の光センサを含み、前記非接触ジェスチャが下スワイプジェスチャを含むとともに、前記下スワイプジェスチャが、前記第１の光センサ及び前記第２の光センサの感知範囲における操作オブジェクトの上から下へのスワイプを含み、
第２の所定期間内に、前記第１の光センサによって出力された複数の光強度信号によって反映される光強度が、第１の所定期間において、減少変化規則に適合し、次に増加変化規則に適合し、そのあとで、前記第２の光センサによって出力された複数の光強度信号によって反映される光強度が、前記第１の所定期間において、減少変化規則に適合し、次に増加変化規則に適合することを認識し、前記第１の光センサが前記第２の光センサの上側に置かれることを、前記非接触ジェスチャに対応する前記事前設定された変化規則が含む、請求項１に記載の方法。
【請求項７】
前記複数の光センサが第１の光センサ及び第２の光センサを含み、前記非接触ジェスチャが上スワイプジェスチャを含むとともに、前記上スワイプジェスチャが、前記第１の光センサ及び前記第２の光センサの感知範囲における操作オブジェクトの下から上へのスワイプを含み、
第２の所定期間内に、前記第２の光センサによって出力された複数の光強度信号によって反映される光強度が、第１の所定期間において、減少変化規則に適合し、次に増加変化規則に適合し、そのあとで、前記第１の光センサによって出力された複数の光強度信号によって反映される光強度が、前記第１の所定期間において、減少変化規則に適合し、次に増加変化規則に適合することを認識し、前記第１の光センサが前記第２の光センサの上側に置かれることを、前記非接触ジェスチャに対応する前記事前設定された変化規則が含む、請求項１に記載の方法。
【請求項８】
前記端末機器が複数の光センサを含む場合に、あらゆる２つの隣接する光センサの配置位置の間に同等の垂直距離が存在し、前記垂直距離が最大である、請求項６又は請求項７に記載の方法。
【請求項９】
前記第１の所定期間が、いずれかのセンサに関してユーザが一方向のスワイプをする場合に必要とされる時間の標準値であり、前記一方向のスワイプが、下記の、左から右へのスワイプ、右から左へのスワイプ、上から下へのスワイプ、及び下から上へのスワイプのうちのいずれか１つであり得る、請求項２から請求項８のいずれか一項に記載の方法。
【請求項１０】
前記第２の所定期間が、前記第１の光センサによって出力された前記複数の光強度信号に対応する前記第１のスワイプジェスチャを認識する第１の時刻と前記第２の光センサによって出力された前記複数の光強度信号に対応する前記第２のスワイプジェスチャを認識する第２の時刻との間の時間間隔の標準値である、請求項３から請求項８のいずれか一項に記載の方法。
【請求項１１】
前記複数の光強度信号が、第１の光強度信号、第２の光強度信号、及び第３の光強度信号を含み、前記第２の光強度信号を受信する時刻が前記第１の光強度信号を受信する時刻より遅く、前記第３の光強度信号を受信する時刻が前記第２の光強度信号を受信する時刻より遅いとともに、
前記第２の光強度信号によって反映される信号強度が、第１のしきい値より小さくない減少量で、前記複数の光強度信号の中の前記第１の光強度信号によって反映される信号強度より小さいことを、前記減少変化規則が含み、
前記第３の光強度信号によって反映される信号強度が、第２のしきい値より小さくない増加量で、前記複数の光強度信号の中の前記第２の光強度信号によって反映される信号強度より大きいことを、前記増加変化規則が含む、請求項２から請求項１０のいずれか一項に記載の方法。
【請求項１２】
前記第１のしきい値が、前記スワイプジェスチャを生成する前記操作オブジェクトによって前記光センサが遮蔽される場合の光強度の標準的な減少量であり、前記第２のしきい値が、前記光センサが遮蔽されたあとで前記スワイプジェスチャを生成する前記操作オブジェクトが離れる場合の光強度の標準的な増加量であることを含む、請求項１１に記載の方法。
【請求項１３】
前記光センサが第１の光センサを含み、前記非接触ジェスチャがアップリフトジェスチャを含むとともに、前記アップリフトジェスチャが、前記第１の光センサの感知範囲における操作オブジェクトの前記第１の光センサから離れる方向における漸進運動を含み、
複数の光強度信号によって反映される光強度が、第１の減少変化規則に適合し、それから第１の所定期間において不変のままとなり、次に増加変化規則に適合し、そのあとで第２の所定期間において不変のままとなることを、前記非接触ジェスチャに対応する前記事前設定された変化規則が含む、請求項１に記載の方法。
【請求項１４】
前記複数の光センサがＮ個の光センサであり、前記非接触ジェスチャがアップリフトジェスチャを含むとともに、前記アップリフトジェスチャが、前記Ｎ個の光センサの中の少なくとも２つの光センサの感知範囲における操作オブジェクトの前記少なくとも２つの光センサから離れる方向における漸進運動を含み、
前記Ｎ個の光センサの中のＡ個の光センサのそれぞれによって出力された複数の光強度信号によって反映される光強度が、第１の減少変化規則にそれぞれ適合し、それから第１の所定期間において不変のままとなり、次に前記Ａ個の光センサの中のＢ個の光センサのそれぞれによって出力された複数の光強度信号によって反映される光強度が、増加変化規則にそれぞれ適合し、それから前記Ｂ個の光センサのうちの少なくとも１つによって出力された光強度信号によって反映される光強度が、それぞれ第２の所定期間において不変のままとなることを、前記非接触ジェスチャに対応する前記事前設定された変化規則が含み、
Ｎ、Ａ、及びＢが１より大きい整数であり、ＡがＮより大きくないとともに第１のしきい値より小さくなく、そしてＢがＡより大きくないとともに第２のしきい値より小さくない、請求項１に記載の方法。
【請求項１５】
前記複数の光強度信号が、第１の光強度信号、第２の光強度信号、第３の光強度信号、第４の光強度信号、及び第５の光強度信号を含み、前記第２の光強度信号を受信する時刻が前記第１の光強度信号を受信する時刻より遅く、前記第３の光強度信号を受信する時刻が前記第２の光強度信号を受信する時刻より遅く、前記第４の光強度信号を受信する時刻が前記第３の光強度信号を受信する時刻より遅く、そして前記第５の光強度信号を受信する時刻が前記第４の光強度信号を受信する時刻より遅いとともに、
第３の所定期間において、前記第２の光強度信号によって反映される信号強度が、第３のしきい値より小さくない減少量で、前記複数の光強度信号の中の前記第１の光強度信号によって反映される信号強度より小さいことを、前記第１の減少変化規則が含み、
前記複数の光強度信号の中の前記第３の光強度信号によって反映される信号強度が、第４のしきい値より大きくない増加量で、前記複数の光強度信号の中の前記第２の光強度信号によって反映される信号強度より小さくないこと、又は前記第３の光強度信号によって反映される信号強度が、第４のしきい値より大きくない減少量で、前記複数の光強度信号の中の前記第２の光強度信号によって反映される信号強度より大きくないことを、前記第１の所定期間において不変のままとなることが含み、
前記複数の光強度信号の中の前記第４の光強度信号によって反映される信号強度が、前記複数の光強度信号の中の前記第３の光強度信号によって反映される信号強度より大きいことを、前記増加変化規則が含み、
前記複数の光強度信号の中の前記第５の光強度信号によって反映される信号強度が、第４のしきい値より大きくない増加量で、前記複数の光強度信号の中の前記第４の光強度信号によって反映される信号強度より小さくないこと、又は前記第５の光強度信号によって反映される信号強度が、第４のしきい値より大きくない減少量で、前記複数の光強度信号の中の前記第４の光強度信号によって反映される信号強度より大きくないことを、前記第２の所定期間において不変のままとなることが含む、請求項１３又は請求項１４に記載の方法。
【請求項１６】
前記光センサが第１の光センサを含み、前記非接触ジェスチャがプレスジェスチャを含むとともに、前記プレスジェスチャが、前記第１の光センサの感知範囲における操作オブジェクトの前記第１の光センサに向かう方向における漸進運動を含み、
複数の光強度信号によって反映される光強度が、第１の減少変化規則に適合し、それから第１の所定期間において不変のままとなり、次に第２の減少変化規則に適合し、そのあとで第２の所定期間において不変のままとなることを、前記非接触ジェスチャに対応する前記事前設定された変化規則が含む、請求項１に記載の方法。
【請求項１７】
前記複数の光センサがＮ個の光センサであり、前記非接触ジェスチャがプレスジェスチャを含むとともに、前記プレスジェスチャが、前記Ｎ個の光センサの中の少なくとも２つの光センサの感知範囲における操作オブジェクトの前記少なくとも２つの光センサに向かう方向における漸進運動を含み、
前記Ｎ個の光センサの中のＡ個の光センサのそれぞれによって出力された複数の光強度信号によって反映される光強度が、第１の減少変化規則にそれぞれ適合し、それから第１の所定期間において不変のままとなり、次に前記Ａ個の光センサの中のＢ個の光センサのそれぞれによって出力された複数の光強度信号によって反映される光強度が、第２の減少変化規則にそれぞれ適合し、それから前記Ｂ個の光センサのうちの少なくとも１つによって出力された光強度信号によって反映される光強度が、それぞれ第２の所定期間において不変のままとなることを、前記非接触ジェスチャに対応する前記事前設定された変化規則が含み、
Ｎ、Ａ、及びＢが１より大きい整数であり、ＡがＮより大きくないとともに第１のしきい値より小さくなく、そしてＢがＡより大きくないとともに第２のしきい値より小さくない、請求項１に記載の方法。
【請求項１８】
前記複数の光強度信号が、第１の光強度信号、第２の光強度信号、第３の光強度信号、第４の光強度信号、及び第５の光強度信号を含み、前記第２の光強度信号を受信する時刻が前記第１の光強度信号を受信する時刻より遅く、前記第３の光強度信号を受信する時刻が前記第２の光強度信号を受信する時刻より遅く、前記第４の光強度信号を受信する時刻が前記第３の光強度信号を受信する時刻より遅く、そして前記第５の光強度信号を受信する時刻が前記第４の光強度信号を受信する時刻より遅いとともに、
第３の所定期間において、前記第２の光強度信号によって反映される信号強度が、第３のしきい値より小さくない減少量で、前記複数の光強度信号の中の前記第１の光強度信号によって反映される信号強度より小さいことを、前記第１の減少変化規則が含み、
前記複数の光強度信号の中の前記第３の光強度信号によって反映される信号強度が、第４のしきい値より大きくない増加量で、前記複数の光強度信号の中の前記第２の光強度信号によって反映される信号強度より小さくないこと、又は前記第３の光強度信号によって反映される信号強度が、第４のしきい値より大きくない減少量で、前記複数の光強度信号の中の前記第２の光強度信号によって反映される信号強度より大きくないことを、前記第１の所定期間において不変のままとなることが含み、
前記複数の光強度信号の中の前記第４の光強度信号によって反映される信号強度が、前記複数の光強度信号の中の前記第３の光強度信号によって反映される信号強度より小さいことを、前記第２の減少変化規則が含み、
前記複数の光強度信号の中の前記第５の光強度信号によって反映される信号強度が、第４のしきい値より大きくない増加量で、前記複数の光強度信号の中の前記第４の光強度信号によって反映される信号強度より小さくないこと、又は前記第５の光強度信号によって反映される信号強度が、第４のしきい値より大きくない減少量で、前記複数の光強度信号の中の前記第４の光強度信号によって反映される信号強度より大きくないことを、前記第２の所定期間において不変のままとなることが含む、請求項１６又は請求項１７に記載の方法。
【請求項１９】
前記光センサが第１の光センサを含み、前記非接触ジェスチャが少なくとも１つのアップリフトジェスチャ及び少なくとも１つのプレスジェスチャを含むとともに、前記プレスジェスチャが、前記第１の光センサの感知範囲における操作オブジェクトの前記第１の光センサに向かう方向における漸進運動を含み、前記アップリフトジェスチャが、前記第１の光センサの前記感知範囲における前記操作オブジェクトの前記第１の光センサから離れる方向における漸進運動を含み、
光強度が、第１の減少変化規則に適合し、それから第１の所定期間において不変のままとなり、次に減少変動規則に適合し、そのあとで第２の所定期間において不変のままとなることを、前記非接触ジェスチャに対応する前記事前設定された変化規則が含む、請求項１に記載の方法。
【請求項２０】
前記複数の光センサがＮ個の光センサであり、前記非接触ジェスチャが少なくとも１つのプレスジェスチャ及び少なくとも１つのアップリフトジェスチャを含むとともに、前記プレスジェスチャが、前記Ｎ個の光センサの中の少なくとも２つの光センサの感知範囲における操作オブジェクトの前記少なくとも２つの光センサに向かう方向における漸進運動を含み、前記アップリフトジェスチャが、前記Ｎ個の光センサの中の少なくとも２つの光センサの感知範囲における前記操作オブジェクトの前記少なくとも２つの光センサから離れる方向における漸進運動を含み、
前記Ｎ個の光センサの中のＡ個の光センサのそれぞれによって出力された複数の光強度信号によって反映される光強度が、第１の減少変化規則にそれぞれ適合し、それから第１の所定期間において不変のままとなり、次に前記Ａ個の光センサの中のＢ個の光センサのそれぞれによって出力された複数の光強度信号によって反映される光強度が、減少変動規則にそれぞれ適合し、それから前記Ｂ個の光センサのうちの少なくとも１つによって出力された光強度信号によって反映される光強度が、それぞれ第２の所定期間において不変のままとなることを、前記非接触ジェスチャに対応する前記事前設定された変化規則が含み、
Ｎ、Ａ、及びＢが１より大きい整数であり、ＡがＮより大きくないとともに第１のしきい値より小さくなく、そしてＢがＡより大きくないとともに第２のしきい値より小さくない、請求項１に記載の方法。
【請求項２１】
前記複数の光強度信号が、第１の光強度信号、第２の光強度信号、第３の光強度信号、第４の光強度信号、第５の光強度信号、及び第６の光強度信号を含み、前記第２の光強度信号を受信する時刻が前記第１の光強度信号を受信する時刻より遅く、前記第３の光強度信号を受信する時刻が前記第２の光強度信号を受信する時刻より遅く、前記第４の光強度信号を受信する時刻が前記第３の光強度信号を受信する時刻より遅く、前記第５の光強度信号を受信する時刻が前記第４の光強度信号を受信する時刻より遅く、そして前記第６の光強度信号を受信する時刻が前記第５の光強度信号を受信する時刻より遅いとともに、
第３の所定期間において、前記第２の光強度信号によって反映される信号強度が、第３のしきい値より小さくない減少量で、前記複数の光強度信号の中の前記第１の光強度信号によって反映される信号強度より小さいことを、前記第１の減少変化規則が含み、
前記複数の光強度信号の中の前記第３の光強度信号によって反映される信号強度が、第４のしきい値より大きくない増加量で、前記複数の光強度信号の中の前記第２の光強度信号によって反映される信号強度より小さくないこと、又は前記第３の光強度信号によって反映される信号強度が、第４のしきい値より大きくない減少量で、前記複数の光強度信号の中の前記第２の光強度信号によって反映される信号強度より大きくないことを、前記第１の所定期間において不変のままとなることが含み、
前記複数の光強度信号の中の前記第４の光強度信号によって反映される信号強度が、前記複数の光強度信号の中の前記第３の光強度信号によって反映される信号強度より小さいことを、前記第２の減少変化規則が含み、
前記複数の光強度信号の中の前記第４の光強度信号によって反映される信号強度が、前記複数の光強度信号の中の前記第３の光強度信号によって反映される信号強度より小さく、さらには前記複数の光強度信号の中の前記第５の光強度信号によって反映される信号強度が、前記複数の光強度信号の中の前記第４の光強度信号によって反映される信号強度より大きいこと、又は前記複数の光強度信号の中の前記第４の光強度信号によって反映される信号強度が、前記複数の光強度信号の中の前記第３の光強度信号によって反映される信号強度より大きく、さらには前記複数の光強度信号の中の前記第５の光強度信号によって反映される信号強度が、前記複数の光強度信号の中の前記第４の光強度信号によって反映される信号強度より小さいことを、前記減少変動規則が含み、
前記複数の光強度信号の中の前記第６の光強度信号によって反映される信号強度が、第４のしきい値より大きくない増加量で、前記複数の光強度信号の中の前記第５の光強度信号によって反映される信号強度より小さくないこと、又は前記第６の光強度信号によって反映される信号強度が、第４のしきい値より大きくない減少量で、前記複数の光強度信号の中の前記第５の光強度信号によって反映される信号強度より大きくないことを、前記第２の所定期間において不変のままとなることが含む、請求項１９又は請求項２０に記載の方法。
【請求項２２】
前記第１の所定期間が、前記プレスジェスチャ又は前記アップリフトジェスチャを生成する前記操作オブジェクトによって前記光センサを遮蔽する時刻とプレスすることを開始するか又はアップリフトすることを開始する時刻との間の時間間隔の標準値であり、
前記第２の所定期間が、前記プレスジェスチャ又は前記アップリフトジェスチャを生成する前記操作オブジェクトがある程度までプレスされたか又はアップリフトされた後で静止している状態を保つ場合に前記光センサが遮蔽される持続時間の標準値である、請求項１３から請求項１８のいずれか一項に記載の方法。
【請求項２３】
前記第３の所定期間が、前記プレスジェスチャ又は前記アップリフトジェスチャを認識する検出時刻と前記プレスジェスチャ又は前記アップリフトジェスチャを生成する前記操作オブジェクトによって前記光センサを遮蔽する時刻との間の時間間隔の標準値である、請求項１５、請求項１８、又は請求項２１に記載の方法。
【請求項２４】
前記第３のしきい値が、前記アップリフトジェスチャ、又は前記プレスジェスチャ、又は少なくとも１つのアップリフトジェスチャと少なくとも１つのプレスジェスチャとを含むジェスチャを生成する前記操作オブジェクトによって前記光センサが遮蔽される場合の光強度の標準的な減少量であり、
前記第４のしきい値が、前記アップリフトジェスチャ、又は前記プレスジェスチャ、又は少なくとも１つのアップリフトジェスチャと少なくとも１つのプレスジェスチャとを含むジェスチャを生成する前記操作オブジェクトによって前記光センサが遮蔽されたあとで、かつアップリフトすること又はプレスすることを開始する前に、前記静止している操作オブジェクトによってもたらされる光強度の標準的な減少量又は増加量であることを含む、請求項１５、請求項１８、又は請求項２１に記載の方法。
【請求項２５】
前記第１のしきい値がＮ／２より小さくないとともに、前記第２のしきい値がＡ／２より小さくない、請求項１４、請求項１７、又は請求項２０に記載の方法。
【請求項２６】
前記端末機器がモーションセンサ又はオリエンテーションセンサを含み、前記モーションセンサ又は前記オリエンテーションセンサによって出力された信号値を受信し、携帯電話が比較的安定した状態にあるかどうかを判定し、もし安定した状態にあるならば、前記の出力された複数の光強度信号の前記変化規則が前記非接触ジェスチャに対応する前記事前設定された変化規則に適合するかどうかを判定する前記ステップを起動するステップを更に含む、請求項１から請求項２５に記載の方法。
【請求項２７】
前記の出力された複数の光強度信号の前記変化規則が前記非接触ジェスチャに対応する前記事前設定された変化規則に適合するかどうかを判定する前記ステップが、
前記光センサによって出力された前記光強度信号のうちの１つが受信されるたびに、前記光センサによって出力され、前回受信されたか又は複数回受信された前記光強度信号のうちの１つ又は複数に従って、前記の出力された複数の光強度信号の前記変化規則が前記非接触ジェスチャに対応する前記事前設定された変化規則に適合するかどうかを判定するステップを含む、請求項１から請求項２６のいずれか一項に記載の方法。
【請求項２８】
前記非接触ジェスチャが、上スワイプジェスチャ、又は下スワイプジェスチャ、又は左スワイプジェスチャ、又は右スワイプジェスチャを含むとともに、前記端末アプリケーションが、画像アプリケーション又は電子ブックアプリケーションを含み、
前記上スワイプジェスチャが、前記第１の光センサ及び前記第２の光センサの前記感知範囲における前記操作オブジェクトの下から上へのスワイプを含み、前記下スワイプジェスチャが、前記第１の光センサ及び前記第２の光センサの前記感知範囲における前記操作オブジェクトの上から下へのスワイプを含み、前記左スワイプジェスチャが、前記第１の光センサ及び前記第２の光センサの前記感知範囲における前記操作オブジェクトの右から左へのスワイプを含み、前記右スワイプジェスチャが、前記第１の光センサ及び前記第２の光センサの前記感知範囲における前記操作オブジェクトの左から右へのスワイプを含み、
前記認識された非接触ジェスチャに対応する制御操作を端末アプリケーションに対して実行する前記ステップが、
前記画像又は電子ブックアプリケーションに対して、前記上スワイプジェスチャ、又は前記下スワイプジェスチャ、又は前記左スワイプジェスチャ、又は前記右スワイプジェスチャにそれぞれ対応する、上方向ページフリッピング若しくはドラッギング、下方向ページフリッピング若しくはドラッギング、左方向ページフリッピング若しくはドラッギング、又は右方向ページフリッピング若しくはドラッギングの制御操作を実行するステップを含む、請求項１から請求項２７のいずれか一項に記載の方法。
【請求項２９】
前記非接触ジェスチャが、プレスジェスチャ及び／又はアップリフトジェスチャを含み、前記端末アプリケーションが、画像アプリケーション又は電子ブックアプリケーションを含む場合に、
前記認識された非接触ジェスチャに対応する制御操作を端末アプリケーションに対して実行する前記ステップが、前記画像アプリケーション又は前記電子ブックアプリケーションに対して、前記プレスジェスチャ及び／又は前記アップリフトジェスチャに対応するズーム操作を実行するステップを含む、請求項１から請求項２７のいずれか一項に記載の方法。
【請求項３０】
当該方法が、前記アップリフトジェスチャのアップリフト量を取得するステップを更に含み、
前記認識された非接触ジェスチャに対応する制御操作を端末アプリケーションに対して実行する前記ステップが、
前記画像アプリケーション又は前記電子ブックアプリケーションに対して、前記アップリフトジェスチャに対応するズーム操作を実行するステップであって、前記ズーム操作が実行される場合に前記アップリフト量に従ってズーム比が決定されるステップを含む、請求項１３又は請求項１６又は請求項１９に記載の方法。
【請求項３１】
当該方法が、前記プレスジェスチャのプレス量を取得するステップを更に含み、
前記認識された非接触ジェスチャに対応する制御操作を端末アプリケーションに対して実行する前記ステップが、
前記画像アプリケーション又は前記電子ブックアプリケーションに対して、前記プレスジェスチャに対応するズーム操作を実行するステップであって、前記ズーム操作が実行される場合に前記プレス量に従ってズーム比が決定されるステップを含む、請求項１４又は請求項１７又は請求項２０に記載の方法。
【請求項３２】
非接触ジェスチャを使用することにより端末機器を制御するための装置であって、当該装置が１つ又は複数の光センサを含む端末機器に適用でき、当該装置が、
一定期間における光強度変化に従って前記光センサによって出力されるとともに前記光強度変化を反映する複数の光強度信号を受信するように構成された受信ユニットであって、前記光強度変化が前記非接触ジェスチャによって生成される前記受信ユニットと、
前記受信ユニットによって受信された前記複数の光強度信号の変化規則が前記非接触ジェスチャに対応する事前設定された変化規則に適合するかどうかを判定し、もし適合するならば、前記複数の光強度信号に対応する前記非接触ジェスチャを認識するように構成されたジェスチャ認識ユニットと、
前記ジェスチャ認識ユニットによって認識された前記非接触ジェスチャに対応する制御操作を端末アプリケーションに対して実行するように構成された実行ユニットとを含む、装置。
【請求項３３】
前記１つ又は複数の光センサが第１の光センサを含み、前記非接触ジェスチャがスワイプジェスチャを含むとともに、前記スワイプジェスチャが、前記第１の光センサの感知範囲における操作オブジェクトの一方向のスワイプを含み、
複数の光強度信号によって反映される光強度が、第１の所定期間において、減少変化規則に適合し、次に増加変化規則に適合することを、前記非接触ジェスチャに対応する前記事前設定された変化規則が含む、請求項３２に記載の装置。
【請求項３４】
前記複数の光センサが第１の光センサ及び第２の光センサを含み、前記非接触ジェスチャが右スワイプジェスチャを含むとともに、前記右スワイプジェスチャが、前記第１の光センサ及び前記第２の光センサの感知範囲における操作オブジェクトの左から右へのスワイプを含み、
第２の所定期間内に、前記第１の光センサによって出力された複数の光強度信号によって反映される光強度が、第１の所定期間において、減少変化規則に適合し、次に増加変化規則に適合し、そのあとで、前記第２の光センサによって出力された複数の光強度信号によって反映される光強度が、前記第１の所定期間において、減少変化規則に適合し、次に増加変化規則に適合することを認識し、前記第１の光センサが前記第２の光センサの左側に置かれることを、前記非接触ジェスチャに対応する前記事前設定された変化規則が含む、請求項３２に記載の装置。
【請求項３５】
前記複数の光センサが第１の光センサ及び第２の光センサを含み、前記非接触ジェスチャが左スワイプジェスチャを含むとともに、前記左スワイプジェスチャが、前記第１の光センサ及び前記第２の光センサの感知範囲における操作オブジェクトの右から左へのスワイプを含み、
第２の所定期間内に、前記第２の光センサによって出力された複数の光強度信号によって反映される光強度が、第１の所定期間において、減少変化規則に適合し、次に増加変化規則に適合し、そのあとで、前記第１の光センサによって出力された複数の光強度信号によって反映される光強度が、前記第１の所定期間において、減少変化規則に適合し、次に増加変化規則に適合することを認識し、前記第１の光センサが前記第２の光センサの左側に置かれることを、前記非接触ジェスチャに対応する前記事前設定された変化規則が含む、請求項３２に記載の装置。
【請求項３６】
前記端末機器が複数の光センサを含む場合に、あらゆる２つの隣接する光センサの配置位置の間に同等の水平距離が存在し、前記水平距離が最大である、請求項３４又は請求項３５に記載の装置。
【請求項３７】
前記複数の光センサが第１の光センサ及び第２の光センサを含み、前記非接触ジェスチャが下スワイプジェスチャを含むとともに、前記下スワイプジェスチャが、前記第１の光センサ及び前記第２の光センサの感知範囲における操作オブジェクトの上から下へのスワイプを含み、
第２の所定期間内に、前記第１の光センサによって出力された複数の光強度信号によって反映される光強度が、第１の所定期間において、減少変化規則に適合し、次に増加変化規則に適合し、そのあとで、前記第２の光センサによって出力された複数の光強度信号によって反映される光強度が、前記第１の所定期間において、減少変化規則に適合し、次に増加変化規則に適合することを認識し、前記第１の光センサの配置位置が前記第２の光センサの配置位置の上側にあることを、前記非接触ジェスチャに対応する前記事前設定された変化規則が含む、請求項３２に記載の装置。
【請求項３８】
前記複数の光センサが第１の光センサ及び第２の光センサを含み、前記非接触ジェスチャが上スワイプジェスチャを含むとともに、前記上スワイプジェスチャが、前記第１の光センサ及び前記第２の光センサの感知範囲における操作オブジェクトの下から上へのスワイプを含み、
第２の所定期間内に、前記第２の光センサによって出力された複数の光強度信号によって反映される光強度が、第１の所定期間において、減少変化規則に適合し、次に増加変化規則に適合し、そのあとで、前記第１の光センサによって出力された複数の光強度信号によって反映される光強度が、前記第１の所定期間において、減少変化規則に適合し、次に増加変化規則に適合することを認識し、前記第１の光センサの配置位置が前記第２の光センサの配置位置の上側にあることを、前記非接触ジェスチャに対応する前記事前設定された変化規則が含む、請求項３２に記載の装置。
【請求項３９】
前記端末機器が複数の光センサを含む場合に、あらゆる２つの隣接する光センサの配置位置の間に同等の垂直距離が存在し、前記垂直距離が最大である、請求項３７又は請求項３８に記載の装置。
【請求項４０】
前記第１の所定期間が、いずれかのセンサに関してユーザが一方向のスワイプをする場合に必要とされる時間の標準値であり、前記一方向のスワイプが、下記の、左から右へのスワイプ、右から左へのスワイプ、上から下へのスワイプ、及び下から上へのスワイプのうちのいずれか１つであり得る、請求項３３から請求項３９のいずれか一項に記載の装置。
【請求項４１】
前記第２の所定期間が、前記第１の光センサによって出力された前記複数の光強度信号に対応する前記第１のスワイプジェスチャを認識する第１の時刻と前記第２の光センサによって出力された前記複数の光強度信号に対応する前記第２のスワイプジェスチャを認識する第２の時刻との間の時間間隔の標準値である、請求項３４から請求項３９のいずれか一項に記載の装置。
【請求項４２】
前記複数の光強度信号が、第１の光強度信号、第２の光強度信号、及び第３の光強度信号を含み、前記第２の光強度信号を受信する時刻が前記第１の光強度信号を受信する時刻より遅く、前記第３の光強度信号を受信する時刻が前記第２の光強度信号を受信する時刻より遅いとともに、
前記第２の光強度信号によって反映される信号強度が、第１のしきい値より小さくない減少量で、前記複数の光強度信号の中の前記第１の光強度信号によって反映される信号強度より小さいことを、前記減少変化規則が含み、
前記第３の光強度信号によって反映される信号強度が、第２のしきい値より小さくない増加量で、前記複数の光強度信号の中の前記第２の光強度信号によって反映される信号強度より大きいことを、前記増加変化規則が含む、請求項３３から請求項４１のいずれか一項に記載の装置。
【請求項４３】
前記第１のしきい値が、前記スワイプジェスチャを生成する前記操作オブジェクトによって前記光センサが遮蔽される場合の光強度の標準的な減少量であり、前記第２のしきい値が、前記光センサが遮蔽されたあとで前記スワイプジェスチャを生成する前記操作オブジェクトが離れる場合の光強度の標準的な増加量であることを含む、請求項４２に記載の装置。
【請求項４４】
前記光センサが第１の光センサを含み、前記非接触ジェスチャがアップリフトジェスチャを含むとともに、前記アップリフトジェスチャが、前記第１の光センサの感知範囲における操作オブジェクトの前記第１の光センサから離れる方向における漸進運動を含み、
複数の光強度信号によって反映される光強度が、第１の減少変化規則に適合し、それから第１の所定期間において不変のままとなり、次に増加変化規則に適合し、そのあとで第２の所定期間において不変のままとなることを、前記非接触ジェスチャに対応する前記事前設定された変化規則が含む、請求項３２に記載の装置。
【請求項４５】
前記複数の光センサがＮ個の光センサであり、前記非接触ジェスチャがアップリフトジェスチャを含むとともに、前記アップリフトジェスチャが、前記Ｎ個の光センサの中の少なくとも２つの光センサの感知範囲における操作オブジェクトの前記少なくとも２つの光センサから離れる方向における漸進運動を含み、
前記Ｎ個の光センサの中のＡ個の光センサのそれぞれによって出力された複数の光強度信号によって反映される光強度が、第１の減少変化規則にそれぞれ適合し、それから第１の所定期間において不変のままとなり、次に前記Ａ個の光センサの中のＢ個の光センサのそれぞれによって出力された複数の光強度信号によって反映される光強度が、増加変化規則にそれぞれ適合し、それから前記Ｂ個の光センサのうちの少なくとも１つによって出力された光強度信号によって反映される光強度が、それぞれ第２の所定期間において不変のままとなることを、前記非接触ジェスチャに対応する前記事前設定された変化規則が含み、
Ｎ、Ａ、及びＢが１より大きい整数であり、ＡがＮより大きくないとともに第１のしきい値より小さくなく、そしてＢがＡより大きくないとともに第２のしきい値より小さくない、請求項３２に記載の装置。
【請求項４６】
前記複数の光強度信号が、第１の光強度信号、第２の光強度信号、第３の光強度信号、第４の光強度信号、及び第５の光強度信号を含み、前記第２の光強度信号を受信する時刻が前記第１の光強度信号を受信する時刻より遅く、前記第３の光強度信号を受信する時刻が前記第２の光強度信号を受信する時刻より遅く、前記第４の光強度信号を受信する時刻が前記第３の光強度信号を受信する時刻より遅く、そして前記第５の光強度信号を受信する時刻が前記第４の光強度信号を受信する時刻より遅いとともに、
第３の所定期間において、前記第２の光強度信号によって反映される信号強度が、第３のしきい値より小さくない減少量で、前記複数の光強度信号の中の前記第１の光強度信号によって反映される信号強度より小さいことを、前記第１の減少変化規則が含み、
前記複数の光強度信号の中の前記第３の光強度信号によって反映される信号強度が、第４のしきい値より大きくない増加量で、前記複数の光強度信号の中の前記第２の光強度信号によって反映される信号強度より小さくないこと、又は前記第３の光強度信号によって反映される信号強度が、第４のしきい値より大きくない減少量で、前記複数の光強度信号の中の前記第２の光強度信号によって反映される信号強度より大きくないことを、前記第１の所定期間において不変のままとなることが含み、
前記複数の光強度信号の中の前記第４の光強度信号によって反映される信号強度が、前記複数の光強度信号の中の前記第３の光強度信号によって反映される信号強度より大きいことを、前記増加変化規則が含み、
前記複数の光強度信号の中の前記第５の光強度信号によって反映される信号強度が、第４のしきい値より大きくない増加量で、前記複数の光強度信号の中の前記第４の光強度信号によって反映される信号強度より小さくないこと、又は前記第５の光強度信号によって反映される信号強度が、第４のしきい値より大きくない減少量で、前記複数の光強度信号の中の前記第４の光強度信号によって反映される信号強度より大きくないことを、前記第２の所定期間において不変のままとなることが含む、請求項４４又は請求項４５に記載の装置。
【請求項４７】
前記光センサが第１の光センサを含み、前記非接触ジェスチャがプレスジェスチャを含むとともに、前記プレスジェスチャが、前記第１の光センサの感知範囲における操作オブジェクトの前記第１の光センサに向かう方向における漸進運動を含み、
複数の光強度信号によって反映される光強度が、第１の減少変化規則に適合し、それから第１の所定期間において不変のままとなり、次に第２の減少変化規則に適合し、そのあとで第２の所定期間において不変のままとなることを、前記非接触ジェスチャに対応する前記事前設定された変化規則が含む、請求項３２に記載の装置。
【請求項４８】
前記複数の光センサがＮ個の光センサであり、前記非接触ジェスチャがプレスジェスチャを含むとともに、前記プレスジェスチャが、前記Ｎ個の光センサの中の少なくとも２つの光センサの感知範囲における操作オブジェクトの前記少なくとも２つの光センサに向かう方向における漸進運動を含み、
前記Ｎ個の光センサの中のＡ個の光センサのそれぞれによって出力された複数の光強度信号によって反映される光強度が、第１の減少変化規則にそれぞれ適合し、それから第１の所定期間において不変のままとなり、次に前記Ａ個の光センサの中のＢ個の光センサのそれぞれによって出力された複数の光強度信号によって反映される光強度が、第２の減少変化規則にそれぞれ適合し、それから前記Ｂ個の光センサのうちの少なくとも１つによって出力された光強度信号によって反映される光強度が、それぞれ第２の所定期間において不変のままとなることを、前記非接触ジェスチャに対応する前記事前設定された変化規則が含み、
Ｎ、Ａ、及びＢが１より大きい整数であり、ＡがＮより大きくないとともに第１のしきい値より小さくなく、そしてＢがＡより大きくないとともに第２のしきい値より小さくない、請求項３２に記載の装置。
【請求項４９】
前記複数の光強度信号が、第１の光強度信号、第２の光強度信号、第３の光強度信号、第４の光強度信号、及び第５の光強度信号を含み、前記第２の光強度信号を受信する時刻が前記第１の光強度信号を受信する時刻より遅く、前記第３の光強度信号を受信する時刻が前記第２の光強度信号を受信する時刻より遅く、前記第４の光強度信号を受信する時刻が前記第３の光強度信号を受信する時刻より遅く、そして前記第５の光強度信号を受信する時刻が前記第４の光強度信号を受信する時刻より遅いとともに、
第３の所定期間において、前記第２の光強度信号によって反映される信号強度が、第３のしきい値より小さくない減少量で、前記複数の光強度信号の中の前記第１の光強度信号によって反映される信号強度より小さいことを、前記第１の減少変化規則が含み、
前記複数の光強度信号の中の前記第３の光強度信号によって反映される信号強度が、第４のしきい値より大きくない増加量で、前記複数の光強度信号の中の前記第２の光強度信号によって反映される信号強度より小さくないこと、又は前記第３の光強度信号によって反映される信号強度が、第４のしきい値より大きくない減少量で、前記複数の光強度信号の中の前記第２の光強度信号によって反映される信号強度より大きくないことを、前記第１の所定期間において不変のままとなることが含み、
前記複数の光強度信号の中の前記第４の光強度信号によって反映される信号強度が、前記複数の光強度信号の中の前記第３の光強度信号によって反映される信号強度より小さいことを、前記第２の減少変化規則が含み、
前記複数の光強度信号の中の前記第５の光強度信号によって反映される信号強度が、第４のしきい値より大きくない増加量で、前記複数の光強度信号の中の前記第４の光強度信号によって反映される信号強度より小さくないこと、又は前記第５の光強度信号によって反映される信号強度が、第４のしきい値より大きくない減少量で、前記複数の光強度信号の中の前記第４の光強度信号によって反映される信号強度より大きくないことを、前記第２の所定期間において不変のままとなることが含む、請求項４７又は請求項４８に記載の装置。
【請求項５０】
前記光センサが第１の光センサを含み、前記非接触ジェスチャが少なくとも１つのアップリフトジェスチャ及び少なくとも１つのプレスジェスチャを含むとともに、前記プレスジェスチャが、前記第１の光センサの感知範囲における操作オブジェクトの前記第１の光センサに向かう方向における漸進運動を含み、前記アップリフトジェスチャが、前記第１の光センサの前記感知範囲における前記操作オブジェクトの前記第１の光センサから離れる方向における漸進運動を含み、
光強度が、第１の減少変化規則に適合し、それから第１の所定期間において不変のままとなり、次に減少変動規則に適合し、そのあとで第２の所定期間において不変のままとなることを、前記非接触ジェスチャに対応する前記事前設定された変化規則が含む、請求項３２に記載の装置。
【請求項５１】
前記複数の光センサがＮ個の光センサであり、前記非接触ジェスチャが少なくとも１つのプレスジェスチャ及び少なくとも１つのアップリフトジェスチャを含むとともに、前記プレスジェスチャが、前記Ｎ個の光センサの中の少なくとも２つの光センサの感知範囲における操作オブジェクトの前記少なくとも２つの光センサに向かう方向における漸進運動を含み、前記アップリフトジェスチャが、前記Ｎ個の光センサの中の少なくとも２つの光センサの感知範囲における前記操作オブジェクトの前記少なくとも２つの光センサから離れる方向における漸進運動を含み、
前記Ｎ個の光センサの中のＡ個の光センサのそれぞれによって出力された複数の光強度信号によって反映される光強度が、第１の減少変化規則にそれぞれ適合し、それから第１の所定期間において不変のままとなり、次に前記Ａ個の光センサの中のＢ個の光センサのそれぞれによって出力された複数の光強度信号によって反映される光強度が、減少変動規則にそれぞれ適合し、それから前記Ｂ個の光センサのうちの少なくとも１つによって出力された光強度信号によって反映される光強度が、それぞれ第２の所定期間において不変のままとなることを、前記非接触ジェスチャに対応する前記事前設定された変化規則が含み、
Ｎ、Ａ、及びＢが１より大きい整数であり、ＡがＮより大きくないとともに第１のしきい値より小さくなく、そしてＢがＡより大きくないとともに第２のしきい値より小さくない、請求項３２に記載の装置。
【請求項５２】
前記複数の光強度信号が、第１の光強度信号、第２の光強度信号、第３の光強度信号、第４の光強度信号、第５の光強度信号、及び第６の光強度信号を含み、前記第２の光強度信号を受信する時刻が前記第１の光強度信号を受信する時刻より遅く、前記第３の光強度信号を受信する時刻が前記第２の光強度信号を受信する時刻より遅く、前記第４の光強度信号を受信する時刻が前記第３の光強度信号を受信する時刻より遅く、前記第５の光強度信号を受信する時刻が前記第４の光強度信号を受信する時刻より遅く、そして前記第６の光強度信号を受信する時刻が前記第５の光強度信号を受信する時刻より遅いとともに、
第３の所定期間において、前記第２の光強度信号によって反映される信号強度が、第３のしきい値より小さくない減少量で、前記複数の光強度信号の中の前記第１の光強度信号によって反映される信号強度より小さいことを、前記第１の減少変化規則が含み、
前記複数の光強度信号の中の前記第３の光強度信号によって反映される信号強度が、第４のしきい値より大きくない増加量で、前記複数の光強度信号の中の前記第２の光強度信号によって反映される信号強度より小さくないこと、又は前記第３の光強度信号によって反映される信号強度が、第４のしきい値より大きくない減少量で、前記複数の光強度信号の中の前記第２の光強度信号によって反映される信号強度より大きくないことを、前記第１の所定期間において不変のままとなることが含み、
前記複数の光強度信号の中の前記第４の光強度信号によって反映される信号強度が、前記複数の光強度信号の中の前記第３の光強度信号によって反映される信号強度より小さく、さらには前記複数の光強度信号の中の前記第５の光強度信号によって反映される信号強度が、前記複数の光強度信号の中の前記第４の光強度信号によって反映される信号強度より大きいこと、又は前記複数の光強度信号の中の前記第４の光強度信号によって反映される信号強度が、前記複数の光強度信号の中の前記第３の光強度信号によって反映される信号強度より大きく、さらには前記複数の光強度信号の中の前記第５の光強度信号によって反映される信号強度が、前記複数の光強度信号の中の前記第４の光強度信号によって反映される信号強度より小さいことを、前記減少変動規則が含み、
前記複数の光強度信号の中の前記第５の光強度信号によって反映される信号強度が、第４のしきい値より大きくない増加量で、前記複数の光強度信号の中の前記第４の光強度信号によって反映される信号強度より小さくないこと、又は前記第５の光強度信号によって反映される信号強度が、第４のしきい値より大きくない減少量で、前記複数の光強度信号の中の前記第４の光強度信号によって反映される信号強度より大きくないことを、前記第２の所定期間において不変のままとなることが含む、請求項５０又は請求項５１に記載の装置。
【請求項５３】
前記第１の所定期間が、前記プレスジェスチャ又は前記アップリフトジェスチャを生成する前記操作オブジェクトによって前記光センサを遮蔽する時刻とプレスすることを開始するか又はアップリフトすることを開始する時刻との間の時間間隔の標準値であり、
前記第２の所定期間が、前記プレスジェスチャ又は前記アップリフトジェスチャを生成する前記操作オブジェクトがある程度までプレスされたか又はアップリフトされた後で静止している状態を保つ場合に前記光センサが遮蔽される持続時間の標準値である、請求項４４から請求項４９のいずれか一項に記載の装置。
【請求項５４】
前記第３の所定期間が、前記プレスジェスチャ又は前記アップリフトジェスチャを認識する検出時刻と前記プレスジェスチャ又は前記アップリフトジェスチャを生成する前記操作オブジェクトによって前記光センサを遮蔽する時刻との間の時間間隔の標準値である、請求項４６、請求項４９、又は請求項５１に記載の装置。
【請求項５５】
前記第３のしきい値が、前記アップリフトジェスチャ、又は前記プレスジェスチャ、又は少なくとも１つのアップリフトジェスチャと少なくとも１つのプレスジェスチャとを含むジェスチャを生成する前記操作オブジェクトによって前記光センサが遮蔽される場合の光強度の標準的な減少量であり、
前記第４のしきい値が、前記アップリフトジェスチャ、又は前記プレスジェスチャ、又は少なくとも１つのアップリフトジェスチャと少なくとも１つのプレスジェスチャとを含むジェスチャを生成する前記操作オブジェクトによって前記光センサが遮蔽されたあとで、かつアップリフトすること又はプレスすることを開始する前に、前記静止している操作オブジェクトによってもたらされる光強度の標準的な減少量又は増加量であることを含む、請求項４６、請求項４９、又は請求項５２に記載の装置。
【請求項５６】
前記第１のしきい値がＮ／２より小さくないとともに、前記第２のしきい値がＡ／２より小さくない、請求項４５、請求項４８、又は請求項５１に記載の装置。
【請求項５７】
前記端末機器がモーションセンサ又はオリエンテーションセンサを更に含み、当該装置が、
前記モーションセンサ又は前記オリエンテーションセンサによって出力された信号値を受信し、携帯電話が比較的安定した状態にあるかどうかを判定し、もし安定した状態にあるならば、前記の出力された複数の光強度信号の前記変化規則が前記非接触ジェスチャに対応する前記事前設定された変化規則に適合するかどうかを判定する前記ステップを起動するように構成された携帯電話状態判定ユニットであって、前記ステップが前記ジェスチャ認識ユニットによって実行される前記携帯電話状態判定ユニットを更に含む、請求項３２から請求項５６に記載の装置。
【請求項５８】
前記ジェスチャ認識ユニットが、
前記受信ユニットが前記光センサによって出力された前記光強度信号のうちの１つを受信するたびに、前記光センサによって出力され、前記受信ユニットによって前回受信されたか又は複数回受信された前記光強度信号のうちの１つ又は複数に従って、前記の出力された複数の光強度信号の前記変化規則が前記非接触ジェスチャに対応する前記事前設定された変化規則に適合するかどうかを判定するように構成されたリアルタイムジェスチャ認識サブユニットを含む、請求項３２から請求項５７に記載の装置。
【請求項５９】
前記非接触ジェスチャが、上スワイプジェスチャ、又は下スワイプジェスチャ、又は左スワイプジェスチャ、又は右スワイプジェスチャを含むとともに、前記端末アプリケーションが、画像アプリケーション又は電子ブックアプリケーションを含み、
前記上スワイプジェスチャが、前記第１の光センサ及び前記第２の光センサの前記感知範囲における前記操作オブジェクトの下から上へのスワイプを含み、前記下スワイプジェスチャが、前記第１の光センサ及び前記第２の光センサの前記感知範囲における前記操作オブジェクトの上から下へのスワイプを含み、前記左スワイプジェスチャが、前記第１の光センサ及び前記第２の光センサの前記感知範囲における前記操作オブジェクトの右から左へのスワイプを含み、前記右スワイプジェスチャが、前記第１の光センサ及び前記第２の光センサの前記感知範囲における前記操作オブジェクトの左から右へのスワイプを含み、
前記実行ユニットが、前記画像又は電子ブックアプリケーションに対して、前記上スワイプジェスチャ、又は前記下スワイプジェスチャ、又は前記左スワイプジェスチャ、又は前記右スワイプジェスチャにそれぞれ対応する、上方向ページフリッピング若しくはドラッギング、下方向ページフリッピング若しくはドラッギング、左方向ページフリッピング若しくはドラッギング、又は右方向ページフリッピング若しくはドラッギングの制御操作を実行するように構成されたスワイプジェスチャ実行サブユニットを含む、請求項３２から請求項５８に記載の装置。
【請求項６０】
前記非接触ジェスチャが、プレスジェスチャ及び／又はアップリフトジェスチャを含み、前記端末アプリケーションが、画像アプリケーション又は電子ブックアプリケーションを含む場合に、前記実行ユニットが、
前記画像アプリケーション又は前記電子ブックアプリケーションに対して、前記プレスジェスチャ及び／又は前記アップリフトジェスチャに対応するズーム操作を実行するように構成されたアップリフト又はプレスジェスチャ実行サブユニットを含む、請求項３２から請求項５８のいずれか一項に記載の装置。
【請求項６１】
前記アップリフトジェスチャのアップリフト量を取得するように構成されたアップリフト量取得ユニットを更に含み、
前記実行ユニットが、前記画像アプリケーション又は前記電子ブックアプリケーションに対して、前記アップリフトジェスチャに対応するズーム操作を実行するように構成された第１のズーム実行サブユニットであって、前記ズーム操作が実行される場合に前記アップリフト量取得ユニットによって取得された前記アップリフト量に従ってズーム比が決定される前記第１のズーム実行サブユニットを含む、請求項４４、請求項４７、又は請求項５０に記載の装置。
【請求項６２】
前記プレスジェスチャのプレス量を取得するように構成されたプレス量取得ユニットを更に含み、
前記実行ユニットが、前記画像アプリケーション又は前記電子ブックアプリケーションに対して、前記プレスジェスチャに対応するズーム操作を実行するように構成された第２のズーム実行サブユニットであって、前記ズーム操作が実行される場合に前記プレス量取得ユニットによって取得された前記プレス量に従ってズーム比が決定される前記第２のズーム実行サブユニットを含む、請求項４５、請求項４８、又は請求項５１に記載の装置。
【発明の詳細な説明】
【技術分野】
【０００１】
本発明は、通信技術の分野に関し、特に、非接触ジェスチャを使用することにより端末機器を制御するための方法及び装置に関する。
【０００２】
本願は、２０１２年９月２９日に中国特許庁に出願され、“METHOD  AND  APPARATUS  FOR  CONTROLLING  TERMINAL  DEVICE  BY  USING  NON-TOUCH  GESTURE”と表題が付けられた中国特許出願第201210375886.9号、及び２０１２年１０月１２日に中国特許庁に出願され、“METHOD  AND  APPARATUS  FOR  CONTROLLING  TERMINAL  DEVICE  BY  USING  NON-TOUCH  GESTURE”と表題が付けられた中国特許出願第201210387215.4号に対する優先権を主張するとともに、その両方ともがそれらの全体における参照によってここに組み込まれている。
【背景技術】
【０００３】
スマート端末機器の能力の継続的な発展によって、人々は、スマートフォン及びタブレットコンピュータ（タブレット型ＰＣ）のようなスマート端末上で複合的タスクを処理することができ、例えば、電子ブックを読むこと、マルチメディア画像をブラウズすること、音楽及びビデオを再生すること、そしてウェブページをブラウズすることができる。したがって、携帯型スマート端末と頻繁に情報をやりとりすること、例えば、画像の切り替え及びズーミング、音楽及びビデオの一時停止又は再生、ボリューム調整、そしてウェブブラウジングにおけるページドラッギングのような基本動作を行うことがユーザにとって必要である。
【発明の概要】
【発明が解決しようとする課題】
【０００４】
最も多く存在しているスマート端末は、入力のためにタッチジェスチャ（touch  gesture：接触ジェスチャ）認識を一般に採用し、すなわち、タッチ画面上のシングルポイント若しくはマルチポイントタッチ、又はタッチ画面上の指若しくは手のひらの動作は、タッチ画面を通して感知されるとともに、対応する操作命令にマッピングされる。しかしながら、この入力アプローチは、ユーザがタッチ画面上で手によって操作を行わなければならないことを要求し、ユーザに対する多くの制限が存在するとともに、マン−マシン対話の体験が十分に自然ではない。
【０００５】
従来のタッチジェスチャ操作と比較すると、非接触ジェスチャ操作、そして特に、携帯型スマート端末を端末に触れずに手又は腕で制御することは、より滑らかでかつ自然な体験を実現することができるとともに、画面上で手によって操作を行うことがユーザにとって都合が悪いシナリオ（例えば、ユーザが台所で料理をしている場合、又はユーザが冬季に外にいる場合）において、ユーザに大きな利便性を提供することができる。
【０００６】
現存する非接触ジェスチャ認識技術は、２次元及び３次元の光学的画像認識方法などを主として含む。本発明を実施する過程において、発明者は、従来技術が少なくともスマート端末のハードウェア構成についての高いアルゴリズム複雑度、大きな電力消費、及び特別要求事項という欠点を有することを発見し、したがって、スマート端末は、スマート端末の現存するハードウェア構成に基づいて、ソフトウェアを介して簡単かつ能率的に非接触ジェスチャを使用することによって制御されることができない。
【課題を解決するための手段】
【０００７】
これを考慮した結果、スマート端末の現存するハードウェア構成に基づいて、ソフトウェアを介して簡単かつ能率的に非接触ジェスチャを使用することによってスマート端末を制御するために、本発明の実施例は、非接触ジェスチャを使用することにより端末機器を制御するための方法及び装置を提供する。
【０００８】
第１の態様において、本発明は、非接触ジェスチャを使用することにより端末機器を制御するための方法であって、当該方法が１つ又は複数の光センサを含む端末機器に適用でき、当該方法が、一定期間における光強度変化に従って前記光センサによって出力されるとともに前記光強度変化を反映する複数の光強度信号を受信するステップであって、前記光強度変化が前記非接触ジェスチャによって生成される、ステップと、前記の出力された複数の光強度信号の変化規則が前記非接触ジェスチャに対応する事前設定された変化規則に適合するかどうかを判定し、もし適合するならば、前記複数の光強度信号に対応する前記非接触ジェスチャを認識するステップと、前記認識された非接触ジェスチャに対応する制御操作を端末アプリケーションに対して実行するステップとを含む、方法を提供する。
【０００９】
第１の態様の第１の可能な実装例において、前記１つ又は複数の光センサは第１の光センサを含み、前記非接触ジェスチャはスワイプジェスチャを含むとともに、前記スワイプジェスチャは、前記第１の光センサの感知範囲における操作オブジェクトの一方向のスワイプを含み、複数の光強度信号によって反映される光強度が、第１の所定期間において、減少変化規則に適合し、次に増加変化規則に適合することを、前記非接触ジェスチャに対応する前記事前設定された変化規則は含む。
【００１０】
第１の態様の第２の可能な実装例において、前記複数の光センサは第１の光センサ及び第２の光センサを含み、前記非接触ジェスチャは右スワイプジェスチャを含むとともに、前記右スワイプジェスチャは、前記第１の光センサ及び前記第２の光センサの感知範囲における操作オブジェクトの左から右へのスワイプを含み、第２の所定期間内に、前記第１の光センサによって出力された複数の光強度信号によって反映される光強度が、第１の所定期間において、減少変化規則に適合し、次に増加変化規則に適合し、そのあとで、前記第２の光センサによって出力された複数の光強度信号によって反映される光強度が、前記第１の所定期間において、減少変化規則に適合し、次に増加変化規則に適合することを認識し、前記第１の光センサが前記第２の光センサの左側に置かれることを、前記非接触ジェスチャに対応する前記事前設定された変化規則は含む。
【００１１】
第１の態様の第３の可能な実装例において、前記複数の光センサは第１の光センサ及び第２の光センサを含み、前記非接触ジェスチャは左スワイプジェスチャを含むとともに、前記左スワイプジェスチャは、前記第１の光センサ及び前記第２の光センサの感知範囲における操作オブジェクトの右から左へのスワイプを含み、第２の所定期間内に、前記第２の光センサによって出力された複数の光強度信号によって反映される光強度が、第１の所定期間において、減少変化規則に適合し、次に増加変化規則に適合し、そのあとで、前記第１の光センサによって出力された複数の光強度信号によって反映される光強度が、前記第１の所定期間において、減少変化規則に適合し、次に増加変化規則に適合することを認識し、前記第１の光センサが前記第２の光センサの左側に置かれることを、前記非接触ジェスチャに対応する前記事前設定された変化規則は含む。
【００１２】
第１の態様の第２又は第３の可能な実装例を参照すると、第４の可能な実装例において、前記端末機器が複数の光センサを含む場合に、あらゆる２つの隣接する光センサの配置位置の間に同等の水平距離が存在し、前記水平距離は最大である。
【００１３】
第１の態様の第５の可能な実装例において、前記複数の光センサは第１の光センサ及び第２の光センサを含み、前記非接触ジェスチャは下スワイプジェスチャを含むとともに、前記下スワイプジェスチャは、前記第１の光センサ及び前記第２の光センサの感知範囲における操作オブジェクトの上から下へのスワイプを含み、第２の所定期間内に、前記第１の光センサによって出力された複数の光強度信号によって反映される光強度が、第１の所定期間において、減少変化規則に適合し、次に増加変化規則に適合し、そのあとで、前記第２の光センサによって出力された複数の光強度信号によって反映される光強度が、前記第１の所定期間において、減少変化規則に適合し、次に増加変化規則に適合することを認識し、前記第１の光センサが前記第２の光センサの上側に置かれることを、前記非接触ジェスチャに対応する前記事前設定された変化規則は含む。
【００１４】
第１の態様の第６の可能な実装例において、前記複数の光センサは第１の光センサ及び第２の光センサを含み、前記非接触ジェスチャは上スワイプジェスチャを含むとともに、前記上スワイプジェスチャは、前記第１の光センサ及び前記第２の光センサの感知範囲における操作オブジェクトの下から上へのスワイプを含み、第２の所定期間内に、前記第２の光センサによって出力された複数の光強度信号によって反映される光強度が、第１の所定期間において、減少変化規則に適合し、次に増加変化規則に適合し、そのあとで、前記第１の光センサによって出力された複数の光強度信号によって反映される光強度が、前記第１の所定期間において、減少変化規則に適合し、次に増加変化規則に適合することを認識し、前記第１の光センサが前記第２の光センサの上側に置かれることを、前記非接触ジェスチャに対応する前記事前設定された変化規則は含む。
【００１５】
第１の態様の第５又は第６の可能な実装例を参照すると、第７の可能な実装例において、前記端末機器が複数の光センサを含む場合に、あらゆる２つの隣接する光センサの配置位置の間に同等の垂直距離が存在し、前記垂直距離は最大である。
【００１６】
第１の態様の第１から第７の可能な実装例のいずれか１つを参照すると、第８の可能な実装例において、前記第１の所定期間は、いずれかのセンサに関してユーザが一方向のスワイプをする場合に必要とされる時間の標準値であり、前記一方向のスワイプは、下記の、左から右へのスワイプ、右から左へのスワイプ、上から下へのスワイプ、及び下から上へのスワイプのうちのいずれか１つであり得る。
【００１７】
第１の態様の第２から第７の可能な実装例のいずれか１つを参照すると、第９の可能な実装例において、前記第２の所定期間は、前記第１の光センサによって出力された前記複数の光強度信号に対応する前記第１のスワイプジェスチャを認識する第１の時刻と前記第２の光センサによって出力された前記複数の光強度信号に対応する前記第２のスワイプジェスチャを認識する第２の時刻との間の時間間隔の標準値である。
【００１８】
第１の態様の第１から第９の可能な実装例のいずれか１つを参照すると、第１０の可能な実装例において、前記複数の光強度信号は、第１の光強度信号、第２の光強度信号、及び第３の光強度信号を含み、前記第２の光強度信号を受信する時刻は前記第１の光強度信号を受信する時刻より遅く、前記第３の光強度信号を受信する時刻は前記第２の光強度信号を受信する時刻より遅いとともに、前記第２の光強度信号によって反映される信号強度が、第１のしきい値より小さくない減少量で、前記複数の光強度信号の中の前記第１の光強度信号によって反映される信号強度より小さいことを、前記減少変化規則は含み、前記第３の光強度信号によって反映される信号強度が、第２のしきい値より小さくない増加量で、前記複数の光強度信号の中の前記第２の光強度信号によって反映される信号強度より大きいことを、前記増加変化規則は含む。
【００１９】
第１の態様の第１１の可能な実装例において、前記第１のしきい値は、前記スワイプジェスチャを生成する前記操作オブジェクトによって前記光センサが遮蔽される場合の光強度の標準的な減少量であり、前記第２のしきい値は、前記光センサが遮蔽されたあとで前記スワイプジェスチャを生成する前記操作オブジェクトが離れる場合の光強度の標準的な増加量である。
【００２０】
第１の態様の第１２の可能な実装例において、前記光センサは第１の光センサを含み、前記非接触ジェスチャはアップリフトジェスチャを含むとともに、前記アップリフトジェスチャは、前記第１の光センサの感知範囲における操作オブジェクトの前記第１の光センサから離れる方向における漸進運動を含み、複数の光強度信号によって反映される光強度が、第１の減少変化規則に適合し、それから第１の所定期間において不変のままとなり、次に増加変化規則に適合し、そのあとで第２の所定期間において不変のままとなることを、前記非接触ジェスチャに対応する前記事前設定された変化規則は含む。
【００２１】
第１の態様の第１３の可能な実装例において、前記光センサは第１の光センサを含み、前記非接触ジェスチャはプレスジェスチャを含むとともに、前記プレスジェスチャは、前記第１の光センサの感知範囲における操作オブジェクトの前記第１の光センサに向かう方向における漸進運動を含み、複数の光強度信号によって反映される光強度が、第１の減少変化規則に適合し、それから第１の所定期間において不変のままとなり、次に第２の減少変化規則に適合し、そのあとで第２の所定期間において不変のままとなることを、前記非接触ジェスチャに対応する前記事前設定された変化規則は含む。
【００２２】
第１の態様の第１４の可能な実装例において、前記光センサは第１の光センサを含み、前記非接触ジェスチャは少なくとも１つのアップリフトジェスチャ及び少なくとも１つのプレスジェスチャを含むとともに、前記プレスジェスチャは、前記第１の光センサの感知範囲における操作オブジェクトの前記第１の光センサに向かう方向における漸進運動を含み、前記アップリフトジェスチャは、前記第１の光センサの前記感知範囲における前記操作オブジェクトの前記第１の光センサから離れる方向における漸進運動を含み、光強度が、第１の減少変化規則に適合し、それから第１の所定期間において不変のままとなり、次にハイ（high）とロー（low）との間を変動し、そのあとで第２の所定期間において不変のままとなることを、前記非接触ジェスチャに対応する前記事前設定された変化規則は含む。
【００２３】
第１の態様の第１５の可能な実装例において、前記複数の光センサはＮ個の光センサであり、前記非接触ジェスチャはアップリフトジェスチャを含むとともに、前記アップリフトジェスチャは、前記Ｎ個の光センサの中の少なくとも２つの光センサの感知範囲における操作オブジェクトの前記少なくとも２つの光センサから離れる方向における漸進運動を含み、前記Ｎ個の光センサの中のＡ個の光センサによって出力された光強度信号によって反映される光強度が、第１の減少変化規則にそれぞれ適合し、それから第１の所定期間において不変のままとなり、次に前記Ａ個の光センサの中のＢ個の光センサによって出力された光強度信号によって反映される光強度が、増加変化規則にそれぞれ適合し、それから前記Ｂ個の光センサのうちの少なくとも１つによって出力された光強度信号によって反映される光強度が、それぞれ第２の所定期間において不変のままとなることを、前記非接触ジェスチャに対応する前記事前設定された変化規則は含み、Ｎ、Ａ、及びＢは１より大きい整数であり、ＡはＮより大きくないとともに第１のしきい値より小さくなく、そしてＢはＡより大きくないとともに第２のしきい値より小さくない。
【００２４】
第１の態様の第１６の可能な実装例において、前記複数の光センサはＮ個の光センサであり、前記非接触ジェスチャはプレスジェスチャを含むとともに、前記プレスジェスチャは、前記Ｎ個の光センサの中の少なくとも２つの光センサの感知範囲における操作オブジェクトの前記少なくとも２つの光センサに向かう方向における漸進運動を含み、前記Ｎ個の光センサの中のＡ個の光センサによって出力された光強度信号によって反映される光強度が、第１の減少変化規則にそれぞれ適合し、それから第１の所定期間において不変のままとなり、次に前記Ａ個の光センサの中のＢ個の光センサによって出力された光強度信号によって反映される光強度が、第２の減少変化規則にそれぞれ適合し、それから前記Ｂ個の光センサのうちの少なくとも１つによって出力された光強度信号によって反映される光強度が、それぞれ第２の所定期間において不変のままとなることを、前記非接触ジェスチャに対応する前記事前設定された変化規則は含み、Ｎ、Ａ、及びＢは１より大きい整数であり、ＡはＮより大きくないとともに第１のしきい値より小さくなく、そしてＢはＡより大きくないとともに第２のしきい値より小さくない。
【００２５】
第１の態様の第１７の可能な実装例において、前記複数の光センサはＮ個の光センサであり、前記非接触ジェスチャは少なくとも１つのプレスジェスチャ及び少なくとも１つのアップリフトジェスチャを含むとともに、前記プレスジェスチャは、前記Ｎ個の光センサの中の少なくとも２つの光センサの感知範囲における操作オブジェクトの前記少なくとも２つの光センサに向かう方向における漸進運動を含み、前記アップリフトジェスチャは、前記Ｎ個の光センサの中の少なくとも２つの光センサの感知範囲における前記操作オブジェクトの前記少なくとも２つの光センサから離れる方向における漸進運動を含み、前記Ｎ個の光センサの中のＡ個の光センサによって出力された光強度信号によって反映される光強度が、第１の減少変化規則にそれぞれ適合し、それから第１の所定期間において不変のままとなり、次に前記Ａ個の光センサの中のＢ個の光センサによって出力された光強度信号によって反映される光強度が、減少変動規則にそれぞれ適合し、それから前記Ｂ個の光センサのうちの少なくとも１つによって出力された光強度信号によって反映される光強度が、それぞれ第２の所定期間において不変のままとなることを、前記非接触ジェスチャに対応する前記事前設定された変化規則は含み、Ｎ、Ａ、及びＢは１より大きい整数であり、ＡはＮより大きくないとともに第１のしきい値より小さくなく、そしてＢはＡより大きくないとともに第２のしきい値より小さくない。
【００２６】
第１の態様の第１２又は第１５の可能な実装例を参照すると、第１８の可能な実装例において、前記複数の光強度信号は、第１の光強度信号、第２の光強度信号、第３の光強度信号、第４の光強度信号、及び第５の光強度信号を含み、前記第２の光強度信号を受信する時刻は前記第１の光強度信号を受信する時刻より遅く、前記第３の光強度信号を受信する時刻は前記第２の光強度信号を受信する時刻より遅く、前記第４の光強度信号を受信する時刻は前記第３の光強度信号を受信する時刻より遅く、そして前記第５の光強度信号を受信する時刻は前記第４の光強度信号を受信する時刻より遅いとともに、第３の所定期間において、前記第２の光強度信号によって反映される信号強度が、第３のしきい値より小さくない減少量で、前記複数の光強度信号の中の前記第１の光強度信号によって反映される信号強度より小さいことを、前記第１の減少変化規則は含み、前記複数の光強度信号の中の前記第３の光強度信号によって反映される信号強度が、第４のしきい値より大きくない増加量で、前記複数の光強度信号の中の前記第２の光強度信号によって反映される信号強度より小さくないこと、又は前記第３の光強度信号によって反映される信号強度が、第４のしきい値より大きくない減少量で、前記複数の光強度信号の中の前記第２の光強度信号によって反映される信号強度より大きくないことを、前記第１の所定期間において不変のままとなることは含み、前記複数の光強度信号の中の前記第４の光強度信号によって反映される信号強度が、前記複数の光強度信号の中の前記第３の光強度信号によって反映される信号強度より大きいことを、前記増加変化規則は含み、前記複数の光強度信号の中の前記第５の光強度信号によって反映される信号強度が、第４のしきい値より大きくない増加量で、前記複数の光強度信号の中の前記第４の光強度信号によって反映される信号強度より小さくないこと、又は前記第５の光強度信号によって反映される信号強度が、第４のしきい値より大きくない減少量で、前記複数の光強度信号の中の前記第４の光強度信号によって反映される信号強度より大きくないことを、前記第２の所定期間において不変のままとなることは含む。
【００２７】
第１の態様の第１３又は第１６の可能な実装例を参照すると、第１９の可能な実装例において、前記複数の光強度信号は、第１の光強度信号、第２の光強度信号、第３の光強度信号、第４の光強度信号、及び第５の光強度信号を含み、前記第２の光強度信号を受信する時刻は前記第１の光強度信号を受信する時刻より遅く、前記第３の光強度信号を受信する時刻は前記第２の光強度信号を受信する時刻より遅く、前記第４の光強度信号を受信する時刻は前記第３の光強度信号を受信する時刻より遅く、そして前記第５の光強度信号を受信する時刻は前記第４の光強度信号を受信する時刻より遅いとともに、第３の所定期間において、前記第２の光強度信号によって反映される信号強度が、第３のしきい値より小さくない減少量で、前記複数の光強度信号の中の前記第１の光強度信号によって反映される信号強度より小さいことを、前記第１の減少変化規則は含み、前記複数の光強度信号の中の前記第３の光強度信号によって反映される信号強度が、第４のしきい値より大きくない増加量で、前記複数の光強度信号の中の前記第２の光強度信号によって反映される信号強度より小さくないこと、又は前記第３の光強度信号によって反映される信号強度が、第４のしきい値より大きくない減少量で、前記複数の光強度信号の中の前記第２の光強度信号によって反映される信号強度より大きくないことを、前記第１の所定期間において不変のままとなることは含み、前記複数の光強度信号の中の前記第４の光強度信号によって反映される信号強度が、前記複数の光強度信号の中の前記第３の光強度信号によって反映される信号強度より小さいことを、前記第２の減少変化規則は含み、前記複数の光強度信号の中の前記第５の光強度信号によって反映される信号強度が、第４のしきい値より大きくない増加量で、前記複数の光強度信号の中の前記第４の光強度信号によって反映される信号強度より小さくないこと、又は前記第５の光強度信号によって反映される信号強度が、第４のしきい値より大きくない減少量で、前記複数の光強度信号の中の前記第４の光強度信号によって反映される信号強度より大きくないことを、前記第２の所定期間において不変のままとなることは含む。
【００２８】
第１の態様の第１４又は第１７の可能な実装例を参照すると、第２０の可能な実装例において、前記複数の光強度信号は、第１の光強度信号、第２の光強度信号、第３の光強度信号、第４の光強度信号、第５の光強度信号、及び第６の光強度信号を含み、前記第２の光強度信号を受信する時刻は前記第１の光強度信号を受信する時刻より遅く、前記第３の光強度信号を受信する時刻は前記第２の光強度信号を受信する時刻より遅く、前記第４の光強度信号を受信する時刻は前記第３の光強度信号を受信する時刻より遅く、前記第５の光強度信号を受信する時刻は前記第４の光強度信号を受信する時刻より遅く、そして前記第６の光強度信号を受信する時刻は前記第５の光強度信号を受信する時刻より遅いとともに、第３の所定期間において、前記第２の光強度信号によって反映される信号強度が、第３のしきい値より小さくない減少量で、前記複数の光強度信号の中の前記第１の光強度信号によって反映される信号強度より小さいことを、前記第１の減少変化規則は含み、前記複数の光強度信号の中の前記第３の光強度信号によって反映される信号強度が、第４のしきい値より大きくない増加量で、前記複数の光強度信号の中の前記第２の光強度信号によって反映される信号強度より小さくないこと、又は前記第３の光強度信号によって反映される信号強度が、第４のしきい値より大きくない減少量で、前記複数の光強度信号の中の前記第２の光強度信号によって反映される信号強度より大きくないことを、前記第１の所定期間において不変のままとなることは含み、前記複数の光強度信号の中の前記第４の光強度信号によって反映される信号強度が、前記複数の光強度信号の中の前記第３の光強度信号によって反映される信号強度より小さいことを、前記第２の減少変化規則は含み、前記複数の光強度信号の中の前記第４の光強度信号によって反映される信号強度が、前記複数の光強度信号の中の前記第３の光強度信号によって反映される信号強度より小さく、さらには前記複数の光強度信号の中の前記第５の光強度信号によって反映される信号強度が、前記複数の光強度信号の中の前記第４の光強度信号によって反映される信号強度より大きいこと、又は前記複数の光強度信号の中の前記第４の光強度信号によって反映される信号強度が、前記複数の光強度信号の中の前記第３の光強度信号によって反映される信号強度より大きく、さらには前記複数の光強度信号の中の前記第５の光強度信号によって反映される信号強度が、前記複数の光強度信号の中の前記第４の光強度信号によって反映される信号強度より小さいことを、前記減少変動規則は含み、前記複数の光強度信号の中の前記第６の光強度信号によって反映される信号強度が、第４のしきい値より大きくない増加量で、前記複数の光強度信号の中の前記第５の光強度信号によって反映される信号強度より小さくないこと、又は前記第６の光強度信号によって反映される信号強度が、第４のしきい値より大きくない減少量で、前記複数の光強度信号の中の前記第５の光強度信号によって反映される信号強度より大きくないことを、前記第２の所定期間において不変のままとなることは含む。
【００２９】
第１の態様の第１２から第１７の可能な実装例のいずれか１つを参照すると、第２１の可能な実装例において、前記第１の所定期間は、前記プレスジェスチャ又は前記アップリフトジェスチャを生成する前記操作オブジェクトによって前記光センサを遮蔽する時刻とプレスすることを開始するか又はアップリフトすることを開始する時刻との間の時間間隔の標準値であり、前記第２の所定期間は、前記プレスジェスチャ又は前記アップリフトジェスチャを生成する前記操作オブジェクトがある程度までプレスされたか又はアップリフトされた後で静止している状態を保つ場合に前記光センサが遮蔽される持続時間の標準値であり、前記第３の所定期間は、前記プレスジェスチャ又は前記アップリフトジェスチャを認識する検出時刻と前記プレスジェスチャ又は前記アップリフトジェスチャを生成する前記操作オブジェクトによって前記光センサを遮蔽する時刻との間の時間間隔の標準値である。
【００３０】
第１の態様の第１８から第２０の可能な実装例のいずれか１つを参照すると、第２２の可能な実装例において、前記第３のしきい値は、前記アップリフトジェスチャ、又は前記プレスジェスチャ、又は少なくとも１つのアップリフトジェスチャと少なくとも１つのプレスジェスチャとを含むジェスチャを生成する前記操作オブジェクトによって前記光センサが遮蔽される場合の光強度の標準的な減少量であり、前記第４のしきい値は、前記アップリフトジェスチャ、又は前記プレスジェスチャ、又は少なくとも１つのアップリフトジェスチャと少なくとも１つのプレスジェスチャとを含むジェスチャを生成する前記操作オブジェクトによって前記光センサが遮蔽されたあとで、かつアップリフトすること又はプレスすることを開始する前に、前記静止している操作オブジェクトによってもたらされる光強度の標準的な減少量又は増加量である。
【００３１】
第１の態様の第１５から第１７の可能な実装例のいずれか１つを参照すると、第２３の可能な実装例において、前記第１のしきい値はＮ／２より小さくないとともに、前記第２のしきい値はＡ／２より小さくない。
【００３２】
第１の態様の第１から第２３の可能な実装例のいずれか１つを参照すると、第２４の可能な実装例において、前記端末機器がモーションセンサ又はオリエンテーションセンサを含み、前記モーションセンサ又は前記オリエンテーションセンサによって出力された信号値を受信し、携帯電話が比較的安定した状態にあるかどうかを判定し、もし安定した状態にないならば、前記の出力された複数の光強度信号の前記変化規則が前記非接触ジェスチャに対応する前記事前設定された変化規則に適合するかどうかを判定する前記ステップを起動しない。
【００３３】
第１の態様の第１から第２４の可能な実装例のいずれか１つを参照すると、第２５の可能な実装例において、前記の出力された複数の光強度信号の前記変化規則が前記非接触ジェスチャに対応する前記事前設定された変化規則に適合するかどうかを判定する前記ステップは、前記光センサによって出力された前記光強度信号のうちの１つが受信されるたびに、前記光センサによって出力され、前回受信されたか又は複数回受信された前記光強度信号のうちの１つ又は複数に従って、前記の出力された複数の光強度信号の前記変化規則が前記非接触ジェスチャに対応する前記事前設定された変化規則に適合するかどうかを判定するステップを含む。
【００３４】
第１の態様の第１から第２５の可能な実装例のいずれか１つを参照すると、第２６の可能な実装例において、前記非接触ジェスチャは、上スワイプジェスチャ、又は下スワイプジェスチャ、又は左スワイプジェスチャ、又は右スワイプジェスチャを含むとともに、前記端末アプリケーションは、画像アプリケーション又は電子ブックアプリケーションを含み、前記上スワイプジェスチャは、前記第１の光センサ及び前記第２の光センサの前記感知範囲における前記操作オブジェクトの下から上へのスワイプを含み、前記下スワイプジェスチャは、前記第１の光センサ及び前記第２の光センサの前記感知範囲における前記操作オブジェクトの上から下へのスワイプを含み、前記左スワイプジェスチャは、前記第１の光センサ及び前記第２の光センサの前記感知範囲における前記操作オブジェクトの右から左へのスワイプを含み、前記右スワイプジェスチャは、前記第１の光センサ及び前記第２の光センサの前記感知範囲における前記操作オブジェクトの左から右へのスワイプを含み、前記認識された非接触ジェスチャに対応する制御操作を端末アプリケーションに対して実行する前記ステップは、前記画像又は電子ブックアプリケーションに対して、前記上スワイプジェスチャ、又は前記下スワイプジェスチャ、又は前記左スワイプジェスチャ、又は前記右スワイプジェスチャにそれぞれ対応する、上方向ページフリッピング若しくはドラッギング、下方向ページフリッピング若しくはドラッギング、左方向ページフリッピング若しくはドラッギング、又は右方向ページフリッピング若しくはドラッギングの制御操作を実行するステップを含む。
【００３５】
第１の態様の第１から第２５の可能な実装例のいずれか１つを参照すると、第２７の可能な実装例において、前記非接触ジェスチャが、プレスジェスチャ及び／又はアップリフトジェスチャを含み、前記端末アプリケーションが、画像アプリケーション又は電子ブックアプリケーションを含む場合に、前記認識された非接触ジェスチャに対応する制御操作を端末アプリケーションに対して実行する前記ステップは、前記画像アプリケーション又は前記電子ブックアプリケーションに対して、前記プレスジェスチャ及び／又は前記アップリフトジェスチャに対応するズーム操作を実行するステップを含む。
【００３６】
第１の態様の第１２、第１５、及び第１８の可能な実装例のいずれか１つを参照すると、第２８の可能な実装例において、当該方法は、前記アップリフトジェスチャのアップリフト量を取得するステップを更に含み、前記認識された非接触ジェスチャに対応する制御操作を端末アプリケーションに対して実行する前記ステップは、前記画像アプリケーション又は前記電子ブックアプリケーションに対して、前記アップリフトジェスチャに対応するズーム操作を実行するステップであって、前記ズーム操作が実行される場合に前記アップリフト量に従ってズーム比が決定されるステップを含む。
【００３７】
第１の態様の第１３、第１６、及び第１９の可能な実装例のいずれか１つを参照すると、第２９の可能な実装例において、当該方法は、前記プレスジェスチャのプレス量を取得するステップを更に含み、前記認識された非接触ジェスチャに対応する制御操作を端末アプリケーションに対して実行する前記ステップは、前記画像アプリケーション又は前記電子ブックアプリケーションに対して、前記プレスジェスチャに対応するズーム操作を実行するステップであって、前記ズーム操作が実行される場合に前記プレス量に従ってズーム比が決定されるステップを含む。
【００３８】
第１の態様の第３０の可能な実装例において、前記複数の光センサはＮ個の光センサであり、前記非接触ジェスチャはアップリフトジェスチャを含むとともに、前記アップリフトジェスチャは、前記Ｎ個の光センサの中の少なくとも２つの光センサの感知範囲における操作オブジェクトの前記少なくとも２つの光センサから離れる方向における漸進運動を含み、前記Ｎ個の光センサの中のＡ個の光センサのそれぞれによって出力された複数の光強度信号によって反映される光強度が、第１の減少変化規則にそれぞれ適合し、それから第１の所定期間において不変のままとなり、次に前記Ａ個の光センサの中のＢ個の光センサのそれぞれによって出力された複数の光強度信号によって反映される光強度が、増加変化規則にそれぞれ適合し、それから前記Ｂ個の光センサのうちの少なくとも１つによって出力された光強度信号によって反映される光強度が、それぞれ第２の所定期間において不変のままとなることを、前記非接触ジェスチャに対応する前記事前設定された変化規則は含み、Ｎ、Ａ、及びＢは１より大きい整数であり、ＡはＮより大きくないとともに第１のしきい値より小さくなく、そしてＢはＡより大きくないとともに第２のしきい値より小さくない。
【００３９】
第１の態様の第１２又は第１３の可能な実装例を参照すると、第３１の可能な実装例において、前記複数の光強度信号は、第１の光強度信号、第２の光強度信号、第３の光強度信号、第４の光強度信号、及び第５の光強度信号を含み、前記第２の光強度信号を受信する時刻は前記第１の光強度信号を受信する時刻より遅く、前記第３の光強度信号を受信する時刻は前記第２の光強度信号を受信する時刻より遅く、前記第４の光強度信号を受信する時刻は前記第３の光強度信号を受信する時刻より遅く、そして前記第５の光強度信号を受信する時刻は前記第４の光強度信号を受信する時刻より遅いとともに、第３の所定期間において、前記第２の光強度信号によって反映される信号強度が、第３のしきい値より小さくない減少量で、前記複数の光強度信号の中の前記第１の光強度信号によって反映される信号強度より小さいことを、前記第１の減少変化規則は含み、前記複数の光強度信号の中の前記第３の光強度信号によって反映される信号強度が、第４のしきい値より大きくない増加量で、前記複数の光強度信号の中の前記第２の光強度信号によって反映される信号強度より小さくないこと、又は前記第３の光強度信号によって反映される信号強度が、第４のしきい値より大きくない減少量で、前記複数の光強度信号の中の前記第２の光強度信号によって反映される信号強度より大きくないことを、前記第１の所定期間において不変のままとなることは含み、前記複数の光強度信号の中の前記第４の光強度信号によって反映される信号強度が、前記複数の光強度信号の中の前記第３の光強度信号によって反映される信号強度より大きいことを、前記増加変化規則は含み、前記複数の光強度信号の中の前記第５の光強度信号によって反映される信号強度が、第４のしきい値より大きくない増加量で、前記複数の光強度信号の中の前記第４の光強度信号によって反映される信号強度より小さくないこと、又は前記第５の光強度信号によって反映される信号強度が、第４のしきい値より大きくない減少量で、前記複数の光強度信号の中の前記第４の光強度信号によって反映される信号強度より大きくないことを、前記第２の所定期間において不変のままとなることは含む。
【００４０】
第１の態様の第３２の可能な実装例において、前記複数の光センサはＮ個の光センサであり、前記非接触ジェスチャはプレスジェスチャを含むとともに、前記プレスジェスチャは、前記Ｎ個の光センサの中の少なくとも２つの光センサの感知範囲における操作オブジェクトの前記少なくとも２つの光センサに向かう方向における漸進運動を含み、前記Ｎ個の光センサの中のＡ個の光センサのそれぞれによって出力された複数の光強度信号によって反映される光強度が、第１の減少変化規則にそれぞれ適合し、それから第１の所定期間において不変のままとなり、次に前記Ａ個の光センサの中のＢ個の光センサのそれぞれによって出力された複数の光強度信号によって反映される光強度が、第２の減少変化規則にそれぞれ適合し、それから前記Ｂ個の光センサのうちの少なくとも１つによって出力された光強度信号によって反映される光強度が、それぞれ第２の所定期間において不変のままとなることを、前記非接触ジェスチャに対応する前記事前設定された変化規則は含み、Ｎ、Ａ、及びＢは１より大きい整数であり、ＡはＮより大きくないとともに第１のしきい値より小さくなく、そしてＢはＡより大きくないとともに第２のしきい値より小さくない。
【００４１】
第１の態様の第１３又は第３２の可能な実装例を参照すると、第３３の可能な実装例において、前記複数の光強度信号は、第１の光強度信号、第２の光強度信号、第３の光強度信号、第４の光強度信号、及び第５の光強度信号を含み、前記第２の光強度信号を受信する時刻は前記第１の光強度信号を受信する時刻より遅く、前記第３の光強度信号を受信する時刻は前記第２の光強度信号を受信する時刻より遅く、前記第４の光強度信号を受信する時刻は前記第３の光強度信号を受信する時刻より遅く、そして前記第５の光強度信号を受信する時刻は前記第４の光強度信号を受信する時刻より遅いとともに、第３の所定期間において、前記第２の光強度信号によって反映される信号強度が、第３のしきい値より小さくない減少量で、前記複数の光強度信号の中の前記第１の光強度信号によって反映される信号強度より小さいことを、前記第１の減少変化規則は含み、前記複数の光強度信号の中の前記第３の光強度信号によって反映される信号強度が、第４のしきい値より大きくない増加量で、前記複数の光強度信号の中の前記第２の光強度信号によって反映される信号強度より小さくないこと、又は前記第３の光強度信号によって反映される信号強度が、第４のしきい値より大きくない減少量で、前記複数の光強度信号の中の前記第２の光強度信号によって反映される信号強度より大きくないことを、前記第１の所定期間において不変のままとなることは含み、前記複数の光強度信号の中の前記第４の光強度信号によって反映される信号強度が、前記複数の光強度信号の中の前記第３の光強度信号によって反映される信号強度より小さいことを、前記第２の減少変化規則は含み、前記複数の光強度信号の中の前記第５の光強度信号によって反映される信号強度が、第４のしきい値より大きくない増加量で、前記複数の光強度信号の中の前記第４の光強度信号によって反映される信号強度より小さくないこと、又は前記第５の光強度信号によって反映される信号強度が、第４のしきい値より大きくない減少量で、前記複数の光強度信号の中の前記第４の光強度信号によって反映される信号強度より大きくないことを、前記第２の所定期間において不変のままとなることは含む。
【００４２】
第１の態様の第３４の可能な実装例において、前記光センサは第１の光センサを含み、前記非接触ジェスチャは少なくとも１つのアップリフトジェスチャ及び少なくとも１つのプレスジェスチャを含むとともに、前記プレスジェスチャは、前記第１の光センサの感知範囲における操作オブジェクトの前記第１の光センサに向かう方向における漸進運動を含み、前記アップリフトジェスチャは、前記第１の光センサの前記感知範囲における前記操作オブジェクトの前記第１の光センサから離れる方向における漸進運動を含み、光強度が、第１の減少変化規則に適合し、それから第１の所定期間において不変のままとなり、次に減少変動規則に適合し、そのあとで第２の所定期間において不変のままとなることを、前記非接触ジェスチャに対応する前記事前設定された変化規則は含む。
【００４３】
第１の態様の第１７又は第３４の可能な実装例を参照すると、第３５の可能な実装例において、前記複数の光強度信号は、第１の光強度信号、第２の光強度信号、第３の光強度信号、第４の光強度信号、第５の光強度信号、及び第６の光強度信号を含み、前記第２の光強度信号を受信する時刻は前記第１の光強度信号を受信する時刻より遅く、前記第３の光強度信号を受信する時刻は前記第２の光強度信号を受信する時刻より遅く、前記第４の光強度信号を受信する時刻は前記第３の光強度信号を受信する時刻より遅く、前記第５の光強度信号を受信する時刻は前記第４の光強度信号を受信する時刻より遅く、そして前記第６の光強度信号を受信する時刻は前記第５の光強度信号を受信する時刻より遅いとともに、第３の所定期間において、前記第２の光強度信号によって反映される信号強度が、第３のしきい値より小さくない減少量で、前記複数の光強度信号の中の前記第１の光強度信号によって反映される信号強度より小さいことを、前記第１の減少変化規則は含み、前記複数の光強度信号の中の前記第３の光強度信号によって反映される信号強度が、第４のしきい値より大きくない増加量で、前記複数の光強度信号の中の前記第２の光強度信号によって反映される信号強度より小さくないこと、又は前記第３の光強度信号によって反映される信号強度が、第４のしきい値より大きくない減少量で、前記複数の光強度信号の中の前記第２の光強度信号によって反映される信号強度より大きくないことを、前記第１の所定期間において不変のままとなることは含み、前記複数の光強度信号の中の前記第４の光強度信号によって反映される信号強度が、前記複数の光強度信号の中の前記第３の光強度信号によって反映される信号強度より小さいことを、前記第２の減少変化規則は含み、前記複数の光強度信号の中の前記第４の光強度信号によって反映される信号強度が、前記複数の光強度信号の中の前記第３の光強度信号によって反映される信号強度より小さく、さらには前記複数の光強度信号の中の前記第５の光強度信号によって反映される信号強度が、前記複数の光強度信号の中の前記第４の光強度信号によって反映される信号強度より大きいこと、又は前記複数の光強度信号の中の前記第４の光強度信号によって反映される信号強度が、前記複数の光強度信号の中の前記第３の光強度信号によって反映される信号強度より大きく、さらには前記複数の光強度信号の中の前記第５の光強度信号によって反映される信号強度が、前記複数の光強度信号の中の前記第４の光強度信号によって反映される信号強度より小さいことを、前記減少変動規則は含み、前記複数の光強度信号の中の前記第６の光強度信号によって反映される信号強度が、第４のしきい値より大きくない増加量で、前記複数の光強度信号の中の前記第５の光強度信号によって反映される信号強度より小さくないこと、又は前記第６の光強度信号によって反映される信号強度が、第４のしきい値より大きくない減少量で、前記複数の光強度信号の中の前記第５の光強度信号によって反映される信号強度より大きくないことを、前記第２の所定期間において不変のままとなることは含む。
【００４４】
第１の態様の第１２、第１３、及び第３０から第３３の可能な実装例のいずれか１つを参照すると、第３６の可能な実装例において、前記第１の所定期間は、前記プレスジェスチャ又は前記アップリフトジェスチャを生成する前記操作オブジェクトによって前記光センサを遮蔽する時刻とプレスすることを開始するか又はアップリフトすることを開始する時刻との間の時間間隔の標準値であり、前記第２の所定期間は、前記プレスジェスチャ又は前記アップリフトジェスチャを生成する前記操作オブジェクトがある程度までプレスされたか又はアップリフトされた後で静止している状態を保つ場合に前記光センサが遮蔽される持続時間の標準値である。
【００４５】
第１の態様の第３１、第３３、及び第３５の可能な実装例のいずれか１つを参照すると、第３７の可能な実装例において、前記第３の所定期間は、前記プレスジェスチャ又は前記アップリフトジェスチャを認識する検出時刻と前記プレスジェスチャ又は前記アップリフトジェスチャを生成する前記操作オブジェクトによって前記光センサを遮蔽する時刻との間の時間間隔の標準値である。
【００４６】
第１の態様の第３１、第３３、及び第３５の可能な実装例のいずれか１つを参照すると、第３８の可能な実装例において、前記第３のしきい値は、前記アップリフトジェスチャ、又は前記プレスジェスチャ、又は少なくとも１つのアップリフトジェスチャと少なくとも１つのプレスジェスチャとを含むジェスチャを生成する前記操作オブジェクトによって前記光センサが遮蔽される場合の光強度の標準的な減少量であり、前記第４のしきい値は、前記アップリフトジェスチャ、又は前記プレスジェスチャ、又は少なくとも１つのアップリフトジェスチャと少なくとも１つのプレスジェスチャとを含むジェスチャを生成する前記操作オブジェクトによって前記光センサが遮蔽されたあとで、かつアップリフトすること又はプレスすることを開始する前に、前記静止している操作オブジェクトによってもたらされる光強度の標準的な減少量又は増加量であることを含む。
【００４７】
第１の態様の第１７、第３０、及び第３２の可能な実装例のいずれか１つを参照すると、第３９の可能な実装例において、前記第１のしきい値はＮ／２より小さくないとともに、前記第２のしきい値はＡ／２より小さくない。
【００４８】
第１の態様、又は第１の態様の第１から第３９の可能な実装例のいずれか１つを参照すると、第４０の可能な実装例において、前記端末機器がモーションセンサ又はオリエンテーションセンサを含み、前記モーションセンサ又は前記オリエンテーションセンサによって出力された信号値を受信し、携帯電話が比較的安定した状態にあるかどうかを判定し、もし安定した状態にあるならば、前記の出力された複数の光強度信号の前記変化規則が前記非接触ジェスチャに対応する前記事前設定された変化規則に適合するかどうかを判定する前記ステップを起動する。
【００４９】
第１の態様、又は第１の態様の第１から第４０の可能な実装例のいずれか１つを参照すると、第４１の可能な実装例において、前記の出力された複数の光強度信号の前記変化規則が前記非接触ジェスチャに対応する前記事前設定された変化規則に適合するかどうかを判定する前記ステップは、前記光センサによって出力された前記光強度信号のうちの１つが受信されるたびに、前記光センサによって出力され、前回受信されたか又は複数回受信された前記光強度信号のうちの１つ又は複数に従って、前記の出力された複数の光強度信号の前記変化規則が前記非接触ジェスチャに対応する前記事前設定された変化規則に適合するかどうかを判定するステップを含む。
【００５０】
第１の態様、又は第１の態様の第１から第４１の可能な実装例のいずれか１つを参照すると、第４２の可能な実装例において、前記非接触ジェスチャは、上スワイプジェスチャ、又は下スワイプジェスチャ、又は左スワイプジェスチャ、又は右スワイプジェスチャを含むとともに、前記端末アプリケーションは、画像アプリケーション又は電子ブックアプリケーションを含み、前記上スワイプジェスチャは、前記第１の光センサ及び前記第２の光センサの前記感知範囲における前記操作オブジェクトの下から上へのスワイプを含み、前記下スワイプジェスチャは、前記第１の光センサ及び前記第２の光センサの前記感知範囲における前記操作オブジェクトの上から下へのスワイプを含み、前記左スワイプジェスチャは、前記第１の光センサ及び前記第２の光センサの前記感知範囲における前記操作オブジェクトの右から左へのスワイプを含み、前記右スワイプジェスチャは、前記第１の光センサ及び前記第２の光センサの前記感知範囲における前記操作オブジェクトの左から右へのスワイプを含み、前記認識された非接触ジェスチャに対応する制御操作を端末アプリケーションに対して実行する前記ステップは、前記画像又は電子ブックアプリケーションに対して、前記上スワイプジェスチャ、又は前記下スワイプジェスチャ、又は前記左スワイプジェスチャ、又は前記右スワイプジェスチャにそれぞれ対応する、上方向ページフリッピング若しくはドラッギング、下方向ページフリッピング若しくはドラッギング、左方向ページフリッピング若しくはドラッギング、又は右方向ページフリッピング若しくはドラッギングの制御操作を実行するステップを含む。
【００５１】
第１の態様、又は第１の態様の第１から第４２の可能な実装例のいずれか１つを参照すると、第４３の可能な実装例において、前記非接触ジェスチャが、プレスジェスチャ及び／又はアップリフトジェスチャを含み、前記端末アプリケーションが、画像アプリケーション又は電子ブックアプリケーションを含む場合に、前記認識された非接触ジェスチャに対応する制御操作を端末アプリケーションに対して実行する前記ステップは、前記画像アプリケーション又は前記電子ブックアプリケーションに対して、前記プレスジェスチャ及び／又は前記アップリフトジェスチャに対応するズーム操作を実行するステップを含む。
【００５２】
第１の態様の第１２、第１５、及び第３４の可能な実装例のいずれか１つを参照すると、第４４の可能な実装例において、当該方法は、前記アップリフトジェスチャのアップリフト量を取得するステップを更に含み、前記認識された非接触ジェスチャに対応する制御操作を端末アプリケーションに対して実行する前記ステップは、前記画像アプリケーション又は前記電子ブックアプリケーションに対して、前記アップリフトジェスチャに対応するズーム操作を実行するステップであって、前記ズーム操作が実行される場合に前記アップリフト量に従ってズーム比が決定されるステップを含む。
【００５３】
第１の態様の第１３、第１７、及び第３２の可能な実装例のいずれか１つを参照すると、第４５の可能な実装例において、当該方法は、前記プレスジェスチャのプレス量を取得するステップを更に含み、前記認識された非接触ジェスチャに対応する制御操作を端末アプリケーションに対して実行する前記ステップは、前記画像アプリケーション又は前記電子ブックアプリケーションに対して、前記プレスジェスチャに対応するズーム操作を実行するステップであって、前記ズーム操作が実行される場合に前記プレス量に従ってズーム比が決定されるステップを含む。
【００５４】
第１の態様の第１１の可能な実装例を参照すると、第４６の可能な実装例において、前記第１のしきい値は、前記スワイプジェスチャを生成する前記操作オブジェクトによって前記光センサが遮蔽される場合の光強度の標準的な減少量であり、前記第２のしきい値は、前記光センサが遮蔽されたあとで前記スワイプジェスチャを生成する前記操作オブジェクトが離れる場合の光強度の標準的な増加量である。
【００５５】
第１の態様の第４７の可能な実装例において、前記複数の光センサはＮ個の光センサであり、前記非接触ジェスチャは少なくとも１つのプレスジェスチャ及び少なくとも１つのアップリフトジェスチャを含むとともに、前記プレスジェスチャは、前記Ｎ個の光センサの中の少なくとも２つの光センサの感知範囲における操作オブジェクトの前記少なくとも２つの光センサに向かう方向における漸進運動を含み、前記アップリフトジェスチャは、前記Ｎ個の光センサの中の少なくとも２つの光センサの感知範囲における前記操作オブジェクトの前記少なくとも２つの光センサから離れる方向における漸進運動を含み、前記Ｎ個の光センサの中のＡ個の光センサのそれぞれによって出力された複数の光強度信号によって反映される光強度が、第１の減少変化規則にそれぞれ適合し、それから第１の所定期間において不変のままとなり、次に前記Ａ個の光センサの中のＢ個の光センサのそれぞれによって出力された複数の光強度信号によって反映される光強度が、減少変動規則にそれぞれ適合し、それから前記Ｂ個の光センサのうちの少なくとも１つによって出力された光強度信号によって反映される光強度が、それぞれ第２の所定期間において不変のままとなることを、前記非接触ジェスチャに対応する前記事前設定された変化規則は含み、Ｎ、Ａ、及びＢは１より大きい整数であり、ＡはＮより大きくないとともに第１のしきい値より小さくなく、そしてＢはＡより大きくないとともに第２のしきい値より小さくない。
【００５６】
第２の態様において、本発明は、非接触ジェスチャを使用することにより端末機器を制御するための装置であって、当該装置が１つ又は複数の光センサを含む端末機器に適用でき、当該装置が、一定期間における光強度変化に従って前記光センサによって出力されるとともに前記光強度変化を反映する複数の光強度信号を受信するように構成された受信ユニットであって、前記光強度変化が前記非接触ジェスチャによって生成される前記受信ユニットと、前記受信ユニットによって受信された前記複数の光強度信号の変化規則が前記非接触ジェスチャに対応する事前設定された変化規則に適合するかどうかを判定し、もし適合するならば、前記複数の光強度信号に対応する前記非接触ジェスチャを認識するように構成されたジェスチャ認識ユニットと、前記ジェスチャ認識ユニットによって認識された前記非接触ジェスチャに対応する制御操作を端末アプリケーションに対して実行するように構成された実行ユニットとを含む、装置を提供する。
【００５７】
第２の態様の第１の可能な実装例において、前記１つ又は複数の光センサは第１の光センサを含み、前記非接触ジェスチャはスワイプジェスチャを含むとともに、前記スワイプジェスチャは、前記第１の光センサの感知範囲における操作オブジェクトの一方向のスワイプを含み、複数の光強度信号によって反映される光強度が、第１の所定期間において、減少変化規則に適合し、次に増加変化規則に適合することを、前記非接触ジェスチャに対応する前記事前設定された変化規則は含む。
【００５８】
第２の態様の第２の可能な実装例において、前記複数の光センサは第１の光センサ及び第２の光センサを含み、前記非接触ジェスチャは右スワイプジェスチャを含むとともに、前記右スワイプジェスチャは、前記第１の光センサ及び前記第２の光センサの感知範囲における操作オブジェクトの左から右へのスワイプを含み、第２の所定期間内に、前記第１の光センサによって出力された複数の光強度信号によって反映される光強度が、第１の所定期間において、減少変化規則に適合し、次に増加変化規則に適合し、そのあとで、前記第２の光センサによって出力された複数の光強度信号によって反映される光強度が、前記第１の所定期間において、減少変化規則に適合し、次に増加変化規則に適合することを認識し、前記第１の光センサが前記第２の光センサの左側に置かれることを、前記非接触ジェスチャに対応する前記事前設定された変化規則は含む。
【００５９】
第２の態様の第３の可能な実装例において、前記複数の光センサは第１の光センサ及び第２の光センサを含み、前記非接触ジェスチャは左スワイプジェスチャを含むとともに、前記左スワイプジェスチャは、前記第１の光センサ及び前記第２の光センサの感知範囲における操作オブジェクトの右から左へのスワイプを含み、第２の所定期間内に、前記第２の光センサによって出力された複数の光強度信号によって反映される光強度が、第１の所定期間において、減少変化規則に適合し、次に増加変化規則に適合し、そのあとで、前記第１の光センサによって出力された複数の光強度信号によって反映される光強度が、前記第１の所定期間において、減少変化規則に適合し、次に増加変化規則に適合することを認識し、前記第１の光センサが前記第２の光センサの左側に置かれることを、前記非接触ジェスチャに対応する前記事前設定された変化規則は含む。
【００６０】
第２の態様の第２及び第３の可能な実装例を参照すると、前記端末機器が複数の光センサを含む場合に、あらゆる２つの隣接する光センサの配置位置の間に同等の水平距離が存在し、前記水平距離は最大である。
【００６１】
第２の態様の第４の可能な実装例において、前記複数の光センサは第１の光センサ及び第２の光センサを含み、前記非接触ジェスチャは下スワイプジェスチャを含むとともに、前記下スワイプジェスチャは、前記第１の光センサ及び前記第２の光センサの感知範囲における操作オブジェクトの上から下へのスワイプを含み、第２の所定期間内に、前記第１の光センサによって出力された複数の光強度信号によって反映される光強度が、第１の所定期間において、減少変化規則に適合し、次に増加変化規則に適合し、そのあとで、前記第２の光センサによって出力された複数の光強度信号によって反映される光強度が、前記第１の所定期間において、減少変化規則に適合し、次に増加変化規則に適合することを認識し、前記第１の光センサが前記第２の光センサの上側に置かれることを、前記非接触ジェスチャに対応する前記事前設定された変化規則は含む。
【００６２】
第２の態様の第５の可能な実装例において、前記複数の光センサは第１の光センサ及び第２の光センサを含み、前記非接触ジェスチャは上スワイプジェスチャを含むとともに、前記上スワイプジェスチャは、前記第１の光センサ及び前記第２の光センサの感知範囲における操作オブジェクトの下から上へのスワイプを含み、第２の所定期間内に、前記第２の光センサによって出力された複数の光強度信号によって反映される光強度が、第１の所定期間において、減少変化規則に適合し、次に増加変化規則に適合し、そのあとで、前記第１の光センサによって出力された複数の光強度信号によって反映される光強度が、前記第１の所定期間において、減少変化規則に適合し、次に増加変化規則に適合することを認識し、前記第１の光センサが前記第２の光センサの上側に置かれることを、前記非接触ジェスチャに対応する前記事前設定された変化規則は含む。
【００６３】
第２の態様の第４及び第５の可能な実装例のどちらか１つを参照すると、前記端末機器が複数の光センサを含む場合に、あらゆる２つの隣接する光センサの配置位置の間に同等の垂直距離が存在し、前記垂直距離は最大である。
【００６４】
第２の態様の第１から第５の可能な実装例のいずれか１つを参照すると、前記第１の所定期間は、いずれかのセンサに関してユーザがスワイプをする場合に必要とされる時間の標準値である。
【００６５】
第２の態様の第２から第５の可能な実装例のいずれか１つを参照すると、前記第２の所定期間は、前記第１の光センサによって出力された前記複数の光強度信号に対応する前記第１のスワイプジェスチャを認識する第１の時刻と前記第２の光センサによって出力された前記複数の光強度信号に対応する前記第２のスワイプジェスチャを認識する第２の時刻との間の時間間隔の標準値である。
【００６６】
第２の態様の第６の可能な実装例において、前記複数の光センサは第１の光センサ及び第２の光センサを含み、前記非接触ジェスチャは上スワイプジェスチャを含むとともに、前記上スワイプジェスチャは、前記第１の光センサ及び前記第２の光センサの感知範囲における操作オブジェクトの下から上へのスワイプを含み、第２の所定期間内に、前記第２の光センサによって出力された複数の光強度信号によって反映される光強度が、第１の所定期間において、減少変化規則に適合し、次に増加変化規則に適合し、そのあとで、前記第１の光センサによって出力された複数の光強度信号によって反映される光強度が、前記第１の所定期間において、減少変化規則に適合し、次に増加変化規則に適合することを認識し、前記第１の光センサが前記第２の光センサの上側に置かれることを、前記非接触ジェスチャに対応する前記事前設定された変化規則は含む。
【００６７】
第２の態様の第５又は第６の可能な実装例を参照すると、第７の可能な実装例において、前記端末機器が複数の光センサを含む場合に、あらゆる２つの隣接する光センサの配置位置の間に同等の垂直距離が存在し、前記垂直距離は最大である。
【００６８】
第２の態様の第１から第７の可能な実装例のいずれか１つを参照すると、第８の可能な実装例において、前記第１の所定期間は、いずれかのセンサに関してユーザが一方向のスワイプをする場合に必要とされる時間の標準値であり、前記一方向のスワイプは、下記の、左から右へのスワイプ、右から左へのスワイプ、上から下へのスワイプ、及び下から上へのスワイプのうちのいずれか１つであり得る。
【００６９】
第２の態様の第２から第７の可能な実装例のいずれか１つを参照すると、第９の可能な実装例において、前記第２の所定期間は、前記第１の光センサによって出力された前記複数の光強度信号に対応する前記第１のスワイプジェスチャを認識する第１の時刻と前記第２の光センサによって出力された前記複数の光強度信号に対応する前記第２のスワイプジェスチャを認識する第２の時刻との間の時間間隔の標準値である。
【００７０】
第２の態様の第１から第９の可能な実装例のいずれか１つを参照すると、第１０の可能な実装例において、前記複数の光強度信号は、第１の光強度信号、第２の光強度信号、及び第３の光強度信号を含み、前記第２の光強度信号を受信する時刻は前記第１の光強度信号を受信する時刻より遅く、前記第３の光強度信号を受信する時刻は前記第２の光強度信号を受信する時刻より遅いとともに、前記第２の光強度信号によって反映される信号強度が、第１のしきい値より小さくない減少量で、前記複数の光強度信号の中の前記第１の光強度信号によって反映される信号強度より小さいことを、前記減少変化規則は含み、前記第３の光強度信号によって反映される信号強度が、第２のしきい値より小さくない増加量で、前記複数の光強度信号の中の前記第２の光強度信号によって反映される信号強度より大きいことを、前記増加変化規則は含む。
【００７１】
第２の態様の第１から第１０の可能な実装例のいずれか１つを参照すると、第１１の可能な実装例において、前記第１のしきい値は、前記スワイプジェスチャを生成する前記操作オブジェクトによって前記光センサが遮蔽される場合の光強度の標準的な減少量であり、前記第２のしきい値は、前記光センサが遮蔽されたあとで前記スワイプジェスチャを生成する前記操作オブジェクトが離れる場合の光強度の標準的な増加量である。
【００７２】
第２の態様の第１２の可能な実装例において、前記光センサは第１の光センサを含み、前記非接触ジェスチャはアップリフトジェスチャを含むとともに、前記アップリフトジェスチャは、前記第１の光センサの感知範囲における操作オブジェクトの前記第１の光センサから離れる方向における漸進運動を含み、複数の光強度信号によって反映される光強度が、第１の減少変化規則に適合し、それから第１の所定期間において不変のままとなり、次に増加変化規則に適合し、そのあとで第２の所定期間において不変のままとなることを、前記非接触ジェスチャに対応する前記事前設定された変化規則は含む。
【００７３】
第２の態様の第１３の可能な実装例において、前記複数の光センサはＮ個の光センサであり、前記非接触ジェスチャはアップリフトジェスチャを含むとともに、前記アップリフトジェスチャは、前記Ｎ個の光センサの中の少なくとも２つの光センサの感知範囲における操作オブジェクトの前記少なくとも２つの光センサから離れる方向における漸進運動を含み、前記Ｎ個の光センサの中のＡ個の光センサのそれぞれによって出力された複数の光強度信号によって反映される光強度が、第１の減少変化規則にそれぞれ適合し、それから第１の所定期間において不変のままとなり、次に前記Ａ個の光センサの中のＢ個の光センサのそれぞれによって出力された複数の光強度信号によって反映される光強度が、増加変化規則にそれぞれ適合し、それから前記Ｂ個の光センサのうちの少なくとも１つによって出力された光強度信号によって反映される光強度が、それぞれ第２の所定期間において不変のままとなることを、前記非接触ジェスチャに対応する前記事前設定された変化規則は含み、Ｎ、Ａ、及びＢは１より大きい整数であり、ＡはＮより大きくないとともに第１のしきい値より小さくなく、そしてＢはＡより大きくないとともに第２のしきい値より小さくない。
【００７４】
第２の態様の第１２又は第１３の可能な実装例を参照すると、第１４の可能な実装例において、前記複数の光強度信号は、第１の光強度信号、第２の光強度信号、第３の光強度信号、第４の光強度信号、及び第５の光強度信号を含み、前記第２の光強度信号を受信する時刻は前記第１の光強度信号を受信する時刻より遅く、前記第３の光強度信号を受信する時刻は前記第２の光強度信号を受信する時刻より遅く、前記第４の光強度信号を受信する時刻は前記第３の光強度信号を受信する時刻より遅く、そして前記第５の光強度信号を受信する時刻は前記第４の光強度信号を受信する時刻より遅いとともに、第３の所定期間において、前記第２の光強度信号によって反映される信号強度が、第３のしきい値より小さくない減少量で、前記複数の光強度信号の中の前記第１の光強度信号によって反映される信号強度より小さいことを、前記第１の減少変化規則は含み、前記複数の光強度信号の中の前記第３の光強度信号によって反映される信号強度が、第４のしきい値より大きくない増加量で、前記複数の光強度信号の中の前記第２の光強度信号によって反映される信号強度より小さくないこと、又は前記第３の光強度信号によって反映される信号強度が、第４のしきい値より大きくない減少量で、前記複数の光強度信号の中の前記第２の光強度信号によって反映される信号強度より大きくないことを、前記第１の所定期間において不変のままとなることは含み、前記複数の光強度信号の中の前記第４の光強度信号によって反映される信号強度が、前記複数の光強度信号の中の前記第３の光強度信号によって反映される信号強度より大きいことを、前記増加変化規則は含み、前記複数の光強度信号の中の前記第５の光強度信号によって反映される信号強度が、第４のしきい値より大きくない増加量で、前記複数の光強度信号の中の前記第４の光強度信号によって反映される信号強度より小さくないこと、又は前記第５の光強度信号によって反映される信号強度が、第４のしきい値より大きくない減少量で、前記複数の光強度信号の中の前記第４の光強度信号によって反映される信号強度より大きくないことを、前記第２の所定期間において不変のままとなることは含む。
【００７５】
第２の態様の第１５の可能な実装例において、前記光センサは第１の光センサを含み、前記非接触ジェスチャはプレスジェスチャを含むとともに、前記プレスジェスチャは、前記第１の光センサの感知範囲における操作オブジェクトの前記第１の光センサに向かう方向における漸進運動を含み、複数の光強度信号によって反映される光強度が、第１の減少変化規則に適合し、それから第１の所定期間において不変のままとなり、次に第２の減少変化規則に適合し、そのあとで第２の所定期間において不変のままとなることを、前記非接触ジェスチャに対応する前記事前設定された変化規則は含む。
【００７６】
第２の態様の第１６の可能な実装例において、前記複数の光センサはＮ個の光センサであり、前記非接触ジェスチャはプレスジェスチャを含むとともに、前記プレスジェスチャは、前記Ｎ個の光センサの中の少なくとも２つの光センサの感知範囲における操作オブジェクトの前記少なくとも２つの光センサに向かう方向における漸進運動を含み、前記Ｎ個の光センサの中のＡ個の光センサのそれぞれによって出力された複数の光強度信号によって反映される光強度が、第１の減少変化規則にそれぞれ適合し、それから第１の所定期間において不変のままとなり、次に前記Ａ個の光センサの中のＢ個の光センサのそれぞれによって出力された複数の光強度信号によって反映される光強度が、第２の減少変化規則にそれぞれ適合し、それから前記Ｂ個の光センサのうちの少なくとも１つによって出力された光強度信号によって反映される光強度が、それぞれ第２の所定期間において不変のままとなることを、前記非接触ジェスチャに対応する前記事前設定された変化規則は含み、Ｎ、Ａ、及びＢは１より大きい整数であり、ＡはＮより大きくないとともに第１のしきい値より小さくなく、そしてＢはＡより大きくないとともに第２のしきい値より小さくない。
【００７７】
第２の態様の第１５又は第１６の可能な実装例を参照すると、第１７の可能な実装例において、前記複数の光強度信号は、第１の光強度信号、第２の光強度信号、第３の光強度信号、第４の光強度信号、及び第５の光強度信号を含み、前記第２の光強度信号を受信する時刻は前記第１の光強度信号を受信する時刻より遅く、前記第３の光強度信号を受信する時刻は前記第２の光強度信号を受信する時刻より遅く、前記第４の光強度信号を受信する時刻は前記第３の光強度信号を受信する時刻より遅く、そして前記第５の光強度信号を受信する時刻は前記第４の光強度信号を受信する時刻より遅いとともに、第３の所定期間において、前記第２の光強度信号によって反映される信号強度が、第３のしきい値より小さくない減少量で、前記複数の光強度信号の中の前記第１の光強度信号によって反映される信号強度より小さいことを、前記第１の減少変化規則は含み、前記複数の光強度信号の中の前記第３の光強度信号によって反映される信号強度が、第４のしきい値より大きくない増加量で、前記複数の光強度信号の中の前記第２の光強度信号によって反映される信号強度より小さくないこと、又は前記第３の光強度信号によって反映される信号強度が、第４のしきい値より大きくない減少量で、前記複数の光強度信号の中の前記第２の光強度信号によって反映される信号強度より大きくないことを、前記第１の所定期間において不変のままとなることは含み、前記複数の光強度信号の中の前記第４の光強度信号によって反映される信号強度が、前記複数の光強度信号の中の前記第３の光強度信号によって反映される信号強度より小さいことを、前記第２の減少変化規則は含み、前記複数の光強度信号の中の前記第５の光強度信号によって反映される信号強度が、第４のしきい値より大きくない増加量で、前記複数の光強度信号の中の前記第４の光強度信号によって反映される信号強度より小さくないこと、又は前記第５の光強度信号によって反映される信号強度が、第４のしきい値より大きくない減少量で、前記複数の光強度信号の中の前記第４の光強度信号によって反映される信号強度より大きくないことを、前記第２の所定期間において不変のままとなることは含む。
【００７８】
第２の態様の第１８の可能な実装例において、前記光センサは第１の光センサを含み、前記非接触ジェスチャは少なくとも１つのアップリフトジェスチャ及び少なくとも１つのプレスジェスチャを含むとともに、前記プレスジェスチャは、前記第１の光センサの感知範囲における操作オブジェクトの前記第１の光センサに向かう方向における漸進運動を含み、前記アップリフトジェスチャは、前記第１の光センサの前記感知範囲における前記操作オブジェクトの前記第１の光センサから離れる方向における漸進運動を含み、光強度が、第１の減少変化規則に適合し、それから第１の所定期間において不変のままとなり、次に減少変動規則に適合し、そのあとで第２の所定期間において不変のままとなることを、前記非接触ジェスチャに対応する前記事前設定された変化規則は含む。
【００７９】
第２の態様の第１９の可能な実装例において、前記複数の光センサはＮ個の光センサであり、前記非接触ジェスチャは少なくとも１つのプレスジェスチャ及び少なくとも１つのアップリフトジェスチャを含むとともに、前記プレスジェスチャは、前記Ｎ個の光センサの中の少なくとも２つの光センサの感知範囲における操作オブジェクトの前記少なくとも２つの光センサに向かう方向における漸進運動を含み、前記アップリフトジェスチャは、前記Ｎ個の光センサの中の少なくとも２つの光センサの感知範囲における前記操作オブジェクトの前記少なくとも２つの光センサから離れる方向における漸進運動を含み、前記Ｎ個の光センサの中のＡ個の光センサのそれぞれによって出力された複数の光強度信号によって反映される光強度が、第１の減少変化規則にそれぞれ適合し、それから第１の所定期間において不変のままとなり、次に前記Ａ個の光センサの中のＢ個の光センサのそれぞれによって出力された複数の光強度信号によって反映される光強度が、減少変動規則にそれぞれ適合し、それから前記Ｂ個の光センサのうちの少なくとも１つによって出力された光強度信号によって反映される光強度が、それぞれ第２の所定期間において不変のままとなることを、前記非接触ジェスチャに対応する前記事前設定された変化規則は含み、Ｎ、Ａ、及びＢは１より大きい整数であり、ＡはＮより大きくないとともに第１のしきい値より小さくなく、そしてＢはＡより大きくないとともに第２のしきい値より小さくない。
【００８０】
第２の態様の第１８又は第１９の可能な実装例を参照すると、第２０の可能な実装例において、前記複数の光強度信号は、第１の光強度信号、第２の光強度信号、第３の光強度信号、第４の光強度信号、第５の光強度信号、及び第６の光強度信号を含み、前記第２の光強度信号を受信する時刻は前記第１の光強度信号を受信する時刻より遅く、前記第３の光強度信号を受信する時刻は前記第２の光強度信号を受信する時刻より遅く、前記第４の光強度信号を受信する時刻は前記第３の光強度信号を受信する時刻より遅く、前記第５の光強度信号を受信する時刻は前記第４の光強度信号を受信する時刻より遅く、そして前記第６の光強度信号を受信する時刻は前記第５の光強度信号を受信する時刻より遅いとともに、第３の所定期間において、前記第２の光強度信号によって反映される信号強度が、第３のしきい値より小さくない減少量で、前記複数の光強度信号の中の前記第１の光強度信号によって反映される信号強度より小さいことを、前記第１の減少変化規則は含み、前記複数の光強度信号の中の前記第３の光強度信号によって反映される信号強度が、第４のしきい値より大きくない増加量で、前記複数の光強度信号の中の前記第２の光強度信号によって反映される信号強度より小さくないこと、又は前記第３の光強度信号によって反映される信号強度が、第４のしきい値より大きくない減少量で、前記複数の光強度信号の中の前記第２の光強度信号によって反映される信号強度より大きくないことを、前記第１の所定期間において不変のままとなることは含み、前記複数の光強度信号の中の前記第４の光強度信号によって反映される信号強度が、前記複数の光強度信号の中の前記第３の光強度信号によって反映される信号強度より小さく、さらには前記複数の光強度信号の中の前記第５の光強度信号によって反映される信号強度が、前記複数の光強度信号の中の前記第４の光強度信号によって反映される信号強度より大きいこと、又は前記複数の光強度信号の中の前記第４の光強度信号によって反映される信号強度が、前記複数の光強度信号の中の前記第３の光強度信号によって反映される信号強度より大きく、さらには前記複数の光強度信号の中の前記第５の光強度信号によって反映される信号強度が、前記複数の光強度信号の中の前記第４の光強度信号によって反映される信号強度より小さいことを、前記減少変動規則は含み、前記複数の光強度信号の中の前記第５の光強度信号によって反映される信号強度が、第４のしきい値より大きくない増加量で、前記複数の光強度信号の中の前記第４の光強度信号によって反映される信号強度より小さくないこと、又は前記第５の光強度信号によって反映される信号強度が、第４のしきい値より大きくない減少量で、前記複数の光強度信号の中の前記第４の光強度信号によって反映される信号強度より大きくないことを、前記第２の所定期間において不変のままとなることは含む。
【００８１】
第２の態様の第１２又は第１７の可能な実装例を参照すると、第２１の可能な実装例において、前記第１の所定期間は、前記プレスジェスチャ又は前記アップリフトジェスチャを生成する前記操作オブジェクトによって前記光センサを遮蔽する時刻とプレスすることを開始するか又はアップリフトすることを開始する時刻との間の時間間隔の標準値であり、前記第２の所定期間は、前記プレスジェスチャ又は前記アップリフトジェスチャを生成する前記操作オブジェクトがある程度までプレスされたか又はアップリフトされた後で静止している状態を保つ場合に前記光センサが遮蔽される持続時間の標準値である。
【００８２】
第２の態様の第１４、第１７、及び第１９の可能な実装例のいずれか１つを参照すると、第２２の可能な実装例において、前記第３の所定期間は、前記プレスジェスチャ又は前記アップリフトジェスチャを認識する検出時刻と前記プレスジェスチャ又は前記アップリフトジェスチャを生成する前記操作オブジェクトによって前記光センサを遮蔽する時刻との間の時間間隔の標準値である。
【００８３】
第２の態様の第１４、第１７、及び第２０の可能な実装例のいずれか１つを参照すると、第２３の可能な実装例において、前記第３のしきい値は、前記アップリフトジェスチャ、又は前記プレスジェスチャ、又は少なくとも１つのアップリフトジェスチャと少なくとも１つのプレスジェスチャとを含むジェスチャを生成する前記操作オブジェクトによって前記光センサが遮蔽される場合の光強度の標準的な減少量であり、前記第４のしきい値は、前記アップリフトジェスチャ、又は前記プレスジェスチャ、又は少なくとも１つのアップリフトジェスチャと少なくとも１つのプレスジェスチャとを含むジェスチャを生成する前記操作オブジェクトによって前記光センサが遮蔽されたあとで、かつアップリフトすること又はプレスすることを開始する前に、前記静止している操作オブジェクトによってもたらされる光強度の標準的な減少量又は増加量である。
【００８４】
第２の態様の第１３、第１６、及び第１９の可能な実装例のいずれか１つを参照すると、第２４の可能な実装例において、前記第１のしきい値はＮ／２より小さくないとともに、前記第２のしきい値はＡ／２より小さくない。
【００８５】
第２の態様、又は第２の態様の第１から第２４の可能な実装例のいずれか１つを参照すると、第２５の可能な実装例において、前記端末機器がモーションセンサ又はオリエンテーションセンサを更に含み、当該装置は、前記モーションセンサ又は前記オリエンテーションセンサによって出力された信号値を受信し、携帯電話が比較的安定した状態にあるかどうかを判定し、もし安定した状態にあるならば、前記の出力された複数の光強度信号の前記変化規則が前記非接触ジェスチャに対応する前記事前設定された変化規則に適合するかどうかを判定する前記ステップを起動するように構成された携帯電話状態判定ユニットであって、前記ステップが前記ジェスチャ認識ユニットによって実行される前記携帯電話状態判定ユニットを更に含む。
【００８６】
第２の態様、又は第２の態様の第１から第２５の可能な実装例のいずれか１つを参照すると、第２６の可能な実装例において、前記ジェスチャ認識ユニットは、前記受信ユニットが前記光センサによって出力された前記光強度信号のうちの１つを受信するたびに、前記光センサによって出力され、前記受信ユニットによって前回受信されたか又は複数回受信された前記光強度信号のうちの１つ又は複数に従って、前記の出力された複数の光強度信号の前記変化規則が前記非接触ジェスチャに対応する前記事前設定された変化規則に適合するかどうかを判定するように構成されたリアルタイムジェスチャ認識サブユニットを含む。
【００８７】
第２の態様、又は第２の態様の第１から第２６の可能な実装例のいずれか１つを参照すると、第２７の可能な実装例において、前記非接触ジェスチャは、上スワイプジェスチャ、又は下スワイプジェスチャ、又は左スワイプジェスチャ、又は右スワイプジェスチャを含むとともに、前記端末アプリケーションは、画像アプリケーション又は電子ブックアプリケーションを含み、前記上スワイプジェスチャは、前記第１の光センサ及び前記第２の光センサの前記感知範囲における前記操作オブジェクトの下から上へのスワイプを含み、前記下スワイプジェスチャは、前記第１の光センサ及び前記第２の光センサの前記感知範囲における前記操作オブジェクトの上から下へのスワイプを含み、前記左スワイプジェスチャは、前記第１の光センサ及び前記第２の光センサの前記感知範囲における前記操作オブジェクトの右から左へのスワイプを含み、前記右スワイプジェスチャは、前記第１の光センサ及び前記第２の光センサの前記感知範囲における前記操作オブジェクトの左から右へのスワイプを含み、前記実行ユニットは、前記画像又は電子ブックアプリケーションに対して、前記上スワイプジェスチャ、又は前記下スワイプジェスチャ、又は前記左スワイプジェスチャ、又は前記右スワイプジェスチャにそれぞれ対応する、上方向ページフリッピング若しくはドラッギング、下方向ページフリッピング若しくはドラッギング、左方向ページフリッピング若しくはドラッギング、又は右方向ページフリッピング若しくはドラッギングの制御操作を実行するように構成されたスワイプジェスチャ実行サブユニットを含む。
【００８８】
第２の態様、又は第２の態様の第１から第２６の可能な実装例のいずれか１つを参照すると、第２８の可能な実装例において、前記非接触ジェスチャが、プレスジェスチャ及び／又はアップリフトジェスチャを含み、前記端末アプリケーションが、画像アプリケーション又は電子ブックアプリケーションを含む場合に、前記実行ユニットは、前記画像アプリケーション又は前記電子ブックアプリケーションに対して、前記プレスジェスチャ及び／又は前記アップリフトジェスチャに対応するズーム操作を実行するように構成されたアップリフト又はプレスジェスチャ実行サブユニットを含む。
【００８９】
第２の態様の第１２、第１５、及び第１８の可能な実装例のいずれか１つを参照すると、第２９の可能な実装例において、当該装置は、前記アップリフトジェスチャのアップリフト量を取得するように構成されたアップリフト量取得ユニットを更に含み、前記実行ユニットは、前記画像アプリケーション又は前記電子ブックアプリケーションに対して、前記アップリフトジェスチャに対応するズーム操作を実行するように構成された第１のズーム実行サブユニットであって、前記ズーム操作が実行される場合に前記アップリフト量取得ユニットによって取得された前記アップリフト量に従ってズーム比が決定される前記第１のズーム実行サブユニットを含む。
【００９０】
第２の態様の第１３、第１６、及び第１９の可能な実装例のいずれか１つを参照すると、第３０の可能な実装例において、当該装置は、前記プレスジェスチャのプレス量を取得するように構成されたプレス量取得ユニットを更に含み、前記実行ユニットは、前記画像アプリケーション又は前記電子ブックアプリケーションに対して、前記プレスジェスチャに対応するズーム操作を実行するように構成された第２のズーム実行サブユニットであって、前記ズーム操作が実行される場合に前記プレス量取得ユニットによって取得された前記プレス量に従ってズーム比が決定される前記第２のズーム実行サブユニットを含む。
【００９１】
第２の態様の第３１の可能な実装例において、前記複数の光センサはＮ個の光センサであり、前記非接触ジェスチャは少なくとも１つのプレスジェスチャ及び少なくとも１つのアップリフトジェスチャを含むとともに、前記プレスジェスチャは、前記Ｎ個の光センサの中の少なくとも２つの光センサの感知範囲における操作オブジェクトの前記少なくとも２つの光センサに向かう方向における漸進運動を含み、前記アップリフトジェスチャは、前記Ｎ個の光センサの中の少なくとも２つの光センサの感知範囲における前記操作オブジェクトの前記少なくとも２つの光センサから離れる方向における漸進運動を含み、前記Ｎ個の光センサの中のＡ個の光センサのそれぞれによって出力された複数の光強度信号によって反映される光強度が、第１の減少変化規則にそれぞれ適合し、それから第１の所定期間において不変のままとなり、次に前記Ａ個の光センサの中のＢ個の光センサのそれぞれによって出力された複数の光強度信号によって反映される光強度が、減少変動規則にそれぞれ適合し、それから前記Ｂ個の光センサのうちの少なくとも１つによって出力された光強度信号によって反映される光強度が、それぞれ第２の所定期間において不変のままとなることを、前記非接触ジェスチャに対応する前記事前設定された変化規則は含み、Ｎ、Ａ、及びＢは１より大きい整数であり、ＡはＮより大きくないとともに第１のしきい値より小さくなく、そしてＢはＡより大きくないとともに第２のしきい値より小さくない。
【００９２】
一実施例は、図１２で示されたように、プロセッサ１２１、メモリ１２２、及び光センサ１２３を含む端末機器１２０であって、光センサ１２３が、光強度変化を反映する複数の光強度信号を出力するとともに、１つ又は複数の光センサが含まれ得るように構成され、メモリ１２２が、上記の実施例における非接触ジェスチャを使用することにより端末機器を制御するための方法で使われるアプリケーションプログラムを格納するように構成され、プロセッサが、メモリ内のプログラムを読み出すとともに、下記の、一定期間における光強度変化に従って前記光センサによって出力されるとともに前記光強度変化を反映する複数の光強度信号を受信するステップであって、前記光強度変化が前記非接触ジェスチャによって生成される、ステップと、前記の出力された複数の光強度信号の変化規則が前記非接触ジェスチャに対応する事前設定された変化規則に適合するかどうかを判定し、もし適合するならば、前記複数の光強度信号に対応する前記非接触ジェスチャを認識するステップと、前記認識された非接触ジェスチャに対応する制御操作を端末アプリケーションに対して実行するステップとを実行するように構成される、端末機器１２０を開示する。
【００９３】
上記の技術的解決法は、下記の、スマート端末のハードウェア構成についての低いアルゴリズム複雑度、小さな電力消費、特別要求事項なし、及びソフトウェアを介して端末機器上で簡単かつ能率的に非接触ジェスチャを使用することにより端末機器を制御することができること、及びユーザ体験を向上させることという利点を有する。
【００９４】
本発明の実施例における技術的解決法を更に明瞭に例示するために、下記の事項は、実施例又は従来技術を説明するために必要とされる添付図面を簡潔に紹介する。明らかに、添付図面は単に本発明のいくつかの実施例を示すだけであるとともに、当業者は、創造的な努力なしでこれらの添付図面から他の図面を更に導き出すことができる。
【図面の簡単な説明】
【００９５】
【図１】本発明の実施例１の概要のフローチャートである。
【図２ａ】本発明の実施例２による、スワイプジェスチャの概略図である。
【図２ｂ】本発明の実施例２による、スワイプジェスチャによって生成された光強度変化規則の概略図である。
【図３ａ】本発明の実施例３による、アップリフトジェスチャの概略図である。
【図３ｂ】本発明の実施例３による、アップリフトジェスチャによって生成された光強度変化規則の概略図である。
【図４ａ】本発明の実施例３による、プレスジェスチャの概略図である。
【図４ｂ】本発明の実施例３による、プレスジェスチャによって生成された光強度変化規則の概略図である。
【図５】本発明の実施例３による、連続的なプレスジェスチャ、アップリフトジェスチャ、そして次のプレスジェスチャによって生成された光強度変化規則の概略図である。
【図６】本発明の実施例４による、端末機器が２つの光センサを含む場合に最大の垂直投影距離をサポートする推奨される配置位置の概略図である。
【図７】本発明の実施例４による、端末機器が２つの光センサを含む場合に最大の水平投影距離をサポートする推奨される配置位置の概略図である。
【図８】本発明の実施例４による、端末機器が３つの光センサを含む場合の推奨される配置位置の概略図である。
【図９ａ】本発明の実施例５による、異なる端末アプリケーションに関する非接触ジェスチャに対する制御操作のマッピングの概略図である。
【図９ｂ】本発明の実施例５による、異なる端末アプリケーションに関する非接触ジェスチャに対する制御操作の別のマッピングの概略図である。
【図１０】本発明の実施例６による、装置の概略図である。
【図１１】本発明の実施例６による、別の装置の概略図である。
【図１２】本発明の実施例７による、端末機器の概略図である。
【発明を実施するための形態】
【００９６】
本発明の目的、技術的解決法、及び利点を更に明確にするために、下記の事項は、特定の実施例及び関連のある添付図面を参照して、さらに本発明を詳細に説明する。
【実施例１】
【００９７】
本発明の実施例１は、非接触ジェスチャを使用することにより端末機器を制御するための方法であって、１つ又は複数の光センサを含む端末機器に適用できる方法を提供する。この実施例における端末機器は、スマートフォン、タブレットコンピュータ、ノート型コンピュータなどであり得るとともに、この実施例における光センサ（光センサは環境光センサAmbient  Light  Sensorとも呼ばれる）は、可視の光強度を感知するセンサである。光センサは、スマートフォン又はタブレットコンピュータ上で広く使用されるとともに、現在のところ、大部分のスマート端末は、携帯電話の前面画面の上部、及びタブレットコンピュータの前面画面の上部又は右側に一般に配置され、端末機器が画面輝度を自動的に調整するのに周囲の可視光の強さを感知するために主に使用される光センサを備えている。例えば、戸外のユーザが日中に端末機器を使用する場合に、画面輝度は、強い光に抵抗するために自動的に最大に調整され、暗い環境光を有する建物にユーザが戻る場合に、画面輝度は、自動的に低減される。
【００９８】
図１において示されたように、本発明の実施例は下記のステップを含む。
【００９９】
Ｓ１１）一定期間における光強度変化に従って光センサによって出力されるとともに光強度変化を反映する複数の光強度信号を受信し、ここで、光強度変化は非接触ジェスチャによって生成される。
【０１００】
この実施例において、一定期間は１つ又は複数の非接触ジェスチャを完了するための持続時間であっても良く、光強度を反映する光強度信号は照度であっても良く、照度の物理的意味は単位面積に照射された光束であるとともに、光束は光に対する人間の目の感度を基準として使用し、照度の単位は、１平方メートル当たりのルーメン（Ｌｍ）であり、さらにルクス（Ｌｕｘ）とも呼ばれ、ここで、１ルクス＝１ルーメン／１平方メートルである。
【０１０１】
Ｓ１２）出力された複数の光強度信号の変化規則が非接触ジェスチャに対応する事前設定された変化規則に適合するかどうかを判定し、もし適合するならば、複数の光強度信号に対応する非接触ジェスチャを認識する。
【０１０２】
この実施例において、複数の光強度信号の変化規則は、下記のとおりであり得る。複数の光強度信号によって反映される光強度（照度によって量子化される）は、一定期間においてハイ（high）からロー（low）に変化するか、又は一定期間においてロー（low）からハイ（high）に変化するか、又は一定期間において不変のままとなるか、又は変化規則がいくつかの変化規則性の組み合わせになり得る。この実施例において、非接触ジェスチャは、スワイプジェスチャ、アップリフトジェスチャ、プレスジェスチャ、又はいくつかのジェスチャの組み合わせであっても良く、ここで、スワイプジェスチャは、上スワイプジェスチャ、下スワイプジェスチャ、左スワイプジェスチャ、又は右スワイプジェスチャを含んでも良い。非接触ジェスチャに対応する事前設定された変化規則は、あらかじめさまざまなジェスチャを練習することによって、同様に取得され得る。例えば、もしスワイプジェスチャが使用されるならば、操作オブジェクト（例えば手など）が光センサをスワイプ（swipe）するとき、光センサによって出力される光強度は変化し（例えば、光強度は、まずハイからローに変化し、次にローからハイに変化し）、この場合、変化規則は記録され得るとともに、非接触ジェスチャに対応する変化規則が取得される。変化規則は、一定ではないとともに、実際の使用においてさらに調整され得るという点、例えば、変化規則に関連している光強度値及び検出時刻のようなパラメータが調整されるという点に注意する必要がある。特定の調整の間、パラメータは、パラメータを直接入力すること（メニューを形成することによって受け取ること）によりユーザによって調整されるか、又は学習することによりユーザによって調整されるか、又は実行プロセスにおける環境光強度に従って調整される、などで調整され得る。
【０１０３】
Ｓ１３）認識された非接触ジェスチャに対応する制御操作を端末アプリケーションに対して実行する。
【０１０４】
この実施例において、端末アプリケーションは、電子ブック、ウェブページをブラウズすること、画像、音楽、及びビデオのようなアプリケーションであり得る。対応する制御操作は、ページフリッピング、上下ドラッギング、画像ズーミング、ボリューム調整、再生又は一時停止などであり得る。特定の操作及び対応するアプリケーションはこれに限定されず、例えば、ページフリッピングは、電子ブック、ウェブページをブラウズすること、及び画像のようなアプリケーションを対象にしても良く、再生又は一時停止は、音楽及びビデオを再生することのようなアプリケーションを対象にしても良い。この実施例において、端末アプリケーションに関する、非接触ジェスチャに対応する制御操作の方法は、あらかじめ設定され得るか、又はユーザによって同様に定義され得る。
【０１０５】
さらに、本発明の実施例において、出力された複数の光強度信号の変化規則が非接触ジェスチャに対応する事前設定された変化規則に適合するかどうかを判定することは、具体的には、光強度信号を受信しながら、前回受信されたか又は複数回受信された光強度信号に従って、光強度の変化が非接触ジェスチャに対応する事前設定された変化規則に適合するかどうかを判定することである。受信しながら処理する方法は、非接触ジェスチャを判定し得るとともに、できる限り早く対応する操作を実行し得る。任意に、この実施例は、複数の光強度信号を受信してバッファリングしたあとで、光強度の変化が非接触ジェスチャに対応する事前設定された変化規則に適合するかどうかを同様に判定し得るか、又は信号の一部分をバッファリングしたあとで信号の一部分を判定し、次に受信しながら処理する方法を使用することによって、判定することを必要としている残りの信号を同様に判定し得る。
【０１０６】
さらに、ジェスチャ動作を誤って誘発し得る光変化を、端末機器の震動が同様に引き起こすので、端末機器の震動によって引き起こされる誤操作を回避するために、端末機器が現在比較的安定した状態にあるかどうかを最初に判定することが必要であり、それによって非接触ジェスチャの認識を起動するかどうかを判定する。本発明の実施例は、携帯電話が比較的安定した状態にあるかどうかを判定するために、モーションセンサ又はオリエンテーションセンサを使用するとともに、ジェスチャは、端末機器が比較的安定した状態にある時にのみ認識される。もし端末機器が比較的安定した状態にないならば、受信された光強度の変化規則が非接触ジェスチャに対応する変化規則に適合するかどうかを判定することは必要ではない。
【０１０７】
具体的には、端末機器の状態は、最も最新の端末の内蔵されたモーションセンサ（Motion  Sensor)又はオリエンテーションセンサ（Orientation  Sensor）によって判定されることができ、ここで、モーションセンサは、加速度計（Accelerometer）、線形の加速度計（linear  Accelerometer）、重力センサ（Gravity  Sensor）、ジャイロスコープ（Gyroscope）、及び回転ベクトルセンサ（Rotation  Vector  Sensor）を含む。
【０１０８】
モーションセンサの出力は、端末機器の３つの座標軸に対応するモーション固有値、例えば、直線加速度及び角加速度であり、オリエンテーションセンサは、３つの座標軸に沿った端末機器の回転の角度を出力し、そして端末機器の状態は、時間系列における３次元のベクトル差を使用することによって判定され得る。下記の事項は、一例として加速度計のみを使用することによる判定方法を説明するとともに、他のモーションセンサ又はオリエンテーションセンサを使用する判定方法は類似している。
【０１０９】
加速度計を使用する判定方法は、連続した期間内の３軸加速度サンプル値（sample  value：標本値）のベクトル差を計算すること、そしてもし期間内の全てのベクトル差がしきい値より小さいならば、又はもしベクトル値の平均値がしきい値より小さいならば、端末機器が比較的安定した状態にあると見なすことを含む。しきい値は、センサの感度及び精度に関連しており、ユーザが僅かに震える場合に、ジェスチャ認識を起動する誤った判定に対応するベクトル差が取得されることができ、そして何度も統計値が集められた後で、平均値がしきい値として使用される。
【０１１０】
上記のベクトル差は、下記の式によって表される。
【０１１１】
【数１】
2015530669.tif 000003
【０１１２】
ここで、（ｘｉ、ｙｉ、ｚｉ）は、時刻Ｔｉにおいて加速度計によって出力される３軸加速度値であり、（ｘｉ−１、ｙｉ−１、ｚｉ−１）は、時刻Ｔｉ−１において加速度計によって出力される３軸加速度値である。
【０１１３】
好ましくは、判定の精度を向上させるために、上記の複数のセンサの出力が包括的な判定のために同時に使用され得る。
【０１１４】
任意に、ジェスチャ認識スイッチが設定されることができ、もしスイッチがオンにされるならば、非接触ジェスチャの認識は起動され、もしスイッチがオンにされないならば、非接触ジェスチャの認識は起動されない。
【０１１５】
この実施例は、光センサによって出力された光強度信号の変化を判定することによって非接触ジェスチャを認識し、複雑な２次元又は３次元の光学部品を導入する必要がなく、簡素性を導入する一方でユーザ体験を向上させる。
【実施例２】
【０１１６】
この実施例は、実施例１に基づいて、非接触ジェスチャを使用することにより端末機器を制御するための方法であって、具体的には、端末機器を制御するためにスワイプジェスチャを使用する方法を提供する。
【０１１７】
この実施例は、１つ又は複数の光センサに基づき得る。具体的には、１つの光センサが存在する場合に、この実施例では、光強度が、第１の所定期間において、減少変化に適合し、次に増加変化に適合することを、非接触ジェスチャに対応する事前設定された変化規則は含む。もし光センサによって出力された、取得された複数の光強度信号が、この変化に適合するならば、スワイプジェスチャが認識される。
【０１１８】
第２の光強度信号によって反映される信号強度が、第１のしきい値より小さくない減少量で、複数の光強度信号の中の第１の光強度信号によって反映される信号強度より小さく、ここで、第１の光強度信号及び第２の光強度信号は複数の光強度信号の中の光強度信号であり、第２の光強度信号を受信する時刻は第１の光強度信号を受信する時刻より遅いことを、減少変化は含む。
【０１１９】
第３の光強度信号によって反映される信号強度が、第２のしきい値より小さくない増加量で、複数の光強度信号の中の第２の光強度信号によって反映される信号強度より大きく、ここで、第３の光強度信号は複数の光強度信号の中の光強度信号であり、第３の光強度信号を受信する時刻は第２の光強度信号を受信する時刻より遅いことを、増加変化は含む。
【０１２０】
第１のしきい値は、スワイプジェスチャを生成する操作オブジェクトによって光センサが遮蔽される場合の光強度の標準的な減少量であり、第２のしきい値は、光センサが遮蔽されたあとでスワイプジェスチャを生成する操作オブジェクトが離れる場合の光強度の標準的な増加量である。特定の値が、あらかじめ実験によって取得され得る。
【０１２１】
例えば、３つの光強度信号Ａ、Ｂ、及びＣが、時刻の昇順において受信され（説明を容易にするために３つの文字が光強度の値を示す）、３つの信号の光強度が下記の条件、第１のしきい値より小さくない減少量でＢ＜Ａ、そして第２のしきい値より大きくない増加量でＣ＞Ｂを満たすならば、それは、光強度がハイからローに変化し、次にローからハイに変化したことを示すとともに、それは、スワイプジェスチャが発生したと見なされ得る。当然ながら、実際に、判定することは厳格に３つの信号に限定されない。例えば、Ｂ信号のあとの短期間のうちにＢ１信号が存在するならば、ローからハイに変化する過程があるかどうかは、Ｃが、第２のしきい値より小さくない増加量で、Ｂ１より大きいかどうかを判定することによって、同様に判定され得る。この場合、Ｂ１が接近してＢのあとに続くので、２つの値は非常に近いと考えられ得るとともに、Ｂ１はＢを置き換えるために使用され得る。この実施例の最終の目的は、最も良いアルゴリズムを使用することによって誤った判定を減少させることである。当業者は、この実施例を参照して、判定するための適切な信号値を選択し得るとともに、詳細はここでは与えられない。
【０１２２】
具体的には、図２ａにおいて示されるように、スワイプジェスチャは、光センサの感知範囲における操作オブジェクトの一方向のスワイプのことを指し、例えば、端末の前面は光センサ２１を含み、操作オブジェクトは、端末画面を横断して一方の側からもう一方の側に移動し、ここで、操作オブジェクトは、ユーザの手又は腕を含み、そして光の変化を引き起こすことができる、例えば本及びペンのような、ユーザの手の中の他のオブジェクトを同様に含む。スワイプジェスチャから画面までの最適距離は、約５センチメートルから３０センチメートルである。最適距離範囲情報は、ユーザに指示するために、画面上に表示されることができ、一方、最適距離範囲は、実際の光強度に従って同様に適応的に調整されることができ、例えば、光が弱い場合に、最適距離の上限は適切に減らされることができる。
【０１２３】
図２ｂにおいて示されるように、非接触ジェスチャに対応する事前設定された変化規則は、第１の所定期間において、光強度が、ハイからローに変化し、次にローからハイに変化することを含む。具体的には、時刻Ｔｉにおいて受信された光センサの光強度は、時刻Ｔｉ−１において受信された光強度より小さく、そして下降量は設定された第１のしきい値Ｄｅｃ＿１より小さくなく、この段階は下降段階と呼ばれ、時刻Ｔｋ＋１において受信された光センサの光強度は、時刻Ｔｋにおいて受信された光強度より大きく、そして上昇量は設定された第２のしきい値Ｉｎｃ＿１より小さくなく、この段階は上昇段階と呼ばれるとともに、第１のしきい値及び第２のしきい値はエラーを減少させるように設定され、もし判定することがしきい値を設定せずに行われるならば、わずかな光強度変化が同様にハイからロー及びローからハイへの変化として見なされることが可能であり（例えば、端末機器をある角度をなして回転させる）、それにより誤った判定を引き起こす。
【０１２４】
もしＴｉ−１からＴｉ＋１までの時間の長さが設定された第１のしきい値Ｔ＿１より大きくないならば、スワイプ動作が発生したと見なされる。
【０１２５】
具体的には、下降段階において、下降量Ｄｅｃｉは、現在の時刻における光強度Ｌｉと以前の時刻における光強度Ｌｉ−１との間の減少量の絶対値として表されることができ、すなわちＤｅｃｉ＝Ｌｉ−１−Ｌｉである。
【０１２６】
下降量Ｄｅｃｉは、現在の時刻における光強度Ｌｉと以前の時刻における光強度Ｌｉ−１との間の減少量の、以前の時刻における光強度に対する比率として同様に表されることができ、すなわち
【数２】
2015530669.tif 000004
である。
【０１２７】
同様に、上昇段階において、上昇量Ｉｎｃｉは、現在の時刻における光強度Ｌｉと以前の時刻における光強度Ｌｉ−１との間の増加量の絶対値として表されることができ、すなわちＩｎｃｉ＝Ｌｋ＋１−Ｌｋである。
【０１２８】
上昇量Ｉｎｃｋは、現在の時刻における光強度Ｌｉと以前の時刻における光強度Ｌｉ−１との間の増加量の、以前の時刻における光強度に対する比率として同様に表されることができ、すなわち
【数３】
2015530669.tif 000005
である。
【０１２９】
好ましくは、光ジッタによって引き起こされたスワイプを、複数の連続的スワイプとして誤って判定することを回避するために、もし２つのスワイプジェスチャが第２の所定期間内に認識されるならば、２番目に認識されたスワイプジェスチャに対応する制御操作は起動されず、すなわち、２つのスワイプの間の時間間隔がしきい値より大きくなるように設定されるとともに、当該時間間隔の中の複数のスワイプは１つのスワイプ動作と見なされる。
【０１３０】
具体的には、第１のしきい値は、スワイプジェスチャを生成する操作オブジェクトによって光センサが遮蔽される場合の光強度の標準的な減少量であり、第２のしきい値は、光センサが遮蔽されたあとでスワイプジェスチャを生成する操作オブジェクトが離れる場合の光強度の標準的な増加量である。第１の所定期間は、ユーザがスワイプジェスチャを完了する際に消費される時間の標準値である。第２の所定期間は、ユーザによって連続して実行される２つのスワイプジェスチャの間の時間間隔の標準値である。
【０１３１】
任意に、操作オブジェクトによって遮蔽されることは、完全に遮蔽されること、部分的に遮蔽されること、又は操作オブジェクトの影によって遮蔽されることを含む。
【０１３２】
好ましくは、周囲の環境光状態が異なるジェスチャ動作に対応する光変化特性に対して影響を与えることを考慮して、変化規則の第１のしきい値及び第２のしきい値は、周囲の環境光強度に従って適応的に調整され得る。例えば、周囲の環境光が極めて強い場合に、第１のしきい値及び第２のしきい値は、光ジッタによって引き起こされる誤った判定を減少させるために、適切に増やされ得る。
【０１３３】
第１のしきい値、第２のしきい値、第１の所定期間、及び第２の所定期間は、端末機器がユーザの操作の癖に積極的に適応でき得るように、自己学習によってユーザのジェスチャの癖から同様に取得され得る。例えば、ジェスチャ認識機能が使用される前に、ユーザは指定された期間内にいくつかのスワイプジェスチャを完了することを要求される。光センサの出力値は、一連の光強度信号を含む。指定された期間が終わったあとで、全てのスワイプジェスチャに対応する第１のしきい値及び第２のしきい値、スワイプジェスチャの全ての持続時間、及び２つのスワイプの間の時間間隔が、それぞれ平均化される。対応する平均値は、第１のしきい値、第２のしきい値、第１の所定期間、及び第２の所定期間として使用される。
【０１３４】
任意に、第１の所定期間及び第２の所定期間は、インタフェース上でユーザによって選択されたジェスチャ操作速度に従って同様に適応し得る。例えば、３つの操作速度“高い、普通、及び低い”が、選択するユーザのためにインタフェース上で提供され、各モードは時間しきい値のセットに対応し、ユーザは、ユーザの操作の癖に従ってモードを選択したあとで、使用される時間しきい値を決定する。一般に、選択されたジェスチャ操作速度がより高いならば、対応する時間しきい値はより小さい。
【実施例３】
【０１３５】
この実施例は、実施例１に基づいて、非接触ジェスチャを使用することにより端末機器を制御するための方法であって、具体的には、端末機器を制御するためにアップリフトジェスチャ、プレスジェスチャ、又は少なくとも１つのアップリフト若しくはプレスジェスチャを使用する方法を提供する。
【０１３６】
図３ａにおいて示されるように、アップリフトジェスチャは、光センサの感知範囲における操作オブジェクトの光センサから離れる方向における漸進運動のことを指し、図４ａにおいて示されるように、プレスジェスチャは、光センサの感知範囲における操作オブジェクトの光センサに向かう方向における漸進運動のことを指し、ここで、操作オブジェクトは、ユーザの手又は腕を含み、そして光の変化を引き起こすことができる、例えば本及びペンのような、ユーザの手の中の他のオブジェクトを同様に含む。
【０１３７】
光センサから離れる方向又は光センサに向かう方向は主に鉛直方向のことを指し、すなわち、光センサが端末画面の前面に位置している場合に、プレス又はアップリフトジェスチャは、端末画面に垂直な方向に沿った下／下運動のことを指す。少なくとも１つのアップリフト又はプレスジェスチャは、連続的なアップリフト及びプレス動作の組み合わせであり得るとともに、プレス及びアップリフトジェスチャは数回繰り返して実行されても良い。
【０１３８】
さらに、アップリフトすること（uplifting）のための十分な空間を確保するために、好ましくは、アップリフトジェスチャから画面までの初期の距離は、正又は負の２〜３センチメートルの誤差を許容する、５センチメートルである。距離情報は、ユーザに指示するために、画面上に表示されることができ、一方、最適距離範囲は、実際の光強度に従って同様に適応的に調整されることができ、例えば、光が弱い場合に、最適距離は適切に減らされることができる。プレスすること（pressing）のための十分な空間を確保するために、好ましくは、プレスジェスチャから画面までの初期の距離は、正又は負の５センチメートルの誤差を許容する、１５センチメートルである。距離範囲情報は、ユーザに指示するために、画面上に表示されることができ、一方、最適距離は、実際の光強度に従って同様に適応的に調整されることができ、例えば、光が弱い場合に、最適距離は適切に減らされることができる。
【０１３９】
この実施例は、１つ又は複数の光センサに基づくことができ、１つの光センサが存在する場合に、アップリフトジェスチャ、プレスジェスチャ、及び少なくとも１つのアップリフトジェスチャと少なくとも１つのプレスジェスチャとの組み合わせに対応する変化規則性は、それぞれ下記のようになる。
【０１４０】
図３ｂにおいて示されるように、アップリフトジェスチャに対応する事前設定された変化規則は、光強度が、第３の所定期間において減少変化に適合し、それから第１の所定期間において不変のままとなり、次に第１のロー−ハイ変化に適合し、それから第２の所定期間において不変のままとなることを含む。
【０１４１】
具体的には、図３ｂにおいて示されるように、Ｔｉ−１とＴｉとの間の持続時間は第３の所定期間より長くなく、時刻Ｔｉにおいて受信された光センサの光強度は時刻Ｔｉ−１における光強度より小さく、そして下降量は設定された第３のしきい値Ｄｅｃ＿２より小さくなく、この段階は下降エッジと呼ばれ、ＴｉとＴｋとの間で、ＴｋはＴｉより遅く、ＴｋとＴｉとの間の持続時間は第１の所定期間Ｔ＿２より長くなく、光強度の上昇又は下降の変動量は、第４のしきい値Ｄｅｃ＿Ｉｎｃ＿１を超えず、ＴｋとＴｍとの間で、光強度はジェスチャのアップリフトによって徐々に増加し、ここで、時刻Ｔｋにおける光強度Ｌｋは基準光強度であり、任意に、時刻Ｔｊにおける光強度Ｌｊの基準光強度に対する比率が計算されることができるとともに、アップリフト量Ｐｒとして記録されることができ、ここで、Ｔｊ∈（Ｔｋ，Ｔｍ）、
【数４】
2015530669.tif 000006
であり、任意に、時刻Ｔｊにおける光強度Ｌｊと基準光強度との差分が計算されることができるとともに、アップリフト量Ｐｒとして記録されることができ、ここで、Ｔｊ∈（Ｔｋ，Ｔｍ）、Ｐｒｊ＝Ｌｊ−Ｌｋ＞０であり、ＴｍとＴｎとの間で、ＴｎはＴｍより遅く、ＴｎとＴｍとの間の持続時間は第２の所定期間Ｔ＿３より長くなく、光強度は基本的に変わらないままであるとともに、光強度の上昇又は下降の変動量は、第４のしきい値Ｄｅｃ＿Ｉｎｃ＿１を超えない。
【０１４２】
図４ｂにおいて示されるように、プレスジェスチャに対応する事前設定された変化規則は、光強度が、第３の所定期間において減少変化に適合し、それから第１の所定期間において不変のままとなり、次に第１の減少変化に適合し、それから第２の所定期間において不変のままとなることを含む。
【０１４３】
具体的には、図４ｂを参照すると、Ｔｉ−１とＴｉとの間の持続時間は第３の所定期間より長くなく、時刻Ｔｉにおいて受信された光センサの光強度は時刻Ｔｉ−１における光強度より小さく、そして下降量は設定された第３のしきい値Ｄｅｃ＿２より小さくなく、この段階は下降エッジと呼ばれ、ＴｉとＴｋとの間で、ＴｋはＴｉより遅く、ＴｋとＴｉとの間の持続時間は第１の所定期間Ｔ＿２より長くなく、光強度の上昇又は下降の変動量は、第４のしきい値Ｄｅｃ＿Ｉｎｃ＿１を超えず、ＴｋとＴｍとの間で、光強度はジェスチャのプレスによって徐々に減少し、ここで、時刻Ｔｋにおける光強度Ｌｋは基準光強度であり、任意に、時刻Ｔｊにおける光強度Ｌｊの基準光強度に対する比率が計算されることができるとともに、プレス量Ｐｒとして記録されることができ、ここで、Ｔｊ∈（Ｔｋ，Ｔｍ）、
【数５】
2015530669.tif 000007
であり、任意に、時刻Ｔｊにおける光強度Ｌｊと基準光強度との差分が計算されることができるとともに、アップリフト量Ｐｒとして記録されることができ、ここで、Ｔｊ∈（Ｔｋ，Ｔｍ）、Ｐｒｊ＝Ｌｊ−Ｌｋ＜０であり、ＴｍとＴｎとの間で、ＴｎはＴｍより遅く、ＴｎとＴｍとの間の持続時間は第２の所定期間Ｔ＿３より長くなく、光強度は基本的に変わらないままであるとともに、光強度の上昇又は下降の変動量は、第４のしきい値Ｄｅｃ＿Ｉｎｃ＿１を超えない。
【０１４４】
少なくとも１つのアップリフトジェスチャ及び少なくとも１つのプレスジェスチャに対応する事前設定された変化規則は、光強度が、減少変化に適合し、それから第１の所定期間において不変のままとなり、次にハイ（high）とロー（low）との間を変動し、そのあとで第２の所定期間において不変のままとなることを含む。
【０１４５】
具体的には、もし減少変動がまず第１のロー−ハイ変化に適合し、そのあとで第１の減少変化に適合するならば、ジェスチャはアップリフト−プレスジェスチャであり、もし減少変動がまず第１の減少変化に適合し、そのあとで第１のロー−ハイ変化に適合するならば、ジェスチャはプレス−アップリフトジェスチャである。
【０１４６】
アップリフトジェスチャ及びプレスジェスチャを判定するための方法と同様に、ＴｋとＴｍとの間でのみ、光強度は、ジェスチャのプレスによって徐々に減少するか、又はジェスチャのアップリフトによって徐々に増加する。変化は、繰り返して、そして連続的に変動する。任意に、調整量Ｐｒが計算されることができるとともに、計算方法は、アップリフト量及びプレス量を計算するための方法と同じである。
【０１４７】
図５は、連続動作“プレス−アップリフト−プレス”の組み合わせによって生成された光強度変化を示し、ＴｋとＴｍとの間の領域が、連続動作“プレス−アップリフト−プレス”の組み合わせのための有効な領域であり、プレス動作がＴｋとＴｕとの間で発生する場合に、光強度はジェスチャのプレスによって徐々に減少し、アップリフト動作がＴｕとＴｖとの間で発生する場合に、光強度はジェスチャのアップリフトによって徐々に増加し、プレス動作がＴｖとＴｍとの間で再度発生する場合に、光強度はジェスチャのプレスによって再度徐々に減少する。
【０１４８】
具体的には、第１の所定期間は、プレスジェスチャ又はアップリフトジェスチャを生成する操作オブジェクトによって光センサを遮蔽する時刻とプレスすることを開始するか又はアップリフトすることを開始する時刻との間の時間間隔の標準値である。第２の所定期間は、プレスジェスチャ又はアップリフトジェスチャを生成する操作オブジェクトがある程度までプレスされたか又はアップリフトされた後で静止している状態を保つ場合に光センサが遮蔽される持続時間の標準値である。第３の所定期間は、ジェスチャを認識する検出時刻とプレスジェスチャ又はアップリフトジェスチャを生成する操作オブジェクトによって光センサを遮蔽する時刻との間の時間間隔の標準値である。実施例２におけるスワイプジェスチャの第１の所定期間は、この実施例におけるプレスジェスチャ、アップリフトジェスチャ、又は、少なくとも１つのプレスジェスチャ及び少なくとも１つのアップリフトジェスチャの第１の所定期間より短い。第３のしきい値は、光センサが、アップリフトジェスチャ、又はプレスジェスチャ、又は少なくとも１つのアップリフトジェスチャと少なくとも１つのプレスジェスチャとを含むジェスチャを生成する操作オブジェクトによって、完全に遮蔽されるか、部分的に遮蔽されるか、又は影を投げ掛けられる場合の光強度の標準的な減少量である。第４のしきい値は、アップリフトジェスチャ、又はプレスジェスチャ、又は少なくとも１つのアップリフトジェスチャと少なくとも１つのプレスジェスチャとを含むジェスチャを生成する操作オブジェクトによって光センサが遮蔽されたあとで、かつアップリフトすること又はプレスすることを開始する前に、静止しているジェスチャによってもたらされる光強度の標準的な減少量又は増加量である。
【０１４９】
任意に、操作オブジェクトによって遮蔽されることは、完全に遮蔽されること、部分的に遮蔽されること、又は操作オブジェクトの影によって遮蔽されることを含む。
【０１５０】
好ましくは、周囲の環境光状態が異なるジェスチャ動作に対応する光変化特性に対して影響を与えることを考慮して、変化規則の第３のしきい値及び第４のしきい値は、周囲の環境光強度に従って適応的に調整され得る。例えば、周囲の環境光が極めて強い場合に、第３のしきい値は、光ジッタによって引き起こされる誤った判定を減少させるために、適切に増やされ得る。一方、光が極めて強い場合に、光センサによって出力される光強度値の変動範囲が大きいので、第４のしきい値は、プレスジェスチャ及びアップリフトジェスチャを首尾よく検出する確率を増大させるために増やされ得る。
【０１５１】
第３のしきい値、第４のしきい値、第１の所定期間、及び第２の所定期間は、端末機器がユーザの操作の癖に積極的に適応でき得るように、自己学習によってユーザのジェスチャの癖から同様に取得され得る。例えば、ジェスチャ認識機能が使用される前に、ユーザは指定された期間内にいくつかのプレスジェスチャ及びアップリフトジェスチャを完了することを要求される。光センサの出力値は、一連の光強度信号を含む。指定された期間が終わったあとで、全てのプレスジェスチャ及びアップリフトジェスチャに各々対応する第３のしきい値、第４のしきい値、第１の所定期間、及び第２の所定期間が、それぞれ平均化される。対応する平均値は、第３のしきい値、第４のしきい値、第１の所定期間、及び第２の所定期間として使用される。
【０１５２】
任意に、第１の所定期間及び第２の所定期間は、インタフェース上でユーザによって選択されたジェスチャ操作速度に従って同様に適応し得る。例えば、３つの操作速度“高い、普通、低い”が、選択するユーザのためにインタフェース上で提供され、各モードは時間しきい値のセットに対応し、ユーザは、ユーザの操作の癖に従ってモードを選択したあとで、使用される時間しきい値を決定する。一般に、選択されたジェスチャ操作速度がより高いならば、対応する時間しきい値はより小さい。
【実施例４】
【０１５３】
この実施例は、実施例１及び２に基づいて、非接触ジェスチャを使用することにより端末機器を制御するための方法を提供する。さらに、端末が複数の光センサを含む場合に、複数の光センサによって出力される光強度信号の複数のグループに基づいて、スワイプジェスチャの方向が認識され得る。右スワイプジェスチャは、光センサの感知範囲における操作オブジェクトの左から右へのスワイプであり、左スワイプジェスチャは、光センサの感知範囲における操作オブジェクトの右から左へのスワイプを含み、下スワイプジェスチャは、光センサの感知範囲における操作オブジェクトの上から下へのスワイプを含み、上スワイプジェスチャは、光センサの感知範囲における操作オブジェクトの下から上へのスワイプを含む。操作オブジェクトは、ユーザの手又は腕を含み、そして光の変化を引き起こすことができる、例えば本及びペンのような、ユーザの手の中の他のオブジェクトを同様に含む。
【０１５４】
より良く実施例を説明するために、この実施例における全ての方向は、一般的な使用状態における端末に関係がある。例えば、端末機器が９つの物理的な数字キーを有する普通の携帯電話であると仮定すると、概して、携帯電話の一般的な使用状態は、ユーザが携帯電話を持つときに、表示画面を有する面がユーザの顔に向けられることであり、この場合、携帯電話の表示画面又は受話口（earpiece）は面の“上部”に位置しており、９つの数字キーは、面の“下部”に位置しており、数字キー１は数字キー２の“左”に位置しており、そして数字キー３は数字キー２の“右”に位置している、と考えられ得る。
【０１５５】
具体的には、一例として２つの光センサを使用すると、２つの光センサが左スワイプ又は右スワイプジェスチャを認識するために図６において使用される場合に、２つの光センサの好ましい配置位置は、２つの光センサの相対的な配置位置の間の水平距離を最大限にする位置であり、ここで、水平距離は、２つの光センサがｘ軸に投影されたあとの相対距離のことを指す。具体的な認識方法は、第１の光センサ６０１及び第２の光センサ６０２によってスワイプジェスチャを検出する時刻の分配特性に従って、左スワイプ又は右スワイプ方向を判定することである。具体的には、その方法は下記の事項を含む。
【０１５６】
もし携帯電話の左側に配置される第１の光センサ６０１が時刻Ａにおいてスワイプジェスチャを検出し、そして携帯電話の右側に配置される第２の光センサ６０２が時刻Ｂにおいてスワイプジェスチャを検出するならば、ジェスチャは右スワイプジェスチャであると認識され、ここで、時刻Ｂは時刻Ａより遅く、時刻Ａと時刻Ｂとの間の時間差は第２の所定期間より大きくない。
【０１５７】
そうでなければ、もし携帯電話の右側に配置される第２の光センサ６０２が時刻Ａにおいてスワイプジェスチャを検出し、そして携帯電話の左側に配置される第１の光センサ６０１が時刻Ｂにおいてスワイプジェスチャを検出するならば、ジェスチャは左スワイプジェスチャであると認識され、ここで、時刻Ｂは時刻Ａより遅く、時刻Ａと時刻Ｂとの間の時間差は第２の所定期間より大きくない。
【０１５８】
具体的には、一例として２つの光センサを使用すると、２つの光センサが上スワイプ又は下スワイプジェスチャを認識するために図７において使用される場合に、２つの光センサの好ましい配置位置は、２つの光センサの相対的な配置位置の間の垂直距離を最大限にする位置であり、ここで、垂直距離は、２つの光センサがｙ軸に投影されたあとの相対距離のことを指す。具体的な認識方法は、第１の光センサ６０１及び第２の光センサ６０２によってスワイプジェスチャを検出する時刻の分配特性に従って、上スワイプ又は下スワイプ方向を判定することである。具体的には、その方法は下記の事項を含む。
【０１５９】
もし携帯電話の上側に配置される第１の光センサ７０１が時刻Ａにおいてスワイプジェスチャを検出し、そして携帯電話の下側に配置される第２の光センサ７０２が時刻Ｂにおいてスワイプジェスチャを検出するならば、ジェスチャは下スワイプジェスチャであると認識され、ここで、時刻Ｂは時刻Ａより遅く、時刻Ａと時刻Ｂとの間の時間差は第２の所定期間より大きくない。
【０１６０】
そうでなければ、もし携帯電話の下側に配置される第２の光センサ７０２が時刻Ａにおいてスワイプジェスチャを検出し、そして携帯電話の上側に配置される第１の光センサ７０１が時刻Ｂにおいてスワイプジェスチャを検出するならば、ジェスチャは上スワイプジェスチャであると認識され、ここで、時刻Ｂは時刻Ａより遅く、時刻Ａと時刻Ｂとの間の時間差は第２の所定期間より大きくない。
【０１６１】
第２の所定期間は、第１の光センサによって出力された複数の光強度信号に対応する第１のスワイプジェスチャを認識する第１の時刻と第２の光センサによって出力された複数の光強度信号に対応する第２のスワイプジェスチャを認識する第２の時刻との間の時間間隔の標準値である。
【０１６２】
任意に、第２の所定期間は、異なる機器のサイズ、光センサの配置位置、及びユーザの癖に従って調整され得る。例えば、機器のサイズがより大きい場合、又は２つの光センサの間の水平又は垂直距離が配置位置に起因してより大きい場合、第２の所定期間は適切に増やされ得る。一方、ユーザは異なる操作速度を同様に選択することができ、ユーザによって選択された操作速度がより速い場合、第２の所定期間は適切に減らされ得る。
【０１６３】
任意に、異なる光センサによって出力された光強度信号によって反映される光強度に従ってスワイプジェスチャがそれぞれ認識される場合に、異なる光センサに対応する第１の所定期間は、同じ値又は異なる値に設定され得る。
【０１６４】
さらに、一例として３つの光センサを使用すると、３つの光センサが左スワイプ、又は右スワイプ、又は上スワイプ、又は下スワイプジェスチャを認識するために図８において使用される場合に、３つの光センサの好ましい配置位置は、３つの光センサのうちの２つの隣接する光センサの間の垂直距離及び水平距離を等しくかつ最大限にする位置である。具体的な認識方法は、第１の光センサ８０１、第２の光センサ８０２、及び第３の光センサ８０３によってスワイプジェスチャを検出する時刻の分配特性に従って、左スワイプ、又は右スワイプ、又は上スワイプ、又は下スワイプジェスチャ方向を判定することである。具体的には、その方法は下記の事項を含む。
【０１６５】
もし３つの光センサによってスワイプジェスチャを認識する時系列が光センサ８０１、光センサ８０２、及び光センサ８０３であり、光センサ８０１及び光センサ８０２によってスワイプジェスチャを検出する時間差と光センサ８０２及び光センサ８０３によってスワイプジェスチャを検出する時間差の両方が時間しきい値Ｔ＿６より小さいならば、スワイプジェスチャは右スワイプジェスチャであると認識される。同様に、もし３つの光センサによってスワイプジェスチャを認識する時系列が光センサ８０３、光センサ８０２、及び光センサ８０１であり、光センサ８０２及び光センサ８０３によってスワイプ動作を検出する時間差と光センサ８０２及び光センサ８０３によってスワイプジェスチャを検出する時間差の両方がしきい値Ｔ＿６より小さいならば、スワイプジェスチャは左スワイプジェスチャであると認識される。
【０１６６】
もし３つの光センサによってスワイプジェスチャを認識する時系列が光センサ８０２、光センサ８０１、及び光センサ８０３であり、光センサ８０２及び光センサ８０１によってスワイプ動作を検出する時間差と光センサ８０１及び光センサ８０３によってスワイプ動作を検出する時間差の両方がしきい値Ｔ＿７より小さいならば、上スワイプジェスチャが発生したと見なされる。同様に、もし３つの光センサによってスワイプジェスチャを認識する時系列が光センサ８０３、光センサ８０１、及び光センサ８０２であり、光センサ８０２及び光センサ８０１によってスワイプ動作を検出する時間差と光センサ８０１及び光センサ８０３によってスワイプ動作を検出する時間差の両方がしきい値Ｔ＿７より小さいならば、下スワイプジェスチャが発生したと見なされる。
【０１６７】
単一の光センサによって出力された光強度信号を使用することによってスワイプジェスチャを認識する方法は、実施例２における方法と同じである。
【０１６８】
任意に、時間しきい値Ｔ＿６及びＴ＿７は、異なる機器のサイズ、機器タイプ、及びユーザの癖に従って調整され得る。例えば、もし機器のサイズがより大きいならば、Ｔ＿６及びＴ＿７は適切に増やされ得る。もし端末機器が横の長さより大きい縦の長さを有するスマートフォンであるならば、Ｔ＿６はＴ＿７より小さくなるように設定され、もし端末機器が横の長さより小さい縦の長さを有するタブレットコンピュータであるならば、Ｔ＿７はＴ＿６より小さくなるように設定される。一方、ユーザは異なる操作速度を同様に選択することができ、ユーザによって選択された操作速度がより速い場合、Ｔ＿６及びＴ＿７は適切に減らされ得る。
【０１６９】
さらに、この実施例では、複数の光センサは、プレスジェスチャ及びアップリフトジェスチャ動作を認識することの正確度を向上させるように構成され得る。具体的には、プレスジェスチャ、アップリフトジェスチャ、及び少なくとも１つのアップリフトジェスチャと少なくとも１つのプレスジェスチャとの組み合わせは、１つ又は複数の光センサによって出力された光強度信号に従って、包括的に判定される。ジェスチャに関する説明のために、実施例３に対して参照が行われ得る。
【０１７０】
Ａ個の光センサによって出力された光強度信号によって反映される光強度が、ハイからローに変化する変化規則にそれぞれ適合し、それから第１の所定期間において不変のままとなり、次にＢ個の光センサによって出力された光強度信号によって反映される光強度が、第１のロー−ハイ変化にそれぞれ適合し、それからＢ個の光センサのうちの少なくとも１つによって出力された光強度信号によって反映される光強度が、それぞれ第２の所定期間において不変のままとなり、ここで、Ｎ、Ａ、及びＢは１より大きい整数であり、ＡはＮより大きくないとともに第１のしきい値より小さくなく、Ａ個の光センサはＮ個の光センサの中のＡ個の光センサであり、Ｂ個の光センサはＡ個の光センサの中のＢ個の光センサであり、そしてＢは第２のしきい値より小さくないことを、アップリフトジェスチャに対応する事前設定された光変化規則は含む。
【０１７１】
Ａ個の光センサによって出力された光強度信号によって反映される光強度が、ハイからローに変化する変化規則にそれぞれ適合し、それから第１の所定期間において不変のままとなり、次にＢ個の光センサによって出力された光強度信号によって反映される光強度が、第１の減少変化にそれぞれ適合し、それからＢ個の光センサのうちの少なくとも１つによって出力された光強度信号によって反映される光強度が、それぞれ第２の所定期間において不変のままとなり、ここで、Ｎ、Ａ、及びＢは１より大きい整数であり、ＡはＮより大きくないとともに第１のしきい値より小さくなく、Ａ個の光センサはＮ個の光センサの中のＡ個の光センサであり、Ｂ個の光センサはＡ個の光センサの中のＢ個の光センサであり、そしてＢは第２のしきい値より小さくないことを、プレスジェスチャに対応する事前設定された光変化規則は含む。
【０１７２】
Ａ個の光センサによって出力された光強度信号によって反映される光強度が、ハイからローに変化する変化規則にそれぞれ適合し、それから第１の所定期間において不変のままとなり、次にＢ個の光センサによって出力された光強度信号によって反映される光強度が、ハイとローとの間をそれぞれ変動し、それからＢ個の光センサのうちの少なくとも１つによって出力された光強度信号によって反映される光強度が、それぞれ第２の所定期間において不変のままとなり、ここで、Ｎ、Ａ、及びＢは１より大きい整数であり、ＡはＮより大きくないとともに第１のしきい値より小さくなく、Ａ個の光センサはＮ個の光センサの中のＡ個の光センサであり、Ｂ個の光センサはＡ個の光センサの中のＢ個の光センサであり、そしてＢは第２のしきい値より小さくないことを、少なくとも１つのプレスジェスチャ及び少なくとも１つのアップリフトジェスチャに対応する事前設定された光変化規則は含む。
【０１７３】
任意に、第１のしきい値はＮ／２より小さくないとともに、第２のしきい値はＡ／２より小さくない。
【０１７４】
具体的には、減少変化、第１の所定期間において不変のままとなること、第２の所定期間において不変のままとなること、第１のロー−ハイ変化、第１の減少変化、及びハイとローとの間の変動に関する説明のために、実施例３に対して参照が行われ得る。
【０１７５】
さらに、実施例３に基づいて、Ｂ個の光センサによって出力された、受信された複数の光強度信号に従って、ジェスチャのアップリフト量又はプレス量がそれぞれ計算されるとともに、包括的なアップリフト量又はプレス量を取得するために、重み和計算（weight  sum  calculation）が実行される。具体的には、一例としてプレス量Ｐｒを使用すると、式は、
【数６】
2015530669.tif 000008
となり、ここで、Ｐｒｊはｊ番目（ｊ≦Ｂ）の光センサのプレス量であり、ｋｊは対応する重み係数であるとともに、ｋｊは各光センサの精度及び感度のようなパラメータに従って選択され得る。
【０１７６】
さらに、平均基準光強度ＬＢＬを取得するために、Ｂ個の光センサの基準光強度に対して加重平均が実行されることができ、それから現在の平均光強度Ｌａｖｇを取得するために、Ｂ個の光センサの現在の光強度に対して加重平均が実行されることができ、以後、プレス量Ｐｒは、平均基準光強度と現在の平均光強度との間の比率又は差異に従って取得される。基準光強度及び現在の光強度に関する説明のために、実施例３に対して参照が行われることができ、すなわち
【数７】
2015530669.tif 000009
又はＰｒ＝Ｌａｖｇ−ＬＢＬであり、ここで、
【数８】
2015530669.tif 000010
はｉ番目（ｉ≦Ｂ）の光センサの基準光強度であり、Ｌｉはｉ番目（ｉ≦Ｂ）の光センサの現在の光強度であり、ｐｉ及びｑｊは重み係数に対応する。重み係数は、各光センサの精度及び感度のようなパラメータに従って選択され得る。
【実施例５】
【０１７７】
この実施例は、上記の実施例に基づいて、非接触ジェスチャを使用することにより端末機器を制御するための方法であって、さらに、認識された非接触ジェスチャに対応する制御操作を端末アプリケーションに対して実行する場合に、認識された非接触ジェスチャに対する特定の制御操作のマッピングを異なる端末アプリケーションに含む、方法を提供する。ジェスチャ動作のマッピングは、異なる端末アプリケーションに従って変更され得る。例えば、図９ａは、４つのアプリケーションシナリオ、すなわち電子ブック、画像ブラウジング、音楽再生、及びビデオ再生における、スワイプジェスチャ、プレスジェスチャ、及びアップリフトジェスチャに対する制御操作の好ましいマッピングを列挙する。図９ｂは、画像ブラウジング、音楽再生、ビデオ再生、及びウェブページブラウジングのアプリケーションシナリオにおける、上−下−左−右スワイプジェスチャ動作の好ましいマッピングを示す。ジェスチャ動作のマッピングは、アプリケーションソフトウェアにおいて事前設定されることができ、そしてさらにユーザによって定義されることができるとともに、ユーザの選択に従って調整されることができる。
【０１７８】
さらに、プレスジェスチャに対応するプレス量は、画像ブラウジングの縮小比率をリアルタイムに調整するために、又は音楽再生中のボリューム減少比率を調整するために、使用され得る。例えば、画像ブラウジング処理においてユーザがプレスジェスチャを使用し、プレス量Ｐｒ＝０．５（比率）である場合に、表示される画像サイズは、オリジナルの画像サイズの０．５倍に縮小される。一般に、プレスジェスチャ処理におけるＰｒは時間とともにゆっくりと減少する値であり、段階的に縮小することのアニメーション効果は、Ｐｒを通して画像表示サイズを制御することによって達成され得る。
【０１７９】
同様に、アップリフトジェスチャに対応するアップリフト量は、画像ブラウジングの拡大比率をリアルタイムに調整するために、又は音楽再生中のボリューム増大比率を調整するために、使用され得る。例えば、画像ブラウジング処理においてユーザがアップリフトジェスチャを使用し、アップリフト量Ｌｒ＝２である場合に、表示される画像サイズは、オリジナルの画像サイズの２倍に拡大される。一般に、アップリフトジェスチャ処理におけるＬｒは時間とともにゆっくりと増大する値であり、段階的に拡大することのアニメーション効果は、Ｌｒを通して画像表示サイズを制御することによって達成され得る。
【０１８０】
プレスジェスチャ及びアップリフトジェスチャの連続動作の組み合わせは、連続的な画像ズーミング又はボリューム調整操作を起動するために使用され得るとともに、ユーザが、反復的微調整によって適切なサイズに画像を調整すること、又は適切な値にボリュームを調整することを支援する。例えば、もしユーザが“プレス−アップリフト−プレス”ジェスチャを完了し、対応する調整量Ａｒが“０．５−０．７−０．６”（比率）であるならば、表示される画像サイズは、最初にオリジナルの画像サイズの０．５倍に縮小され、それから０．７倍に拡大され、さらに０．６倍に縮小され、連続的ズーミングアニメーション効果を形成する。
【０１８１】
上記の実施例における複数の非接触ジェスチャは、特定の実施の間に、例えばスワイプばかりでなくアップリフト及びプレスを同時に認識するとともに、上記の機能を同時に実施するための特定の解決法は、当業者によって知られている技術であり、ここではさらに説明されない、ということを当業者は認識し得る、という点に注意する必要がある。
【実施例６】
【０１８２】
この実施例は、上記の実施例に基づいて、非接触ジェスチャを使用することにより端末機器を制御するための装置であって、１つ又は複数の光センサを含む端末機器に適用できる装置を開示する。図１０において示されるように、装置１００は、一定期間における光強度変化に従って光センサによって出力されるとともに光強度変化を反映する複数の光強度信号を受信するように構成された受信ユニット１０１であって、光強度変化が非接触ジェスチャによって生成される受信ユニット１０１と、受信ユニットによって受信された複数の光強度信号の変化規則が非接触ジェスチャに対応する事前設定された変化規則に適合するかどうかを判定し、もし適合するならば、複数の光強度信号に対応する非接触ジェスチャを認識するように構成されたジェスチャ認識ユニット１０２と、ジェスチャ認識ユニットによって認識された非接触ジェスチャに対応する制御操作を端末アプリケーションに対して実行するように構成された実行ユニット１０３とを具体的に含む。
【０１８３】
端末機器が１つの光センサを含む場合に、ジェスチャ認識ユニットは、スワイプジェスチャ、アップリフトジェスチャ、プレスジェスチャ、及び少なくとも１つのアップリフトジェスチャと少なくとも１つプレスジェスチャを認識するように構成され得る。
【０１８４】
端末機器がＮ個の光センサを含む場合に、ジェスチャ認識ユニットは、上向きジェスチャ、下向きジェスチャ、左向きジェスチャ、右向きジェスチャ、及び少なくとも１つのアップリフトジェスチャと少なくとも１つのプレスジェスチャを認識するように構成され得る。
【０１８５】
端末機器がモーションセンサ又はオリエンテーションセンサを含む場合に、装置は、モーションセンサ又はオリエンテーションセンサによって出力された信号値を受信し、携帯電話が比較的安定した状態にあるかどうかを判定し、もし安定した状態にないならば、出力された複数の光強度信号の変化規則が非接触ジェスチャに対応する事前設定された変化規則に適合するかどうかを判定するステップを起動しないように構成された携帯電話状態判定ユニット１１１であって、該ステップがジェスチャ認識ユニットによって実行される携帯電話状態判定ユニット１１１を更に含む。
【０１８６】
任意に、装置は、アップリフトジェスチャのアップリフト量を取得するように構成されたアップリフト量取得ユニット１１２と、プレスジェスチャのプレス量を取得するように構成されたプレス量取得ユニット１１３とを更に含む。
【０１８７】
任意に、ジェスチャ認識ユニットは、受信ユニットが光センサによって出力された光強度信号のうちの１つを受信するたびに、光センサによって出力され、受信ユニットによって前回受信されたか又は複数回受信された光強度信号のうちの１つ又は複数に従って、出力された複数の光強度信号の変化規則が非接触ジェスチャに対応する事前設定された変化規則に適合するかどうかを判定するように構成されたリアルタイムジェスチャ認識サブユニット１１４を含む。
【０１８８】
任意に、実行ユニットは、画像又は電子ブックアプリケーションに対して、上スワイプジェスチャ、又は下スワイプジェスチャ、又は左スワイプジェスチャ、又は右スワイプジェスチャにそれぞれ対応する、上方向ページフリッピング若しくはドラッギング、下方向ページフリッピング若しくはドラッギング、左方向ページフリッピング若しくはドラッギング、又は右方向ページフリッピング若しくはドラッギングの制御操作を実行するように構成されたスワイプジェスチャ実行サブユニット１１５と、画像アプリケーション又は電子ブックアプリケーションに対して、プレスジェスチャ及び／又はアップリフトジェスチャに対応するズーム操作を実行するように構成されたアップリフト又はプレスジェスチャ実行サブユニット１１６と、アップリフト量取得ユニットによって取得されたアップリフトジェスチャのアップリフト量に従って、画像アプリケーション又は電子ブックアプリケーションに対して、アップリフトジェスチャに対応するズーム操作を実行するように構成された第１のズーム実行サブユニット１１７であって、ズーム操作が実行される場合にアップリフト量取得ユニットによって取得されたアップリフト量に従ってズーム比が決定される第１のズーム実行サブユニット１１７と、プレス量取得ユニットによって取得されたプレスジェスチャのプレス量に従って、画像アプリケーション又は電子ブックアプリケーションに対して、プレスジェスチャに対応するズーム操作を実行するように構成された第２のズーム実行サブユニット１１８であって、ズーム操作が実行される場合にプレス量取得ユニットによって取得されたプレス量に従ってズーム比が決定される第２のズーム実行サブユニット１１８と含む。
【０１８９】
この実施例において、装置におけるユニットの分割は、ユニットの論理的分割であるとともに、実際の製品において、一対一ベースでそれらのユニットに対応する物理的ユニットが存在することを示していない、という点に注意する必要がある。ユニットの具体的な機能の実装に関して、前述の実施例における解決法に対する参照が行われ得るとともに、事前設定された規則性に基づいて特定のジェスチャを検出する方法が、この実施例に対して同様に適用できる。
【実施例７】
【０１９０】
上記の実施例に基づいて、この実施例は、図１２で示されたように、プロセッサ１２１、メモリ１２２、及び光センサ１２３を含む端末機器１２０であって、光センサ１２３が、光強度変化を反映する複数の光強度信号を出力するとともに、１つ又は複数の光センサが含まれ得るように構成され、メモリ１２２が、上記の実施例において非接触ジェスチャを使用することにより端末機器を制御するための方法で使われるアプリケーションプログラムを格納するように構成され、プロセッサが、メモリ内のプログラムを読み出すとともに、下記の、一定期間における光強度変化に従って光センサによって出力されるとともに光強度変化を反映する複数の光強度信号を受信するステップであって、光強度変化が非接触ジェスチャによって生成される、ステップと、出力された複数の光強度信号の変化規則が非接触ジェスチャに対応する事前設定された変化規則に適合するかどうかを判定し、もし適合するならば、複数の光強度信号に対応する非接触ジェスチャを認識するステップと、認識された非接触ジェスチャに対応する制御操作を端末アプリケーションに対して実行するステップとを実行するように構成される、端末機器１２０を開示する。
【０１９１】
さらに、端末機器は、モーションセンサ１２４又はオリエンテーションセンサ１２５を含み、ＣＰＵは、メモリに格納されたアプリケーションプログラムを実行している間に、下記の、モーションセンサ１２４又はオリエンテーションセンサ１２５に従って、携帯電話が比較的安定した状態にあるかどうかを判定し、もし安定した状態にないならば、出力された複数の光強度信号の変化規則が非接触ジェスチャに対応する事前設定された変化規則に適合するかどうかをジェスチャ認識ユニットによって判定するステップを起動しないか、又はもし安定した状態にあるならば、該ステップを起動するステップを実行する。
【０１９２】
この実施例において、メモリに格納されたアプリケーションプログラムがＣＰＵによって実行される場合に、アプリケーションプログラムは、この実施例において説明された処理ステップを実行するだけでなく、前述の実施例における様々な非接触ジェスチャを認識するステップ、及び（プレス量を取得することのような）処理の他の処理ステップを達成し、それらはここでは再度詳細に説明されない。一方、具体的にプログラム実行を実施するために、実施例によって提供される解決法に基づいてどのようにプログラミングを行うかは、当業者によって知られている技術であり、それは同様にここでは再度詳細に説明されない。
【０１９３】
前述の実施例の説明を通して、本発明がハードウェア、又はファームウェア、又はそれらの組み合わせによって実施され得るということを、当業者は明らかに理解し得る。本発明がソフトウェアによって実施される場合に、上記の機能は、コンピュータ読み取り可能な媒体に格納され得るか、又は、伝送用のコンピュータ読み取り可能な媒体上の１つ又は複数の命令若しくはコードになる。コンピュータ読み取り可能な媒体は、コンピュータ記憶媒体及び通信媒体を含み、ここで、通信媒体は、１つの場所から別の場所にコンピュータプログラムを都合良く伝送するためのあらゆる媒体を含む。記憶媒体は、コンピュータがアクセスすることができるあらゆる利用可能な媒体であり得る。例えば、コンピュータ読み取り可能な媒体は、ＲＡＭ、ＲＯＭ、ＥＥＰＲＯＭ、光ディスク、又は他の光ディスク記憶装置、そして磁気ディスク記憶媒体若しくは他の磁気記憶装置、又は命令若しくはデータ構造形式を有する所望のプログラムコードを伝送又は格納するために使用されることができるあらゆる他のコンピュータアクセス可能媒体を含み得るが、しかしそれに限定されない。さらに、あらゆる接続は、適切に、コンピュータ読み取り可能な媒体になり得る。例えば、同軸ケーブル、光ケーブル、ツイストペアケーブル、若しくはデジタル加入者回線（ＤＳＬ）、又は、赤外線、無線、及びマイクロ波のような無線技術を使用することにより、ウェブサイト、サーバ、又は他の遠隔ソースからソフトウェアが送信される場合、同軸ケーブル、光ケーブル、ツイストペアケーブル、若しくはＤＳＬ、又は、赤外線、無線、及びマイクロ波のような無線技術は、媒体の付属物に含まれる。例えば、本発明において使用されるディスク（Ｄｉｓｋ）及びディスク（ｄｉｓｃ）は、光ディスク（ＣＤ）、レーザーディスク（登録商標）、光ディスク、デジタル多目的ディスク（ＤＶＤ）、フロッピー（登録商標）ディスク、及びブルーレイディスクを含み、ここで、ディスク（Ｄｉｓｋ）は、一般に、データを磁気的に複製するために使用され、一方ディスク（ｄｉｓｃ）は、データを光学的に複製するためにレーザー光線を使用する。上記の組み合わせは、コンピュータ読み取り可能な媒体の保護範囲内に同様に含まれるべきである。
【０１９４】
結論として、上記の説明は、単に本発明の代表的な実施例であるが、しかし本発明の保護範囲を限定することを意図していない。本発明の精神及び原理の中で行われるあらゆる変更、同等の置換、又は改善は、本発明の保護範囲に含まれるべきである。
【符号の説明】
【０１９５】
２１    光センサ
１００    装置
１０１    受信ユニット
１０２    ジェスチャ認識ユニット
１０３    実行ユニット
１１１    携帯電話状態判定ユニット
１１２    アップリフト量取得ユニット
１１３    プレス量取得ユニット
１１４    リアルタイムジェスチャ認識サブユニット
１１５    スワイプジェスチャ実行サブユニット
１１６    アップリフト又はプレスジェスチャ実行サブユニット
１１７    第１のズーム実行サブユニット
１１８    第２のズーム実行サブユニット
１２０    端末機器
１２１    プロセッサ
１２２    メモリ
１２３    光センサ
１２４    オリエンテーションセンサ
１２５    モーションセンサ
【図１】
2015530669.tif 000011
【図２ａ】
2015530669.tif 000012
【図２ｂ】
2015530669.tif 000013
【図３ａ】
2015530669.tif 000014
【図３ｂ】
2015530669.tif 000015
【図４ａ】
2015530669.tif 000016
【図４ｂ】
2015530669.tif 000017
【図５】
2015530669.tif 000018
【図６】
2015530669.tif 000019
【図７】
2015530669.tif 000020
【図８】
2015530669.tif 000021
【図９ａ】
2015530669.tif 000022
【図９ｂ】
2015530669.tif 000023
【図１０】
2015530669.tif 000024
【図１１】
2015530669.tif 000025
【図１２】
2015530669.tif 000026
【手続補正書】
【提出日】平成27年3月25日(2015.3.25)
【手続補正１】
【補正対象書類名】特許請求の範囲
【補正対象項目名】全文
【補正方法】変更
【補正の内容】
【特許請求の範囲】
【請求項１】
非接触ジェスチャを使用することにより端末機器を制御するための方法であって、当該方法が１つ又は複数の光センサを含む端末機器に適用でき、当該方法が、
一定期間における光強度変化に従って前記光センサによって出力されるとともに前記光強度変化を反映する複数の光強度信号を受信するステップであって、前記光強度変化が前記非接触ジェスチャによって生成される、ステップと、
前記の出力された複数の光強度信号の変化規則が前記非接触ジェスチャに対応する事前設定された変化規則に適合するかどうかを判定し、もし適合するならば、前記複数の光強度信号に対応する前記非接触ジェスチャを認識するステップと、
前記認識された非接触ジェスチャに対応する制御操作を端末アプリケーションに対して実行するステップとを含む、方法。
【請求項２】
前記複数の光センサが第１の光センサ及び第２の光センサを含み、前記非接触ジェスチャが右スワイプジェスチャを含むとともに、前記右スワイプジェスチャが、前記第１の光センサ及び前記第２の光センサの感知範囲における操作オブジェクトの左から右へのスワイプを含み、
第２の所定期間内に、前記第１の光センサによって出力された複数の光強度信号によって反映される光強度が、第１の所定期間において、減少変化規則に適合し、次に増加変化規則に適合し、そのあとで、前記第２の光センサによって出力された複数の光強度信号によって反映される光強度が、前記第１の所定期間において、減少変化規則に適合し、次に増加変化規則に適合し、前記第１の光センサが前記第２の光センサの左側に置かれることを、前記非接触ジェスチャに対応する前記事前設定された変化規則が含み、
前記端末機器が複数の光センサを含む場合に、あらゆる２つの隣接する光センサの配置位置の間に同等の水平距離が存在し、前記水平距離が最大である、請求項１に記載の方法。
【請求項３】
前記複数の光センサが第１の光センサ及び第２の光センサを含み、前記非接触ジェスチャが左スワイプジェスチャを含むとともに、前記左スワイプジェスチャが、前記第１の光センサ及び前記第２の光センサの感知範囲における操作オブジェクトの右から左へのスワイプを含み、
第２の所定期間内に、前記第２の光センサによって出力された複数の光強度信号によって反映される光強度が、第１の所定期間において、減少変化規則に適合し、次に増加変化規則に適合し、そのあとで、前記第１の光センサによって出力された複数の光強度信号によって反映される光強度が、前記第１の所定期間において、減少変化規則に適合し、次に増加変化規則に適合し、前記第１の光センサが前記第２の光センサの左側に置かれることを、前記非接触ジェスチャに対応する前記事前設定された変化規則が含み、
前記端末機器が複数の光センサを含む場合に、あらゆる２つの隣接する光センサの配置位置の間に同等の水平距離が存在し、前記水平距離が最大である、請求項１に記載の方法。
【請求項４】
前記複数の光センサが第１の光センサ及び第２の光センサを含み、前記非接触ジェスチャが下スワイプジェスチャを含むとともに、前記下スワイプジェスチャが、前記第１の光センサ及び前記第２の光センサの感知範囲における操作オブジェクトの上から下へのスワイプを含み、
第２の所定期間内に、前記第１の光センサによって出力された複数の光強度信号によって反映される光強度が、第１の所定期間において、減少変化規則に適合し、次に増加変化規則に適合し、そのあとで、前記第２の光センサによって出力された複数の光強度信号によって反映される光強度が、前記第１の所定期間において、減少変化規則に適合し、次に増加変化規則に適合し、前記第１の光センサが前記第２の光センサの上側に置かれることを、前記非接触ジェスチャに対応する前記事前設定された変化規則が含み、
前記端末機器が複数の光センサを含む場合に、あらゆる２つの隣接する光センサの配置位置の間に同等の垂直距離が存在し、前記垂直距離が最大である、請求項１に記載の方法。
【請求項５】
前記複数の光センサが第１の光センサ及び第２の光センサを含み、前記非接触ジェスチャが上スワイプジェスチャを含むとともに、前記上スワイプジェスチャが、前記第１の光センサ及び前記第２の光センサの感知範囲における操作オブジェクトの下から上へのスワイプを含み、
第２の所定期間内に、前記第２の光センサによって出力された複数の光強度信号によって反映される光強度が、第１の所定期間において、減少変化規則に適合し、次に増加変化規則に適合し、そのあとで、前記第１の光センサによって出力された複数の光強度信号によって反映される光強度が、前記第１の所定期間において、減少変化規則に適合し、次に増加変化規則に適合し、前記第１の光センサが前記第２の光センサの上側に置かれることを、前記非接触ジェスチャに対応する前記事前設定された変化規則が含み、
前記端末機器が複数の光センサを含む場合に、あらゆる２つの隣接する光センサの配置位置の間に同等の垂直距離が存在し、前記垂直距離が最大である、請求項１に記載の方法。
【請求項６】
前記光センサが第１の光センサを含み、前記非接触ジェスチャがアップリフトジェスチャを含むとともに、前記アップリフトジェスチャが、前記第１の光センサの感知範囲における操作オブジェクトの前記第１の光センサから離れる方向における漸進運動を含み、
複数の光強度信号によって反映される光強度が、第１の減少変化規則に適合し、それから第１の所定期間において不変のままとなり、次に増加変化規則に適合し、そのあとで第２の所定期間において不変のままとなることを、前記非接触ジェスチャに対応する前記事前設定された変化規則が含む、請求項１に記載の方法。
【請求項７】
前記光センサが第１の光センサを含み、前記非接触ジェスチャがプレスジェスチャを含むとともに、前記プレスジェスチャが、前記第１の光センサの感知範囲における操作オブジェクトの前記第１の光センサに向かう方向における漸進運動を含み、
複数の光強度信号によって反映される光強度が、第１の減少変化規則に適合し、それから第１の所定期間において不変のままとなり、次に第２の減少変化規則に適合し、そのあとで第２の所定期間において不変のままとなることを、前記非接触ジェスチャに対応する前記事前設定された変化規則が含む、請求項１に記載の方法。
【請求項８】
前記端末機器がモーションセンサ又はオリエンテーションセンサを含み、当該方法が、
前記モーションセンサ又は前記オリエンテーションセンサによって出力された信号値を受信し、携帯電話が比較的安定した状態にあるかどうかを判定し、もし安定した状態にあるならば、前記の出力された複数の光強度信号の前記変化規則が前記非接触ジェスチャに対応する前記事前設定された変化規則に適合するかどうかを判定する前記ステップを起動するステップを更に含む、請求項１から請求項７のいずれか一項に記載の方法。
【請求項９】
前記の出力された複数の光強度信号の前記変化規則が前記非接触ジェスチャに対応する前記事前設定された変化規則に適合するかどうかを判定する前記ステップが、
前記光センサによって出力された前記光強度信号のうちの１つが受信されるたびに、前記光センサによって出力され、前回受信されたか又は複数回受信された前記光強度信号のうちの１つ又は複数に従って、前記の出力された複数の光強度信号の前記変化規則が前記非接触ジェスチャに対応する前記事前設定された変化規則に適合するかどうかを判定するステップを含む、請求項１から請求項８のいずれか一項に記載の方法。
【請求項１０】
前記非接触ジェスチャが、上スワイプジェスチャ、又は下スワイプジェスチャ、又は左スワイプジェスチャ、又は右スワイプジェスチャを含むとともに、前記端末アプリケーションが、画像アプリケーション又は電子ブックアプリケーションを含み、
前記上スワイプジェスチャが、前記第１の光センサ及び前記第２の光センサの前記感知範囲における前記操作オブジェクトの下から上へのスワイプを含み、前記下スワイプジェスチャが、前記第１の光センサ及び前記第２の光センサの前記感知範囲における前記操作オブジェクトの上から下へのスワイプを含み、前記左スワイプジェスチャが、前記第１の光センサ及び前記第２の光センサの前記感知範囲における前記操作オブジェクトの右から左へのスワイプを含み、前記右スワイプジェスチャが、前記第１の光センサ及び前記第２の光センサの前記感知範囲における前記操作オブジェクトの左から右へのスワイプを含み、
前記認識された非接触ジェスチャに対応する制御操作を端末アプリケーションに対して実行する前記ステップが、
前記画像又は電子ブックアプリケーションに対して、前記上スワイプジェスチャ、又は前記下スワイプジェスチャ、又は前記左スワイプジェスチャ、又は前記右スワイプジェスチャに対応する、上方向ページフリッピング若しくはドラッギング、下方向ページフリッピング若しくはドラッギング、左方向ページフリッピング若しくはドラッギング、又は右方向ページフリッピング若しくはドラッギングの制御操作を実行するステップを含む、請求項２から請求項５のいずれか一項に記載の方法。
【請求項１１】
前記非接触ジェスチャが、プレスジェスチャ及び／又はアップリフトジェスチャを含み、前記端末アプリケーションが、画像アプリケーション又は電子ブックアプリケーションを含む場合に、
前記認識された非接触ジェスチャに対応する制御操作を端末アプリケーションに対して実行する前記ステップが、前記画像アプリケーション又は前記電子ブックアプリケーションに対して、前記プレスジェスチャ及び／又は前記アップリフトジェスチャに対応するズーム操作を実行するステップを含む、請求項１から請求項９のいずれか一項に記載の方法。
【請求項１２】
非接触ジェスチャを使用することにより端末機器を制御するための装置であって、当該装置が１つ又は複数の光センサを含む端末機器に適用でき、当該装置が、
一定期間における光強度変化に従って前記光センサによって出力されるとともに前記光強度変化を反映する複数の光強度信号を受信するように構成された受信ユニットであって、前記光強度変化が前記非接触ジェスチャによって生成される前記受信ユニットと、
前記受信ユニットによって受信された前記の出力された複数の光強度信号の変化規則が前記非接触ジェスチャに対応する事前設定された変化規則に適合するかどうかを判定し、もし適合するならば、前記複数の光強度信号に対応する前記非接触ジェスチャを認識するように構成されたジェスチャ認識ユニットと、
前記ジェスチャ認識ユニットによって認識された前記非接触ジェスチャに対応する制御操作を端末アプリケーションに対して実行するように構成された実行ユニットとを含む、装置。
【請求項１３】
前記複数の光センサが第１の光センサ及び第２の光センサを含み、前記非接触ジェスチャが右スワイプジェスチャを含むとともに、前記右スワイプジェスチャが、前記第１の光センサ及び前記第２の光センサの感知範囲における操作オブジェクトの左から右へのスワイプを含み、
第２の所定期間内に、前記第１の光センサによって出力された複数の光強度信号によって反映される光強度が、第１の所定期間において、減少変化規則に適合し、次に増加変化規則に適合し、そのあとで、前記第２の光センサによって出力された複数の光強度信号によって反映される光強度が、前記第１の所定期間において、減少変化規則に適合し、次に増加変化規則に適合し、前記第１の光センサが前記第２の光センサの左側に置かれることを、前記非接触ジェスチャに対応する前記事前設定された変化規則が含み、
前記端末機器が複数の光センサを含む場合に、あらゆる２つの隣接する光センサの配置位置の間に同等の水平距離が存在し、前記水平距離が最大である、請求項１２に記載の装置。
【請求項１４】
前記複数の光センサが第１の光センサ及び第２の光センサを含み、前記非接触ジェスチャが左スワイプジェスチャを含むとともに、前記左スワイプジェスチャが、前記第１の光センサ及び前記第２の光センサの感知範囲における操作オブジェクトの右から左へのスワイプを含み、
第２の所定期間内に、前記第２の光センサによって出力された複数の光強度信号によって反映される光強度が、第１の所定期間において、減少変化規則に適合し、次に増加変化規則に適合し、そのあとで、前記第１の光センサによって出力された複数の光強度信号によって反映される光強度が、前記第１の所定期間において、減少変化規則に適合し、次に増加変化規則に適合し、前記第１の光センサが前記第２の光センサの左側に置かれることを、前記非接触ジェスチャに対応する前記事前設定された変化規則が含み、
前記端末機器が複数の光センサを含む場合に、あらゆる２つの隣接する光センサの配置位置の間に同等の水平距離が存在し、前記水平距離が最大である、請求項１２に記載の装置。
【請求項１５】
前記複数の光センサが第１の光センサ及び第２の光センサを含み、前記非接触ジェスチャが下スワイプジェスチャを含むとともに、前記下スワイプジェスチャが、前記第１の光センサ及び前記第２の光センサの感知範囲における操作オブジェクトの上から下へのスワイプを含み、
第２の所定期間内に、前記第１の光センサによって出力された複数の光強度信号によって反映される光強度が、第１の所定期間において、減少変化規則に適合し、次に増加変化規則に適合し、そのあとで、前記第２の光センサによって出力された複数の光強度信号によって反映される光強度が、前記第１の所定期間において、減少変化規則に適合し、次に増加変化規則に適合し、前記第１の光センサの配置位置が前記第２の光センサの配置位置の上側にあることを、前記非接触ジェスチャに対応する前記事前設定された変化規則が含み、
前記端末機器が複数の光センサを含む場合に、あらゆる２つの隣接する光センサの配置位置の間に同等の垂直距離が存在し、前記垂直距離が最大である、請求項１２に記載の装置。
【請求項１６】
前記複数の光センサが第１の光センサ及び第２の光センサを含み、前記非接触ジェスチャが上スワイプジェスチャを含むとともに、前記上スワイプジェスチャが、前記第１の光センサ及び前記第２の光センサの感知範囲における操作オブジェクトの下から上へのスワイプを含み、
第２の所定期間内に、前記第２の光センサによって出力された複数の光強度信号によって反映される光強度が、第１の所定期間において、減少変化規則に適合し、次に増加変化規則に適合し、そのあとで、前記第１の光センサによって出力された複数の光強度信号によって反映される光強度が、前記第１の所定期間において、減少変化規則に適合し、次に増加変化規則に適合し、前記第１の光センサの配置位置が前記第２の光センサの配置位置の上側にあることを、前記非接触ジェスチャに対応する前記事前設定された変化規則が含み、
前記端末機器が複数の光センサを含む場合に、あらゆる２つの隣接する光センサの配置位置の間に同等の垂直距離が存在し、前記垂直距離が最大である、請求項１２に記載の装置。
【請求項１７】
前記光センサが第１の光センサを含み、前記非接触ジェスチャがアップリフトジェスチャを含むとともに、前記アップリフトジェスチャが、前記第１の光センサの感知範囲における操作オブジェクトの前記第１の光センサから離れる方向における漸進運動を含み、
複数の光強度信号によって反映される光強度が、第１の減少変化規則に適合し、それから第１の所定期間において不変のままとなり、次に増加変化規則に適合し、そのあとで第２の所定期間において不変のままとなることを、前記非接触ジェスチャに対応する前記事前設定された変化規則が含む、請求項１２に記載の装置。
【請求項１８】
前記光センサが第１の光センサを含み、前記非接触ジェスチャがプレスジェスチャを含むとともに、前記プレスジェスチャが、前記第１の光センサの感知範囲における操作オブジェクトの前記第１の光センサに向かう方向における漸進運動を含み、
複数の光強度信号によって反映される光強度が、第１の減少変化規則に適合し、それから第１の所定期間において不変のままとなり、次に第２の減少変化規則に適合し、そのあとで第２の所定期間において不変のままとなることを、前記非接触ジェスチャに対応する前記事前設定された変化規則が含む、請求項１２に記載の装置。
【請求項１９】
前記端末機器がモーションセンサ又はオリエンテーションセンサを更に含み、当該装置が、
前記モーションセンサ又は前記オリエンテーションセンサによって出力された信号値を受信し、携帯電話が比較的安定した状態にあるかどうかを判定し、もし安定した状態にあるならば、前記の出力された複数の光強度信号の前記変化規則が前記非接触ジェスチャに対応する前記事前設定された変化規則に適合するかどうかを判定するステップを起動するように構成された携帯電話状態判定ユニットであって、前記ステップが前記ジェスチャ認識ユニットによって実行される前記携帯電話状態判定ユニットを更に含む、請求項１２から請求項１８のいずれか一項に記載の装置。
【請求項２０】
前記ジェスチャ認識ユニットが、
前記受信ユニットが前記光センサによって出力された前記光強度信号のうちの１つを受信するたびに、前記光センサによって出力され、前記受信ユニットによって前回受信されたか又は複数回受信された前記光強度信号のうちの１つ又は複数に従って、前記の出力された複数の光強度信号の前記変化規則が前記非接触ジェスチャに対応する前記事前設定された変化規則に適合するかどうかを判定するように構成されたリアルタイムジェスチャ認識サブユニットを含む、請求項１２から請求項１９のいずれか一項に記載の装置。
【請求項２１】
前記非接触ジェスチャが、上スワイプジェスチャ、又は下スワイプジェスチャ、又は左スワイプジェスチャ、又は右スワイプジェスチャを含むとともに、前記端末アプリケーションが、画像アプリケーション又は電子ブックアプリケーションを含み、
前記上スワイプジェスチャが、前記第１の光センサ及び前記第２の光センサの前記感知範囲における前記操作オブジェクトの下から上へのスワイプを含み、前記下スワイプジェスチャが、前記第１の光センサ及び前記第２の光センサの前記感知範囲における前記操作オブジェクトの上から下へのスワイプを含み、前記左スワイプジェスチャが、前記第１の光センサ及び前記第２の光センサの前記感知範囲における前記操作オブジェクトの右から左へのスワイプを含み、前記右スワイプジェスチャが、前記第１の光センサ及び前記第２の光センサの前記感知範囲における前記操作オブジェクトの左から右へのスワイプを含み、
前記実行ユニットが、前記画像又は電子ブックアプリケーションに対して、前記上スワイプジェスチャ、又は前記下スワイプジェスチャ、又は前記左スワイプジェスチャ、又は前記右スワイプジェスチャに対応する、上方向ページフリッピング若しくはドラッギング、下方向ページフリッピング若しくはドラッギング、左方向ページフリッピング若しくはドラッギング、又は右方向ページフリッピング若しくはドラッギングの制御操作を実行するように構成されたスワイプジェスチャ実行サブユニットを含む、請求項１３から請求項１６のいずれか一項に記載の装置。
【請求項２２】
前記非接触ジェスチャが、プレスジェスチャ及び／又はアップリフトジェスチャを含み、前記端末アプリケーションが、画像アプリケーション又は電子ブックアプリケーションを含む場合に、前記実行ユニットが、
前記画像アプリケーション又は前記電子ブックアプリケーションに対して、前記プレスジェスチャ及び／又は前記アップリフトジェスチャに対応するズーム操作を実行するように構成されたアップリフト又はプレスジェスチャ実行サブユニットを含む、請求項１２から請求項２０のいずれか一項に記載の装置。
【手続補正２】
【補正対象書類名】明細書
【補正対象項目名】０００６
【補正方法】変更
【補正の内容】
【０００６】
現存する非接触ジェスチャ認識技術は、２次元及び３次元の光学的画像認識方法などを主として含む。従来技術は、少なくとも下記の、スマート端末のハードウェア構成についての高いアルゴリズム複雑度、大きな電力消費、及び特別要求事項という欠点を有し、したがって、スマート端末は、スマート端末の現存するハードウェア構成に基づいて、ソフトウェアを介して簡単かつ能率的に非接触ジェスチャを使用することによって制御されることができない。
【手続補正３】
【補正対象書類名】明細書
【補正対象項目名】００１０
【補正方法】変更
【補正の内容】
【００１０】
第１の態様の第２の可能な実装例において、前記複数の光センサは第１の光センサ及び第２の光センサを含み、前記非接触ジェスチャは右スワイプジェスチャを含むとともに、前記右スワイプジェスチャは、前記第１の光センサ及び前記第２の光センサの感知範囲における操作オブジェクトの左から右へのスワイプを含み、第２の所定期間内に、前記第１の光センサによって出力された複数の光強度信号によって反映される光強度が、第１の所定期間において、減少変化規則に適合し、次に増加変化規則に適合し、そのあとで、前記第２の光センサによって出力された複数の光強度信号によって反映される光強度が、前記第１の所定期間において、減少変化規則に適合し、次に増加変化規則に適合し、前記第１の光センサが前記第２の光センサの左側に置かれることを、前記非接触ジェスチャに対応する前記事前設定された変化規則は含む。
【手続補正４】
【補正対象書類名】明細書
【補正対象項目名】００１１
【補正方法】変更
【補正の内容】
【００１１】
第１の態様の第３の可能な実装例において、前記複数の光センサは第１の光センサ及び第２の光センサを含み、前記非接触ジェスチャは左スワイプジェスチャを含むとともに、前記左スワイプジェスチャは、前記第１の光センサ及び前記第２の光センサの感知範囲における操作オブジェクトの右から左へのスワイプを含み、第２の所定期間内に、前記第２の光センサによって出力された複数の光強度信号によって反映される光強度が、第１の所定期間において、減少変化規則に適合し、次に増加変化規則に適合し、そのあとで、前記第１の光センサによって出力された複数の光強度信号によって反映される光強度が、前記第１の所定期間において、減少変化規則に適合し、次に増加変化規則に適合し、前記第１の光センサが前記第２の光センサの左側に置かれることを、前記非接触ジェスチャに対応する前記事前設定された変化規則は含む。
【手続補正５】
【補正対象書類名】明細書
【補正対象項目名】００１３
【補正方法】変更
【補正の内容】
【００１３】
第１の態様の第５の可能な実装例において、前記複数の光センサは第１の光センサ及び第２の光センサを含み、前記非接触ジェスチャは下スワイプジェスチャを含むとともに、前記下スワイプジェスチャは、前記第１の光センサ及び前記第２の光センサの感知範囲における操作オブジェクトの上から下へのスワイプを含み、第２の所定期間内に、前記第１の光センサによって出力された複数の光強度信号によって反映される光強度が、第１の所定期間において、減少変化規則に適合し、次に増加変化規則に適合し、そのあとで、前記第２の光センサによって出力された複数の光強度信号によって反映される光強度が、前記第１の所定期間において、減少変化規則に適合し、次に増加変化規則に適合し、前記第１の光センサが前記第２の光センサの上側に置かれることを、前記非接触ジェスチャに対応する前記事前設定された変化規則は含む。
【手続補正６】
【補正対象書類名】明細書
【補正対象項目名】００１４
【補正方法】変更
【補正の内容】
【００１４】
第１の態様の第６の可能な実装例において、前記複数の光センサは第１の光センサ及び第２の光センサを含み、前記非接触ジェスチャは上スワイプジェスチャを含むとともに、前記上スワイプジェスチャは、前記第１の光センサ及び前記第２の光センサの感知範囲における操作オブジェクトの下から上へのスワイプを含み、第２の所定期間内に、前記第２の光センサによって出力された複数の光強度信号によって反映される光強度が、第１の所定期間において、減少変化規則に適合し、次に増加変化規則に適合し、そのあとで、前記第１の光センサによって出力された複数の光強度信号によって反映される光強度が、前記第１の所定期間において、減少変化規則に適合し、次に増加変化規則に適合し、前記第１の光センサが前記第２の光センサの上側に置かれることを、前記非接触ジェスチャに対応する前記事前設定された変化規則は含む。
【手続補正７】
【補正対象書類名】明細書
【補正対象項目名】００１７
【補正方法】変更
【補正の内容】
【００１７】
第１の態様の第２から第７の可能な実装例のいずれか１つを参照すると、第９の可能な実装例において、前記第２の所定期間は、前記第１の光センサによって出力された前記複数の光強度信号に対応する第１のスワイプジェスチャを認識する第１の時刻と前記第２の光センサによって出力された前記複数の光強度信号に対応する第２のスワイプジェスチャを認識する第２の時刻との間の時間間隔の標準値である。
【手続補正８】
【補正対象書類名】明細書
【補正対象項目名】００１９
【補正方法】変更
【補正の内容】
【００１９】
第１の態様の第１０の可能な実装例を参照すると、第１の態様の第１１の可能な実装例において、前記第１のしきい値は、前記スワイプジェスチャを生成する前記操作オブジェクトによって前記光センサが遮蔽される場合の光強度の標準的な減少量であり、前記第２のしきい値は、前記光センサが遮蔽されたあとで前記スワイプジェスチャを生成する前記操作オブジェクトが離れる場合の光強度の標準的な増加量である。
【手続補正９】
【補正対象書類名】明細書
【補正対象項目名】００２２
【補正方法】変更
【補正の内容】
【００２２】
第１の態様の第１４の可能な実装例において、前記光センサは第１の光センサを含み、前記非接触ジェスチャは少なくとも１つのアップリフトジェスチャ及び少なくとも１つのプレスジェスチャを含むとともに、前記プレスジェスチャは、前記第１の光センサの感知範囲における操作オブジェクトの前記第１の光センサに向かう方向における漸進運動を含み、前記アップリフトジェスチャは、前記第１の光センサの前記感知範囲における前記操作オブジェクトの前記第１の光センサから離れる方向における漸進運動を含み、光強度が、第１の減少変化規則に適合し、それから第１の所定期間において不変のままとなり、次に減少変動規則に適合し、そのあとで第２の所定期間において不変のままとなることを、前記非接触ジェスチャに対応する前記事前設定された変化規則は含む。
【手続補正１０】
【補正対象書類名】明細書
【補正対象項目名】００２８
【補正方法】変更
【補正の内容】
【００２８】
第１の態様の第１４又は第１７の可能な実装例を参照すると、第２０の可能な実装例において、前記複数の光強度信号は、第１の光強度信号、第２の光強度信号、第３の光強度信号、第４の光強度信号、第５の光強度信号、及び第６の光強度信号を含み、前記第２の光強度信号を受信する時刻は前記第１の光強度信号を受信する時刻より遅く、前記第３の光強度信号を受信する時刻は前記第２の光強度信号を受信する時刻より遅く、前記第４の光強度信号を受信する時刻は前記第３の光強度信号を受信する時刻より遅く、前記第５の光強度信号を受信する時刻は前記第４の光強度信号を受信する時刻より遅く、そして前記第６の光強度信号を受信する時刻は前記第５の光強度信号を受信する時刻より遅いとともに、第３の所定期間において、前記第２の光強度信号によって反映される信号強度が、第３のしきい値より小さくない減少量で、前記複数の光強度信号の中の前記第１の光強度信号によって反映される信号強度より小さいことを、前記第１の減少変化規則は含み、前記複数の光強度信号の中の前記第３の光強度信号によって反映される信号強度が、第４のしきい値より大きくない増加量で、前記複数の光強度信号の中の前記第２の光強度信号によって反映される信号強度より小さくないこと、又は前記第３の光強度信号によって反映される信号強度が、第４のしきい値より大きくない減少量で、前記複数の光強度信号の中の前記第２の光強度信号によって反映される信号強度より大きくないことを、前記第１の所定期間において不変のままとなることは含み、前記複数の光強度信号の中の前記第４の光強度信号によって反映される信号強度が、前記複数の光強度信号の中の前記第３の光強度信号によって反映される信号強度より小さく、さらには前記複数の光強度信号の中の前記第５の光強度信号によって反映される信号強度が、前記複数の光強度信号の中の前記第４の光強度信号によって反映される信号強度より大きいこと、又は前記複数の光強度信号の中の前記第４の光強度信号によって反映される信号強度が、前記複数の光強度信号の中の前記第３の光強度信号によって反映される信号強度より大きく、さらには前記複数の光強度信号の中の前記第５の光強度信号によって反映される信号強度が、前記複数の光強度信号の中の前記第４の光強度信号によって反映される信号強度より小さいことを、前記減少変動規則は含み、前記複数の光強度信号の中の前記第６の光強度信号によって反映される信号強度が、第４のしきい値より大きくない増加量で、前記複数の光強度信号の中の前記第５の光強度信号によって反映される信号強度より小さくないこと、又は前記第６の光強度信号によって反映される信号強度が、第４のしきい値より大きくない減少量で、前記複数の光強度信号の中の前記第５の光強度信号によって反映される信号強度より大きくないことを、前記第２の所定期間において不変のままとなることは含む。
【手続補正１１】
【補正対象書類名】明細書
【補正対象項目名】００２９
【補正方法】変更
【補正の内容】
【００２９】
第１の態様の第１２から第１７の可能な実装例のいずれか１つを参照すると、第２１の可能な実装例において、前記第１の所定期間は、前記プレスジェスチャ又は前記アップリフトジェスチャを生成する前記操作オブジェクトによって前記光センサを遮蔽する時刻とプレスすることを開始するか又はアップリフトすることを開始する時刻との間の時間間隔の標準値であり、前記第２の所定期間は、前記プレスジェスチャ又は前記アップリフトジェスチャを生成する前記操作オブジェクトがある程度までプレスされたか又はアップリフトされた後で静止している状態を保つ場合に前記光センサが遮蔽される持続時間の標準値である。
【手続補正１２】
【補正対象書類名】明細書
【補正対象項目名】００３４
【補正方法】変更
【補正の内容】
【００３４】
第１の態様の第２から第７の可能な実装例のいずれか１つを参照すると、第２６の可能な実装例において、前記非接触ジェスチャは、上スワイプジェスチャ、又は下スワイプジェスチャ、又は左スワイプジェスチャ、又は右スワイプジェスチャを含むとともに、前記端末アプリケーションは、画像アプリケーション又は電子ブックアプリケーションを含み、前記上スワイプジェスチャは、前記第１の光センサ及び前記第２の光センサの前記感知範囲における前記操作オブジェクトの下から上へのスワイプを含み、前記下スワイプジェスチャは、前記第１の光センサ及び前記第２の光センサの前記感知範囲における前記操作オブジェクトの上から下へのスワイプを含み、前記左スワイプジェスチャは、前記第１の光センサ及び前記第２の光センサの前記感知範囲における前記操作オブジェクトの右から左へのスワイプを含み、前記右スワイプジェスチャは、前記第１の光センサ及び前記第２の光センサの前記感知範囲における前記操作オブジェクトの左から右へのスワイプを含み、前記認識された非接触ジェスチャに対応する制御操作を端末アプリケーションに対して実行する前記ステップは、前記画像又は電子ブックアプリケーションに対して、前記上スワイプジェスチャ、又は前記下スワイプジェスチャ、又は前記左スワイプジェスチャ、又は前記右スワイプジェスチャに対応する、上方向ページフリッピング若しくはドラッギング、下方向ページフリッピング若しくはドラッギング、左方向ページフリッピング若しくはドラッギング、又は右方向ページフリッピング若しくはドラッギングの制御操作を実行するステップを含む。
【手続補正１３】
【補正対象書類名】明細書
【補正対象項目名】００３６
【補正方法】変更
【補正の内容】
【００３６】
第１の態様の第１２、第１５、及び第１８の可能な実装例のいずれか１つを参照すると、第２８の可能な実装例において、当該方法は、前記アップリフトジェスチャのアップリフト量を取得するステップを更に含み、前記認識された非接触ジェスチャに対応する制御操作を端末アプリケーションに対して実行する前記ステップは、画像アプリケーション又は電子ブックアプリケーションに対して、前記アップリフトジェスチャに対応するズーム操作を実行するステップであって、前記ズーム操作が実行される場合に前記アップリフト量に従ってズーム比が決定されるステップを含む。
【手続補正１４】
【補正対象書類名】明細書
【補正対象項目名】００３７
【補正方法】変更
【補正の内容】
【００３７】
第１の態様の第１３、第１６、及び第１９の可能な実装例のいずれか１つを参照すると、第２９の可能な実装例において、当該方法は、前記プレスジェスチャのプレス量を取得するステップを更に含み、前記認識された非接触ジェスチャに対応する制御操作を端末アプリケーションに対して実行する前記ステップは、画像アプリケーション又は電子ブックアプリケーションに対して、前記プレスジェスチャに対応するズーム操作を実行するステップであって、前記ズーム操作が実行される場合に前記プレス量に従ってズーム比が決定されるステップを含む。
【手続補正１５】
【補正対象書類名】明細書
【補正対象項目名】００４３
【補正方法】変更
【補正の内容】
【００４３】
第１の態様の第１７又は第３４の可能な実装例を参照すると、第３５の可能な実装例において、前記複数の光強度信号は、第１の光強度信号、第２の光強度信号、第３の光強度信号、第４の光強度信号、第５の光強度信号、及び第６の光強度信号を含み、前記第２の光強度信号を受信する時刻は前記第１の光強度信号を受信する時刻より遅く、前記第３の光強度信号を受信する時刻は前記第２の光強度信号を受信する時刻より遅く、前記第４の光強度信号を受信する時刻は前記第３の光強度信号を受信する時刻より遅く、前記第５の光強度信号を受信する時刻は前記第４の光強度信号を受信する時刻より遅く、そして前記第６の光強度信号を受信する時刻は前記第５の光強度信号を受信する時刻より遅いとともに、第３の所定期間において、前記第２の光強度信号によって反映される信号強度が、第３のしきい値より小さくない減少量で、前記複数の光強度信号の中の前記第１の光強度信号によって反映される信号強度より小さいことを、前記第１の減少変化規則は含み、前記複数の光強度信号の中の前記第３の光強度信号によって反映される信号強度が、第４のしきい値より大きくない増加量で、前記複数の光強度信号の中の前記第２の光強度信号によって反映される信号強度より小さくないこと、又は前記第３の光強度信号によって反映される信号強度が、第４のしきい値より大きくない減少量で、前記複数の光強度信号の中の前記第２の光強度信号によって反映される信号強度より大きくないことを、前記第１の所定期間において不変のままとなることは含み、前記複数の光強度信号の中の前記第４の光強度信号によって反映される信号強度が、前記複数の光強度信号の中の前記第３の光強度信号によって反映される信号強度より小さく、さらには前記複数の光強度信号の中の前記第５の光強度信号によって反映される信号強度が、前記複数の光強度信号の中の前記第４の光強度信号によって反映される信号強度より大きいこと、又は前記複数の光強度信号の中の前記第４の光強度信号によって反映される信号強度が、前記複数の光強度信号の中の前記第３の光強度信号によって反映される信号強度より大きく、さらには前記複数の光強度信号の中の前記第５の光強度信号によって反映される信号強度が、前記複数の光強度信号の中の前記第４の光強度信号によって反映される信号強度より小さいことを、前記減少変動規則は含み、前記複数の光強度信号の中の前記第６の光強度信号によって反映される信号強度が、第４のしきい値より大きくない増加量で、前記複数の光強度信号の中の前記第５の光強度信号によって反映される信号強度より小さくないこと、又は前記第６の光強度信号によって反映される信号強度が、第４のしきい値より大きくない減少量で、前記複数の光強度信号の中の前記第５の光強度信号によって反映される信号強度より大きくないことを、前記第２の所定期間において不変のままとなることは含む。
【手続補正１６】
【補正対象書類名】明細書
【補正対象項目名】００５０
【補正方法】変更
【補正の内容】
【００５０】
第１の態様、又は第１の態様の第１から第４１の可能な実装例のいずれか１つを参照すると、第４２の可能な実装例において、前記非接触ジェスチャは、上スワイプジェスチャ、又は下スワイプジェスチャ、又は左スワイプジェスチャ、又は右スワイプジェスチャを含むとともに、前記端末アプリケーションは、画像アプリケーション又は電子ブックアプリケーションを含み、前記上スワイプジェスチャは、前記第１の光センサ及び前記第２の光センサの前記感知範囲における前記操作オブジェクトの下から上へのスワイプを含み、前記下スワイプジェスチャは、前記第１の光センサ及び前記第２の光センサの前記感知範囲における前記操作オブジェクトの上から下へのスワイプを含み、前記左スワイプジェスチャは、前記第１の光センサ及び前記第２の光センサの前記感知範囲における前記操作オブジェクトの右から左へのスワイプを含み、前記右スワイプジェスチャは、前記第１の光センサ及び前記第２の光センサの前記感知範囲における前記操作オブジェクトの左から右へのスワイプを含み、前記認識された非接触ジェスチャに対応する制御操作を端末アプリケーションに対して実行する前記ステップは、前記画像又は電子ブックアプリケーションに対して、前記上スワイプジェスチャ、又は前記下スワイプジェスチャ、又は前記左スワイプジェスチャ、又は前記右スワイプジェスチャに対応する、上方向ページフリッピング若しくはドラッギング、下方向ページフリッピング若しくはドラッギング、左方向ページフリッピング若しくはドラッギング、又は右方向ページフリッピング若しくはドラッギングの制御操作を実行するステップを含む。
【手続補正１７】
【補正対象書類名】明細書
【補正対象項目名】００５２
【補正方法】変更
【補正の内容】
【００５２】
第１の態様の第１２、第１５、及び第３４の可能な実装例のいずれか１つを参照すると、第４４の可能な実装例において、当該方法は、前記アップリフトジェスチャのアップリフト量を取得するステップを更に含み、前記認識された非接触ジェスチャに対応する制御操作を端末アプリケーションに対して実行する前記ステップは、画像アプリケーション又は電子ブックアプリケーションに対して、前記アップリフトジェスチャに対応するズーム操作を実行するステップであって、前記ズーム操作が実行される場合に前記アップリフト量に従ってズーム比が決定されるステップを含む。
【手続補正１８】
【補正対象書類名】明細書
【補正対象項目名】００５３
【補正方法】変更
【補正の内容】
【００５３】
第１の態様の第１３、第１７、及び第３２の可能な実装例のいずれか１つを参照すると、第４５の可能な実装例において、当該方法は、前記プレスジェスチャのプレス量を取得するステップを更に含み、前記認識された非接触ジェスチャに対応する制御操作を端末アプリケーションに対して実行する前記ステップは、画像アプリケーション又は電子ブックアプリケーションに対して、前記プレスジェスチャに対応するズーム操作を実行するステップであって、前記ズーム操作が実行される場合に前記プレス量に従ってズーム比が決定されるステップを含む。
【手続補正１９】
【補正対象書類名】明細書
【補正対象項目名】００５６
【補正方法】変更
【補正の内容】
【００５６】
第２の態様において、本発明は、非接触ジェスチャを使用することにより端末機器を制御するための装置であって、当該装置が１つ又は複数の光センサを含む端末機器に適用でき、当該装置が、一定期間における光強度変化に従って前記光センサによって出力されるとともに前記光強度変化を反映する複数の光強度信号を受信するように構成された受信ユニットであって、前記光強度変化が前記非接触ジェスチャによって生成される前記受信ユニットと、前記受信ユニットによって受信された前記の出力された複数の光強度信号の変化規則が前記非接触ジェスチャに対応する事前設定された変化規則に適合するかどうかを判定し、もし適合するならば、前記複数の光強度信号に対応する前記非接触ジェスチャを認識するように構成されたジェスチャ認識ユニットと、前記ジェスチャ認識ユニットによって認識された前記非接触ジェスチャに対応する制御操作を端末アプリケーションに対して実行するように構成された実行ユニットとを含む、装置を提供する。
【手続補正２０】
【補正対象書類名】明細書
【補正対象項目名】００５８
【補正方法】変更
【補正の内容】
【００５８】
第２の態様の第２の可能な実装例において、前記複数の光センサは第１の光センサ及び第２の光センサを含み、前記非接触ジェスチャは右スワイプジェスチャを含むとともに、前記右スワイプジェスチャは、前記第１の光センサ及び前記第２の光センサの感知範囲における操作オブジェクトの左から右へのスワイプを含み、第２の所定期間内に、前記第１の光センサによって出力された複数の光強度信号によって反映される光強度が、第１の所定期間において、減少変化規則に適合し、次に増加変化規則に適合し、そのあとで、前記第２の光センサによって出力された複数の光強度信号によって反映される光強度が、前記第１の所定期間において、減少変化規則に適合し、次に増加変化規則に適合し、前記第１の光センサが前記第２の光センサの左側に置かれることを、前記非接触ジェスチャに対応する前記事前設定された変化規則は含む。
【手続補正２１】
【補正対象書類名】明細書
【補正対象項目名】００５９
【補正方法】変更
【補正の内容】
【００５９】
第２の態様の第３の可能な実装例において、前記複数の光センサは第１の光センサ及び第２の光センサを含み、前記非接触ジェスチャは左スワイプジェスチャを含むとともに、前記左スワイプジェスチャは、前記第１の光センサ及び前記第２の光センサの感知範囲における操作オブジェクトの右から左へのスワイプを含み、第２の所定期間内に、前記第２の光センサによって出力された複数の光強度信号によって反映される光強度が、第１の所定期間において、減少変化規則に適合し、次に増加変化規則に適合し、そのあとで、前記第１の光センサによって出力された複数の光強度信号によって反映される光強度が、前記第１の所定期間において、減少変化規則に適合し、次に増加変化規則に適合し、前記第１の光センサが前記第２の光センサの左側に置かれることを、前記非接触ジェスチャに対応する前記事前設定された変化規則は含む。
【手続補正２２】
【補正対象書類名】明細書
【補正対象項目名】００６０
【補正方法】変更
【補正の内容】
【００６０】
第２の態様の第２又は第３の可能な実装例を参照すると、前記端末機器が複数の光センサを含む場合に、あらゆる２つの隣接する光センサの配置位置の間に同等の水平距離が存在し、前記水平距離は最大である。
【手続補正２３】
【補正対象書類名】明細書
【補正対象項目名】００６１
【補正方法】変更
【補正の内容】
【００６１】
第２の態様の第４の可能な実装例において、前記複数の光センサは第１の光センサ及び第２の光センサを含み、前記非接触ジェスチャは下スワイプジェスチャを含むとともに、前記下スワイプジェスチャは、前記第１の光センサ及び前記第２の光センサの感知範囲における操作オブジェクトの上から下へのスワイプを含み、第２の所定期間内に、前記第１の光センサによって出力された複数の光強度信号によって反映される光強度が、第１の所定期間において、減少変化規則に適合し、次に増加変化規則に適合し、そのあとで、前記第２の光センサによって出力された複数の光強度信号によって反映される光強度が、前記第１の所定期間において、減少変化規則に適合し、次に増加変化規則に適合し、前記第１の光センサが前記第２の光センサの上側に置かれることを、前記非接触ジェスチャに対応する前記事前設定された変化規則は含む。
【手続補正２４】
【補正対象書類名】明細書
【補正対象項目名】００６２
【補正方法】変更
【補正の内容】
【００６２】
第２の態様の第５の可能な実装例において、前記複数の光センサは第１の光センサ及び第２の光センサを含み、前記非接触ジェスチャは上スワイプジェスチャを含むとともに、前記上スワイプジェスチャは、前記第１の光センサ及び前記第２の光センサの感知範囲における操作オブジェクトの下から上へのスワイプを含み、第２の所定期間内に、前記第２の光センサによって出力された複数の光強度信号によって反映される光強度が、第１の所定期間において、減少変化規則に適合し、次に増加変化規則に適合し、そのあとで、前記第１の光センサによって出力された複数の光強度信号によって反映される光強度が、前記第１の所定期間において、減少変化規則に適合し、次に増加変化規則に適合し、前記第１の光センサが前記第２の光センサの上側に置かれることを、前記非接触ジェスチャに対応する前記事前設定された変化規則は含む。
【手続補正２５】
【補正対象書類名】明細書
【補正対象項目名】００６５
【補正方法】変更
【補正の内容】
【００６５】
第２の態様の第２から第５の可能な実装例のいずれか１つを参照すると、前記第２の所定期間は、前記第１の光センサによって出力された前記複数の光強度信号に対応する第１のスワイプジェスチャを認識する第１の時刻と前記第２の光センサによって出力された前記複数の光強度信号に対応する第２のスワイプジェスチャを認識する第２の時刻との間の時間間隔の標準値である。
【手続補正２６】
【補正対象書類名】明細書
【補正対象項目名】００６６
【補正方法】変更
【補正の内容】
【００６６】
第２の態様の第６の可能な実装例において、前記複数の光センサは第１の光センサ及び第２の光センサを含み、前記非接触ジェスチャは上スワイプジェスチャを含むとともに、前記上スワイプジェスチャは、前記第１の光センサ及び前記第２の光センサの感知範囲における操作オブジェクトの下から上へのスワイプを含み、第２の所定期間内に、前記第２の光センサによって出力された複数の光強度信号によって反映される光強度が、第１の所定期間において、減少変化規則に適合し、次に増加変化規則に適合し、そのあとで、前記第１の光センサによって出力された複数の光強度信号によって反映される光強度が、前記第１の所定期間において、減少変化規則に適合し、次に増加変化規則に適合し、前記第１の光センサが前記第２の光センサの上側に置かれることを、前記非接触ジェスチャに対応する前記事前設定された変化規則は含む。
【手続補正２７】
【補正対象書類名】明細書
【補正対象項目名】００６９
【補正方法】変更
【補正の内容】
【００６９】
第２の態様の第２から第７の可能な実装例のいずれか１つを参照すると、第９の可能な実装例において、前記第２の所定期間は、前記第１の光センサによって出力された前記複数の光強度信号に対応する第１のスワイプジェスチャを認識する第１の時刻と前記第２の光センサによって出力された前記複数の光強度信号に対応する第２のスワイプジェスチャを認識する第２の時刻との間の時間間隔の標準値である。
【手続補正２８】
【補正対象書類名】明細書
【補正対象項目名】００８５
【補正方法】変更
【補正の内容】
【００８５】
第２の態様、又は第２の態様の第１から第２４の可能な実装例のいずれか１つを参照すると、第２５の可能な実装例において、前記端末機器がモーションセンサ又はオリエンテーションセンサを更に含み、当該装置は、前記モーションセンサ又は前記オリエンテーションセンサによって出力された信号値を受信し、携帯電話が比較的安定した状態にあるかどうかを判定し、もし安定した状態にあるならば、前記の出力された複数の光強度信号の前記変化規則が前記非接触ジェスチャに対応する前記事前設定された変化規則に適合するかどうかを判定するステップを起動するように構成された携帯電話状態判定ユニットであって、前記ステップが前記ジェスチャ認識ユニットによって実行される前記携帯電話状態判定ユニットを更に含む。
【手続補正２９】
【補正対象書類名】明細書
【補正対象項目名】００８７
【補正方法】変更
【補正の内容】
【００８７】
第２の態様の第２から第７の可能な実装例のいずれか１つを参照すると、第２７の可能な実装例において、前記非接触ジェスチャは、上スワイプジェスチャ、又は下スワイプジェスチャ、又は左スワイプジェスチャ、又は右スワイプジェスチャを含むとともに、前記端末アプリケーションは、画像アプリケーション又は電子ブックアプリケーションを含み、前記上スワイプジェスチャは、前記第１の光センサ及び前記第２の光センサの前記感知範囲における前記操作オブジェクトの下から上へのスワイプを含み、前記下スワイプジェスチャは、前記第１の光センサ及び前記第２の光センサの前記感知範囲における前記操作オブジェクトの上から下へのスワイプを含み、前記左スワイプジェスチャは、前記第１の光センサ及び前記第２の光センサの前記感知範囲における前記操作オブジェクトの右から左へのスワイプを含み、前記右スワイプジェスチャは、前記第１の光センサ及び前記第２の光センサの前記感知範囲における前記操作オブジェクトの左から右へのスワイプを含み、前記実行ユニットは、前記画像又は電子ブックアプリケーションに対して、前記上スワイプジェスチャ、又は前記下スワイプジェスチャ、又は前記左スワイプジェスチャ、又は前記右スワイプジェスチャに対応する、上方向ページフリッピング若しくはドラッギング、下方向ページフリッピング若しくはドラッギング、左方向ページフリッピング若しくはドラッギング、又は右方向ページフリッピング若しくはドラッギングの制御操作を実行するように構成されたスワイプジェスチャ実行サブユニットを含む。
【手続補正３０】
【補正対象書類名】明細書
【補正対象項目名】００８９
【補正方法】変更
【補正の内容】
【００８９】
第２の態様の第１２、第１５、及び第１８の可能な実装例のいずれか１つを参照すると、第２９の可能な実装例において、当該装置は、前記アップリフトジェスチャのアップリフト量を取得するように構成されたアップリフト量取得ユニットを更に含み、前記実行ユニットは、画像アプリケーション又は電子ブックアプリケーションに対して、前記アップリフトジェスチャに対応するズーム操作を実行するように構成された第１のズーム実行サブユニットであって、前記ズーム操作が実行される場合に前記アップリフト量取得ユニットによって取得された前記アップリフト量に従ってズーム比が決定される前記第１のズーム実行サブユニットを含む。
【手続補正３１】
【補正対象書類名】明細書
【補正対象項目名】００９０
【補正方法】変更
【補正の内容】
【００９０】
第２の態様の第１３、第１６、及び第１９の可能な実装例のいずれか１つを参照すると、第３０の可能な実装例において、当該装置は、前記プレスジェスチャのプレス量を取得するように構成されたプレス量取得ユニットを更に含み、前記実行ユニットは、画像アプリケーション又は電子ブックアプリケーションに対して、前記プレスジェスチャに対応するズーム操作を実行するように構成された第２のズーム実行サブユニットであって、前記ズーム操作が実行される場合に前記プレス量取得ユニットによって取得された前記プレス量に従ってズーム比が決定される前記第２のズーム実行サブユニットを含む。
【手続補正３２】
【補正対象書類名】明細書
【補正対象項目名】００９２
【補正方法】削除
【補正の内容】
【手続補正３３】
【補正対象書類名】明細書
【補正対象項目名】００９４
【補正方法】変更
【補正の内容】
【００９４】
本発明の実施例における技術的解決法を更に明瞭に例示するために、下記の事項は、実施例を説明するために必要とされる添付図面を簡潔に紹介する。明らかに、添付図面は単に本発明のいくつかの実施例を示すだけであるとともに、当業者は、創造的な努力なしでこれらの添付図面から他の図面を更に導き出すことができる。
【手続補正３４】
【補正対象書類名】明細書
【補正対象項目名】００９７
【補正方法】変更
【補正の内容】
【００９７】
本発明の実施例１は、非接触ジェスチャを使用することにより端末機器を制御するための方法であって、１つ又は複数の光センサを含む端末機器に適用できる方法を提供する。この実施例における端末機器は、スマートフォン、タブレットコンピュータ、ノート型コンピュータなどであり得るとともに、この実施例における光センサ（光センサは環境光センサとも呼ばれる）は、可視の光強度を感知するセンサである。光センサは、スマートフォン又はタブレットコンピュータ上で広く使用されるとともに、現在のところ、大部分のスマート端末は、携帯電話の前面画面の上部、及びタブレットコンピュータの前面画面の上部又は右側に一般に配置され、端末機器が画面輝度を自動的に調整するのに周囲の可視光の強さを感知するために主に使用される光センサを備えている。例えば、戸外のユーザが日中に端末機器を使用する場合に、画面輝度は、強い光に抵抗するために自動的に最大に調整され、暗い環境光を有する建物にユーザが戻る場合に、画面輝度は、自動的に低減される。
【手続補正３５】
【補正対象書類名】明細書
【補正対象項目名】０１０４
【補正方法】変更
【補正の内容】
【０１０４】
この実施例において、端末アプリケーションは、電子ブックを読むこと、ウェブページをブラウズすること、画像をブラウズすること、音楽を再生すること、及びビデオを再生することのようなアプリケーションであり得る。対応する制御操作は、ページフリッピング、上下ドラッギング、画像ズーミング、ボリューム調整、再生又は一時停止などであり得る。特定の操作及び対応するアプリケーションはこれに限定されず、例えば、ページフリッピングは、電子ブック、ウェブページをブラウズすること、及び画像のようなアプリケーションを対象にしても良く、再生又は一時停止は、音楽及びビデオを再生することのようなアプリケーションを対象にしても良い。この実施例において、端末アプリケーションに関する、非接触ジェスチャに対応する制御操作の方法は、あらかじめ設定され得るか、又はユーザによって同様に定義され得る。
【手続補正３６】
【補正対象書類名】明細書
【補正対象項目名】０１０６
【補正方法】変更
【補正の内容】
【０１０６】
さらに、ジェスチャ動作を誤って誘発し得る光変化を、端末機器の震動が同様に引き起こすので、端末機器の震動によって引き起こされる誤操作を回避するために、端末機器が現在比較的安定した状態にあるかどうかを最初に判定することが必要であり、それによって非接触ジェスチャの認識を起動するかどうかを判定する。本発明の実施例は、端末機器が比較的安定した状態にあるかどうかを判定するために、モーションセンサ又はオリエンテーションセンサを使用するとともに、ジェスチャは、端末機器が比較的安定した状態にある時にのみ認識される。もし端末機器が比較的安定した状態にないならば、受信された光強度の変化規則が非接触ジェスチャに対応する変化規則に適合するかどうかを判定することは必要ではない。
【手続補正３７】
【補正対象書類名】明細書
【補正対象項目名】０１３４
【補正方法】変更
【補正の内容】
【０１３４】
任意に、第１の所定期間及び第２の所定期間は、インタフェース上でユーザによって選択されたジェスチャ操作速度に従って同様に適応的に調整され得る。例えば、３つの操作モード“高い、普通、及び低い”が、選択するユーザのためにインタフェース上で提供され、各操作モードは時間しきい値のセットに対応し、ユーザは、ユーザの操作の癖に従ってモードを選択したあとで、使用される時間しきい値を決定する。一般に、選択されたジェスチャ操作速度がより高いならば、対応する時間しきい値はより小さい。
【手続補正３８】
【補正対象書類名】明細書
【補正対象項目名】０１３７
【補正方法】変更
【補正の内容】
【０１３７】
光センサから離れる方向又は光センサに向かう方向は主に鉛直方向のことを指し、すなわち、光センサが端末画面の前面に位置している場合に、プレス又はアップリフトジェスチャは、端末画面に垂直な方向に沿った上下運動のことを指す。少なくとも１つのアップリフト又はプレスジェスチャは、連続的なアップリフト及びプレス動作の組み合わせであり得るとともに、プレス及びアップリフトジェスチャは数回繰り返して実行されても良い。
【手続補正３９】
【補正対象書類名】明細書
【補正対象項目名】０１４８
【補正方法】変更
【補正の内容】
【０１４８】
具体的には、第１の所定期間は、プレスジェスチャ又はアップリフトジェスチャを生成する操作オブジェクトによって光センサを遮蔽する時刻とプレスすることを開始するか又はアップリフトすることを開始する時刻との間の時間間隔の標準値である。第２の所定期間は、プレスジェスチャ又はアップリフトジェスチャを生成する操作オブジェクトがある程度までプレスされたか又はアップリフトされた後で静止している状態を保つ場合に光センサが遮蔽される持続時間の標準値である。第３の所定期間は、プレスジェスチャ又はアップリフトジェスチャを認識する検出時刻とプレスジェスチャ又はアップリフトジェスチャを生成する操作オブジェクトによって光センサを遮蔽する時刻との間の時間間隔の標準値である。実施例２におけるスワイプジェスチャの第１の所定期間は、この実施例におけるプレスジェスチャ、アップリフトジェスチャ、又は、少なくとも１つのプレスジェスチャ及び少なくとも１つのアップリフトジェスチャの第１の所定期間より短い。第３のしきい値は、光センサが、アップリフトジェスチャ、又はプレスジェスチャ、又は少なくとも１つのアップリフトジェスチャと少なくとも１つのプレスジェスチャとを含むジェスチャを生成する操作オブジェクトによって、完全に遮蔽されるか、部分的に遮蔽されるか、又は影を投げ掛けられる場合の光強度の標準的な減少量である。第４のしきい値は、アップリフトジェスチャ、又はプレスジェスチャ、又は少なくとも１つのアップリフトジェスチャと少なくとも１つのプレスジェスチャとを含むジェスチャを生成する操作オブジェクトによって光センサが遮蔽されたあとで、かつアップリフトすること又はプレスすることを開始する前に、静止している操作オブジェクトによってもたらされる光強度の標準的な減少量又は増加量である。
【手続補正４０】
【補正対象書類名】明細書
【補正対象項目名】０１５８
【補正方法】変更
【補正の内容】
【０１５８】
具体的には、一例として２つの光センサを使用すると、２つの光センサが上スワイプ又は下スワイプジェスチャを認識するために図７において使用される場合に、２つの光センサの好ましい配置位置は、２つの光センサの相対的な配置位置の間の垂直距離を最大限にする位置であり、ここで、垂直距離は、２つの光センサがｙ軸に投影されたあとの相対距離のことを指す。具体的な認識方法は、第１の光センサ７０１及び第２の光センサ７０２によってスワイプジェスチャを検出する時刻の分配特性に従って、上スワイプ又は下スワイプ方向を判定することである。具体的には、その方法は下記の事項を含む。
【手続補正４１】
【補正対象書類名】明細書
【補正対象項目名】０１６５
【補正方法】変更
【補正の内容】
【０１６５】
もし３つの光センサによってスワイプジェスチャを認識する時系列が光センサ８０１、光センサ８０２、及び光センサ８０３であり、光センサ８０１及び光センサ８０２によってスワイプジェスチャを検出する時間差と光センサ８０２及び光センサ８０３によってスワイプジェスチャを検出する時間差の両方が時間しきい値Ｔ＿６より小さいならば、スワイプジェスチャは右スワイプジェスチャであると認識される。同様に、もし３つの光センサによってスワイプジェスチャを認識する時系列が光センサ８０３、光センサ８０２、及び光センサ８０１であり、光センサ８０２及び光センサ８０３によってスワイプジェスチャを検出する時間差と光センサ８０１及び光センサ８０２によってスワイプジェスチャを検出する時間差の両方がしきい値Ｔ＿６より小さいならば、スワイプジェスチャは左スワイプジェスチャであると認識される。
【手続補正４２】
【補正対象書類名】明細書
【補正対象項目名】０１８４
【補正方法】変更
【補正の内容】
【０１８４】
端末機器がＮ個の光センサを含む場合に、ジェスチャ認識ユニットは、上スワイプジェスチャ、下スワイプジェスチャ、左スワイプジェスチャ、右スワイプジェスチャ、及び少なくとも１つのアップリフトジェスチャと少なくとも１つのプレスジェスチャを認識するように構成され得る。
【手続補正４３】
【補正対象書類名】明細書
【補正対象項目名】０１９１
【補正方法】変更
【補正の内容】
【０１９１】
さらに、端末機器は、モーションセンサ１２５又はオリエンテーションセンサ１２４を含み、ＣＰＵは、メモリに格納されたアプリケーションプログラムを実行している間に、下記の、モーションセンサ１２５又はオリエンテーションセンサ１２４に従って、携帯電話が比較的安定した状態にあるかどうかを判定し、もし安定した状態にないならば、出力された複数の光強度信号の変化規則が非接触ジェスチャに対応する事前設定された変化規則に適合するかどうかをジェスチャ認識ユニットによって判定するステップを起動しないか、又はもし安定した状態にあるならば、該ステップを起動するステップを実行する。
【手続補正４４】
【補正対象書類名】明細書
【補正対象項目名】０１９２
【補正方法】変更
【補正の内容】
【０１９２】
この実施例において、メモリに格納されたアプリケーションプログラムがＣＰＵによって実行される場合に、アプリケーションプログラムは、この実施例において説明された処理ステップを実行するだけでなく、前述の実施例における様々な非接触ジェスチャを認識するステップ、及び（プレス量を取得することのような）他の処理ステップを達成し、それらはここでは再度詳細に説明されない。一方、実施例によって提供される解決法に基づいてどのようにプログラミングを行うかは、当業者によって知られている技術であり、それは同様にここでは再度詳細に説明されない。
【手続補正４５】
【補正対象書類名】明細書
【補正対象項目名】０１９３
【補正方法】変更
【補正の内容】
【０１９３】
前述の実施例の説明を通して、本発明がハードウェア、又はファームウェア、又はそれらの組み合わせによって実施され得るということを、当業者は明らかに理解し得る。本発明がソフトウェアによって実施される場合に、上記の機能は、コンピュータ読み取り可能な媒体に格納され得るか、又は、伝送用のコンピュータ読み取り可能な媒体上の１つ又は複数の命令若しくはコードになる。コンピュータ読み取り可能な媒体は、コンピュータ記憶媒体を含む。記憶媒体は、コンピュータがアクセスすることができるあらゆる利用可能な媒体であり得る。例えば、コンピュータ読み取り可能な媒体は、ＲＡＭ、ＲＯＭ、ＥＥＰＲＯＭ、光ディスク、又は他の光ディスク記憶装置、そして磁気ディスク記憶媒体若しくは他の磁気記憶装置、又は命令若しくはデータ構造形式を有する所望のプログラムコードを伝送又は格納するために使用されることができるあらゆる他のコンピュータアクセス可能媒体を含み得るが、しかしそれに限定されない。
【国際調査報告】
2015530669.tif 000027
2015530669.tif 000028
2015530669.tif 000029
2015530669.tif 000030